(57)【要約】  本願は、干渉測定方法及び機器を提供する。干渉発生ノードの第２の機能エンティティが、干渉発生ノードの第１の機能エンティティの参照信号リソース識別子に対応する１つ又は複数のビームを使用して、干渉測定に使用される参照信号を送信し、それによって、被干渉ノードが干渉測定を迅速且つ正確に行うことができ、クロスリンク干渉下のノードでの干渉測定を実施するため、クロスリンク信号送信の影響が大幅に軽減され、システムの送信性能が向上する。
2022501953.tif 000002
【特許請求の範囲】
【請求項１】
統合アクセス及びバックホール（ＩＡＢ）ネットワークに適用される干渉測定方法であって、前記ＩＡＢネットワークは少なくとも第１のノード及び第２のノードを含み、該第２のノードは第１の機能エンティティ及び第２の機能エンティティを含み、当該方法は、
前記第２のノードの前記第２の機能エンティティが、参照信号構成メッセージを受信するステップであって、該参照信号構成メッセージは、前記第２のノードの前記第２の機能エンティティの参照信号リソース指標情報を含み、前記第２の機能エンティティの前記参照信号リソース指標情報は、前記第２のノードの前記第１の機能エンティティの参照信号リソース識別子を含む、受信するステップと、
前記受信した参照信号構成メッセージ内の前記第２のノードの前記第１の機能エンティティの前記参照信号リソース識別子に基づいて、前記第２のノードの前記第２の機能エンティティが、干渉測定に使用される参照信号を送信するステップと、を含む、
方法。
【請求項２】
前記受信した参照信号構成メッセージ内の前記第２のノードの前記第１の機能エンティティの前記参照信号リソース識別子に基づいて、前記第２のノードの前記第２の機能エンティティが、干渉測定に使用される参照信号を送信するステップは、
前記受信した参照信号構成メッセージ内の前記第２のノードの前記第１の機能エンティティの前記参照信号リソース識別子に基づいて、前記第２のノードの前記第２の機能エンティティが、前記第２のノードの前記第１の機能エンティティの前記参照信号リソース識別子に対応する１つ又は複数のビームを決定するステップと、
前記第２のノードの前記第２の機能エンティティが、前記決定した１つ又は複数のビームを使用して、干渉測定に使用される前記参照信号を送信するステップと、を特に含む、請求項１に記載の方法。
【請求項３】
前記参照信号リソース指標情報は、干渉測定に使用される前記参照信号がマッピングされる時間周波数リソース位置、干渉測定に使用される前記参照信号の電力制御、及び干渉測定に使用される前記参照信号の送信周期性のうちの１つ又は任意の組合せをさらに含む、請求項１に記載の方法。
【請求項４】
干渉測定に使用される前記参照信号の前記電力制御は、前記第２のノードの前記第１の機能エンティティの送信電力である、請求項３に記載の方法。
【請求項５】
当該方法は、前記第１のノードが、前記参照信号構成メッセージを生成するステップをさらに含む、請求項１に記載の方法。
【請求項６】
統合アクセス及びバックホール（ＩＡＢ）ネットワークに適用される干渉測定方法であって、前記ＩＡＢネットワークは、少なくとも第１のノード、第２のノード、及び第３のノードを含み、前記第２のノード及び前記第３のノードはそれぞれ第１の機能エンティティ及び第２の機能エンティティを含み、当該方法は、
前記第３のノードの前記第１の機能エンティティが、干渉測定構成メッセージを受信するステップであって、該干渉測定構成メッセージは干渉測定タイプ指標情報を含み、該干渉測定タイプ指標情報は、前記第３のノードの前記第２の機能エンティティの受信ビームを使用して干渉測定を行うように、前記第３のノードの前記第１の機能エンティティに指示するために使用される、受信するステップと、
前記干渉測定構成内の干渉測定タイプ指標に基づいて、前記第３のノードの前記第１の機能エンティティが、参照信号を検出するために使用される受信ビームが前記第３のノードの前記第２の機能エンティティの受信ビームであると決定するステップと、
前記第３のノードの前記第１の機能エンティティが、前記決定した受信ビームを使用して、干渉測定に使用される参照信号を受信するステップと、を含む、
方法。
【請求項７】
前記干渉測定構成メッセージは、前記第２のノードの前記第２の機能エンティティの参照信号リソース指標情報をさらに含み、前記第２のノードの前記第２の機能エンティティの前記参照信号リソース指標情報は、
前記第２のノードの前記第２の機能エンティティの参照信号リソース識別子、前記第２のノードの前記第２の機能エンティティに関するものであり且つ干渉測定に使用される前記参照信号の送信電力、及び干渉測定に使用され且つ前記第２のノードの前記第２の機能エンティティに関するものである前記ＲＳがマッピングされる時間周波数リソース位置、又は前記第２のノードの前記第２の機能エンティティに関するものであり且つ干渉測定に使用される前記ＲＳの送信周期性の１つ又は組合せを含む、請求項６に記載の方法。
【請求項８】
当該方法は、前記第１のノードが、前記干渉測定構成メッセージを生成するステップをさらに含む、請求項６又は７に記載の方法。
【請求項９】
当該方法は、前記第１のノードが、参照信号構成メッセージを前記第２のノードの前記第２の機能エンティティに送信するステップをさらに含み、前記参照信号構成メッセージは、前記第２のノードの前記第２の機能エンティティの参照信号リソース指標情報を含む、請求項６に記載の方法。
【請求項１０】
干渉測定機器であって、当該機器は、
参照信号構成メッセージを受信し、プロセッサの指標に基づいて決定した１つ又は複数の送信ビームを使用して、干渉測定に使用される参照信号を送信するように構成されたトランシーバであって、前記参照信号構成メッセージは、第２のノードの第２の機能エンティティの参照信号リソース指標情報を含み、前記第２の機能エンティティの前記参照信号リソース指標情報は、前記第２のノードの第１の機能エンティティの参照信号リソース識別子を含む、トランシーバと、
前記プロセッサと、を含み、
該プロセッサは、
前記参照信号構成メッセージ内の前記第２のノードの前記第１の機能エンティティの前記参照信号リソース識別子に基づいて、前記第２のノードの前記第１の機能エンティティの前記参照信号リソース識別子に対応する１つ又は複数の送信ビームを決定し、
該決定した送信ビームを使用して、干渉測定に使用される前記参照信号を送信するように前記トランシーバに指示する、ように構成される、
機器。
【請求項１１】
前記参照信号リソース指標情報は、干渉測定に使用される前記参照信号がマッピングされる時間周波数リソース位置、干渉測定に使用される前記参照信号の電力制御、及び干渉測定に使用される前記参照信号の送信周期性のうちの１つ又は任意の組合せをさらに含む、請求項１０に記載の機器。
【請求項１２】
前記干渉測定に使用される前記参照信号（ＲＳ）の前記電力制御は、前記第２のノードの前記第１の機能エンティティの送信電力である、請求項１０又は１１に記載の機器。
【請求項１３】
干渉測定機器であって、当該機器は、
干渉測定構成メッセージを受信し、プロセッサの指標に基づいて前記決定した受信ビームを使用して、干渉測定に使用される参照信号を受信するように構成されたトランシーバであって、前記干渉測定構成メッセージは干渉測定タイプ指標情報を含み、該干渉測定タイプ指標情報は、第３のノードの第２の機能エンティティの受信ビームを使用して干渉測定を行うように、前記第３のノードの第１の機能エンティティに指示するために使用される、トランシーバと、
前記プロセッサと、を含み、
該プロセッサは、
前記干渉測定構成メッセージ内の干渉測定タイプ指標に基づいて、参照信号を検出するために使用される受信ビームが、前記第３のノードの前記第２の機能エンティティの前記受信ビームであると決定し、
該決定した受信ビームを使用して、干渉測定に使用される前記参照信号を受信するようにトランシーバに指示するように構成される、
機器。
【請求項１４】
前記干渉測定構成メッセージは、前記第２のノードの前記第２の機能エンティティの参照信号リソース指標情報をさらに含み、前記第２のノードの前記第２の機能エンティティの前記参照信号リソース指標情報は、
前記第２のノードの前記第２の機能エンティティの参照信号リソース識別子、前記第２のノードの前記第２の機能エンティティに関するものであり且つ干渉測定に使用される前記参照信号の送信電力、及び干渉測定に使用され且つ前記第２のノードの前記第２の機能エンティティに関するものである前記ＲＳがマッピングされる時間周波数リソース位置、又は前記第２のノードの前記第２の機能エンティティに関するものであり且つ干渉測定に使用される前記ＲＳの送信周期性の１つ又は組合せを含む、請求項１３に記載の機器。
【請求項１５】
前記プロセッサは、
前記干渉測定構成メッセージ内の前記参照信号リソース指標情報に基づいて、前記干渉測定構成メッセージ内に示される時間周波数リソースを決定し、
該決定した時間周波数リソースで、干渉測定に使用される前記参照信号を受信するようにトランシーバに指示する、ようにさらに構成される、請求項１４に記載の機器。
【請求項１６】
請求項１乃至５のいずれか一項に記載の前記方法を実行するように構成された、又は請求項６乃至９のいずれか一項に記載の前記方法を実行するように構成された干渉測定機器。
【請求項１７】
命令を含むコンピュータ可読記憶媒体であって、前記命令がコンピュータで実行されると、該コンピュータは、請求項１乃至５のいずれか一項に記載の前記方法を実行することができる、又は前記命令がコンピュータで実行されると、該コンピュータは、請求項６乃至９のいずれか一項に記載の前記方法を実行することができる、コンピュータ可読記憶媒体。
【請求項１８】
コンピュータプログラムコードを含むコンピュータプログラム製品であって、前記コンピュータプログラムコードがコンピュータで実行されると、該コンピュータは、請求項１乃至５のいずれか一項に記載の前記方法を実行することができる、又は前記コンピュータは、請求項６乃至９のいずれか一項に記載の前記方法を実行することができる、コンピュータプログラム製品。
【請求項１９】
メモリ及びプロセッサを含むチップであって、前記メモリはコンピュータプログラムを格納するように構成され、前記プロセッサが前記メモリから前記コンピュータプログラムを呼び出して該コンピュータプログラムを実行するように構成され、それによって、前記プロセッサは、請求項１乃至５のいずれか一項に記載の前記方法を実行する、又は前記プロセッサは、請求項６乃至９のいずれか一項に記載の前記方法を実行する、チップ。
【発明の詳細な説明】
【技術分野】
【０００１】
本願は、２０１８年９月２８日に中国国家知識産権局に出願された、“INTERFERENCE  MEASUREMENT  METHOD  AND  APPARATUS”という表題の中国特許出願第２０１８１１１４３４７０．８号に対する優先権を主張するものであり、この文献は、その全体が参照により本明細書に組み込まれる。
【０００２】
本願は、通信分野、より具体的には、干渉測定方法及び機器に関する。
【背景技術】
【０００３】
第５世代通信システム（第５世代移動ネットワーク又は第５世代無線システム、５Ｇ）において、統合アクセス及びバックホール（integrated  access  and  backhaul,  IAB）ノードは、中継技術における進化型ノードである。無線通信ネットワークでは、中継ノードが、通常、拡張カバレッジ又は死角カバレッジを満たす（implement）ため、又はシステム容量を改善するために使用される。ＩＡＢノードは、ＩＡＢモバイルターミネーション（mobile  termination,  MT）及びＩＡＢ基地局分散ユニット（Distributed  Unit,  DU）に機能的に分割される。ＩＡＢ  ＭＴは、ＩＡＢノードが端末装置ＵＥとして上位レベル（upper-level）ノードにアクセスすることを意味する。ＩＡＢ  ＤＵは、ＩＡＢノードがＵＥ及び別のダウンストリームノードに基地局分散ユニットとしてアクセスサービスを提供することを意味する。
【０００４】
ＩＡＢノードがネットワークにアクセスするときに、ＩＡＢ  ＤＵがＵＥにサービスを提供するためのリンクは、アクセスリンク（Access  link,  AC）と呼ばれ、ＩＡＢ  ＤＵがデータを別のＩＡＢノードに送信するためのリンクは、バックホールリンク（backhaul  link,  BH）と呼ばれる。スケジューリング結果がＩＡＢノード毎に異なるため、ＩＡＢノード毎に同時に異なる受信ステータス及び送信ステータスが発生する可能性がある。例えば、バックホールリンク又はアクセスリンクで送信された信号を受信するときに、ＩＡＢノードは別のＩＡＢノードによって送信された信号から干渉を受け、この干渉はクロスリンク干渉（cross  link  interference,  CLI）と呼ばれる。クロスリンク干渉は、ＩＡＢノードの送信能力を低下させ、特にバックホールリンクへの干渉状態に陥り、深刻なパフォーマンスの低下をもたらす。従って、ＩＡＢノードに対して干渉測定を行い、次にターゲットを絞った干渉管理手段を実行して、クロスリンク干渉を回避する方法、又はクロスリンク信号送信の影響を軽減する方法は、現在のＩＡＢ標準化で考慮する必要がある問題である。
【発明の概要】
【０００５】
上記を考慮して、本願は、干渉測定方法及び機器を提供する。干渉発生ノードの第２の機能エンティティが、干渉発生ノードの第１の機能エンティティの参照信号リソース識別子に対応する１つ又は複数のビームを使用して、干渉測定に使用される参照信号を送信し、それによって、干渉を受ける被干渉ノードが干渉測定を迅速且つ正確に行うことができる。このようにして、クロスリンク干渉下のノード同士の間の干渉測定が実施されるため、クロスリンク信号送信の影響が大幅に軽減され、システムの送信性能が向上する。
【０００６】
第１の態様によれば、干渉測定方法が提供され、この方法は、統合アクセス及びバックホール（ＩＡＢ）ネットワークに適用される。ＩＡＢネットワークは少なくとも第１のノード及び第２のノードを含み、第２のノードは第１の機能エンティティ及び第２の機能エンティティを含む。この方法は、次のステップを含む。
【０００７】
第２のノードの第２の機能エンティティが参照信号（ＲＳ）構成メッセージを受信し、ＲＳ構成メッセージは、第２のノードの第２の機能エンティティの参照信号リソース指標情報を含み、第２の機能エンティティの参照信号リソース指標情報は、第２のノードの第１の機能エンティティの参照信号リソース識別子を含む；そして
第２のノードの第２の機能エンティティは、受信したＲＳ構成メッセージ内の第２のノードの第１の機能エンティティの参照信号リソース識別子に基づいて、干渉測定に使用される参照信号を送信する。
【０００８】
前述の実施形態によれば、干渉発生ノードの第２の機能エンティティは、干渉発生ノードの第１の機能エンティティの参照信号リソース識別子に対応する１つ又は複数のビームを使用して、干渉測定に使用される参照信号を送信するので、被干渉ノードが干渉測定を迅速且つ正確に行うことができ、それによりクロスリンク信号送信の影響が大幅に軽減され、システムの送信性能が向上する。
【０００９】
第２の態様によれば、干渉測定方法が提供され、この方法は、統合アクセス及びバックホール（ＩＡＢ）ネットワークに適用される。ＩＡＢネットワークは、少なくとも第１のノード、第２のノード、及び第３のノードを含み、第２のノード及び第３のノードはそれぞれ第１の機能エンティティ及び第２の機能エンティティを含む。この方法は、次のステップを含む。
【００１０】
第３のノードの第１の機能エンティティは干渉測定構成メッセージを受信し、干渉測定構成メッセージは干渉測定タイプ指標情報を含み、干渉測定タイプ指標情報は、第３のノードの第２の機能エンティティの受信ビームを使用して干渉測定を行うように、第３のノードの第１の機能エンティティに指示するために使用される；
第３のノードの第１の機能エンティティは、干渉測定構成内の干渉測定タイプ指標に従って、参照信号を検出するために使用される受信ビームが第３のノードの第２の機能エンティティの受信ビームであると決定する；そして
第３のノードの第１の機能エンティティは、決定した受信ビームを使用して、干渉測定に使用される参照信号を受信する。
【００１１】
前述の実施形態で提供される干渉測定方法によれば、被干渉ノードは、干渉測定を迅速且つ正確に行うことができ、それにより、クロスリンク信号送信の影響が大幅に軽減され、システムの送信性能が向上する。
【００１２】
第３の態様によれば、干渉測定機器が提供され、この機器は、
ＲＳ構成メッセージを受信し、プロセッサの指標に従って決定された１つ又は複数の送信ビームを使用して、干渉測定に使用されるＲＳを送信するように構成されたトランシーバであって、ＲＳ構成メッセージは、第２のノードの第２の機能エンティティの参照信号リソース指標情報を含み、第２の機能エンティティの参照信号リソース指標情報は、第２のノードの第１の機能エンティティの参照信号リソース識別子を含む、トランシーバと、
プロセッサと、を含み、
プロセッサは、
ＲＳ構成メッセージ内の第２のノードの第１の機能エンティティの参照信号リソース識別子に基づいて、第２のノードの第１の機能エンティティの参照信号リソース識別子に対応する１つ又は複数の送信ビームを決定し、
決定した送信ビームを使用して、干渉測定に使用されるＲＳを送信するようにトランシーバに指示する、ように構成される。
【００１３】
前述の実施形態で提供される干渉測定方法によれば、被干渉ノードは、干渉測定を迅速且つ正確に行うことができ、それにより、クロスリンク信号送信の影響が大幅に軽減され、システムの送信性能が向上する。
【００１４】
第４の態様によれば、干渉測定機器が提供され、この機器は、
干渉測定構成メッセージを受信し、プロセッサの指標に従って決定された受信ビームを使用して、干渉測定に使用される参照信号を受信するように構成されたトランシーバであって、干渉測定構成メッセージは干渉測定タイプ指標情報を含み、干渉測定タイプ指標情報は、第３のノードの第２の機能エンティティの受信ビームを使用して、干渉測定を行うように第３のノードの第１の機能エンティティに指示するために使用される、トランシーバと、
プロセッサと、を含み、
プロセッサは、
干渉測定構成メッセージ内の干渉測定タイプ指標に従って、参照信号の検出に使用される受信ビームが、第３のノードの第２の機能エンティティの受信ビームであると決定し、
決定した受信ビームを使用して、干渉測定に使用される参照信号を受信するようにトランシーバに指示する、ように構成される。
【００１５】
前述の実施形態で提供される干渉測定方法によれば、被干渉ノードは、干渉測定を迅速且つ正確に行うことができ、それにより、クロスリンク信号送信の影響が大幅に軽減され、システムの送信性能が向上する。
【００１６】
第５の態様によれば、干渉測定機器が提供され、この機器は、
プログラムを格納するように構成されたメモリと、
メモリに格納されたプログラムを実行するように構成されたプロセッサと、を含み、プログラムが実行されると、プロセッサは、第１の態様又は第２の態様のいずれかの方法を実行するように構成される。
【００１７】
第６の態様によれば、干渉測定機器が提供され、この機器は、命令を含むコンピュータ可読記憶媒体を含み、命令がコンピュータで実行されると、コンピュータは、第１の態様又は第２の態様のいずれかの方法を実行することができる。
【００１８】
第７の態様によれば、コンピュータプログラム製品を含む干渉測定機器が提供される。コンピュータプログラム製品は、コンピュータプログラムコードを含み、コンピュータプログラムコードがコンピュータで実行されると、コンピュータは、第１の態様又は第２の態様のいずれかの方法を実行することができる。
【００１９】
第８の態様によれば、メモリ及びプロセッサを含むチップが提供される。メモリはコンピュータプログラムを格納するように構成され、プロセッサはメモリからコンピュータプログラムを呼び出してコンピュータプログラムを実行するように構成され、それによって、プロセッサは、第１の態様又は第２の態様のいずれかの方法を実行することができる。
【図面の簡単な説明】
【００２０】
【図１】本願の実施形態が適用されるシステムアーキテクチャの図である。
【図２】本願の一実施形態による別のシステムアーキテクチャの図である。
【図３】本願の一実施形態による別のシステムアーキテクチャの図である。
【図４ａ】本願の一実施形態による干渉測定の概略フローチャートである。
【図４ｂ】本願の一実施形態による干渉測定の別の概略フローチャートである。
【図５】本願の一実施形態によるシステムアーキテクチャの図である。
【図６】本願の一実施形態による干渉測定の別の概略フローチャートである。
【図７】本願の一実施形態によるシステムアーキテクチャの図である。
【図８ａ】本願の一実施形態による干渉測定の概略フローチャートである。
【図８ｂ】本願の一実施形態による干渉測定の別の概略フローチャートである。
【図９】本願の一実施形態によるシステムアーキテクチャの図である。
【図１０】本願の一実施形態による干渉測定の別の概略フローチャートである。
【図１１】本願の一実施形態によるシステムアーキテクチャの図である。
【図１２】本願の一実施形態による干渉測定の別の概略フローチャートである。
【図１３ａ】本願の一実施形態によるシステムアーキテクチャの図である。
【図１３ｂ】本願の一実施形態によるフレームフォーマットの概略構造ブロック図である。
【図１４】本願の一実施形態による干渉測定の別の概略フローチャートである。
【図１５】本願の一実施形態によるシステムアーキテクチャの図である。
【図１６】本願の一実施形態による干渉測定の別の概略フローチャートである。
【図１７】本願の一実施形態によるシステムアーキテクチャの図である。
【図１８】本願の一実施形態による電力制御機器の概略ブロック図である。
【図１９】本願の一実施形態による別の電力制御機器の概略ブロック図である。
【図２０】本願の一実施形態によるネットワーク装置のハードウェア構造の概略図である。
【発明を実施するための形態】
【００２１】
以下では、添付の図面を参照して、本願の技術的解決策について説明する。
【００２２】
図１は、本願の一実施形態による通信システムの概略図である。図１に示されるように、通信システムは、ネットワーク装置及び少なくとも１つの端末装置を含む。端末装置は、ネットワーク装置のカバレッジ内にあり、ネットワーク装置と通信して、本願の以下の実施形態で提供される技術的解決策を実施する。この実施形態の通信システムは、マルチＴＲＰシナリオに適用することができる。
【００２３】
本願の実施形態について、ネットワーク装置及び端末装置を参照して説明する。ネットワーク装置及び端末装置は、ライセンス要（licensed）の周波数帯域又はライセンス不要（unlicensed）の周波数帯域で動作し得る。
【００２４】
端末装置は、ユーザ機器（User  Equipment,  UE）、アクセス端末、加入者ユニット、加入者局、移動局、移動コンソール、リモート局、リモート端末、モバイル装置、ユーザ端末、端末、無線通信装置、ユーザエージェント、ユーザ機器等とも呼ばれ得る。端末装置は、無線ローカルエリアネットワーク（Wireless  Local  Area  Network,  WLAN）内のステーション（局）（STATION,  ST）であり得、携帯電話、コードレス電話、セッション開始プロトコル（Session  Initiation  Protocol,  SIP）電話、無線ローカルループ（Wireless  Local  Loop,  WLL）ステーション、携帯情報端末（Personal  Digital  Assistant,  PDA）、無線通信機能を有するハンドヘルド装置、コンピュータ装置、無線モデムに接続される別の処理装置、車載型装置、ウェアラブル装置、５Ｇネットワークの端末装置、将来の進化型公衆陸上移動ネットワーク（Public  Land  Mobile  Network,  PLMN）の端末装置、又はＮＲシステムの端末装置であり得る。
【００２５】
限定ではなく、例として、本願の実施形態では、端末装置は、代替的に、ウェアラブル装置であってもよい。ウェアラブル装置は、ウェアラブルインテリジェント装置とも呼ばれ得、これは、日常身に着けるもののインテリジェントな設計及び開発にウェアラブル技術を使用した後に得られる、メガネ、手袋、時計、衣服、靴等のウェアラブル装置の総称である。ウェアラブル装置は、直接着用される又はユーザの衣服又はアクセサリに組み込まれるポータブル装置である。ウェアラブル装置は、ハードウェア装置であるだけでなく、ソフトウェアサポート、データ交換、クラウド交換を通じて強力な機能も実現する。一般的なウェアラブルインテリジェント装置には、スマートフォンに依存せずに全て又は一部の機能を実現できる、スマートウォッチ又はスマートグラス等の大型のフル機能ウェアラブル装置と、特定のタイプのアプリケーション機能のみに集中し且つスマートフォン等の別の装置と一緒に使用する必要がある、バイタルサイン監視を実行する様々なスマートバンド及びスマートジュエリー等のウェアラブル装置とが含まれる。
【００２６】
さらに、ネットワーク装置は、無線アクセスネットワーク（Radio  Access  Network,  RAN）装置とも呼ばれ、端末装置を無線ネットワークに接続する装置であり、進化型ノードＢ（Evolutional  Node  B、eNB、又はeNodeB）、中継局、又はロングタームエボリューション（Long  Term  Evolution,  LTE）のアクセスポイント、５Ｇネットワークのネットワーク装置、将来の進化型ＰＬＭＮネットワークのネットワーク装置、ＮＲシステムの新世代のＮｏｄｅＢ（new  radio  NodeB,  gNodeB）等であり得る。これは本明細書では限定されない。
【００２７】
さらに、本願の実施形態では、ネットワーク装置はセルにサービスを提供し、端末装置は、セルで使用される送信リソース（例えば、周波数領域リソース又はスペクトルリソース）を使用してネットワーク装置と通信する。セルは、ネットワーク装置（例えば、基地局）に対応するセルであり得、セルは、マクロ基地局に属してもよく、又はスモールセル（small  cell）に対応する基地局であり得る。ここでのスモールセルは、メトロセル（Metro  cell）、マイクロセル（Micro  cell）、ピコセル（Pico  cell）、フェムトセル（Femto  cell）等を含み得る。これらのスモールセルは、カバレッジが小さく、送信電力が低いという特徴があり、高速データ伝送サービスの提供に適用できる。
【００２８】
図１は、本願の実施形態が適用される通信システムの概略構造図である。
【００２９】
本願の実施形態で言及される通信システムは、狭帯域のモノのインターネット（narrow  band-internet  of  things,  NB-IoT）システム、ロングタームエボリューション（long  term  evolution,  LTE）システム、次世代５Ｇ移動通信システム、５Ｇ後の通信システム、又は装置間（device  to  device,  D２D）通信システムを含むが、これらに限定されないことに留意されたい。
【００３０】
図１に示される通信システムにおいて、統合アクセス及びバックホール（ＩＡＢ）システムが提供される。１つのＩＡＢシステムは、少なくとも１つの基地局１００、基地局１００によってサービスを受ける１つ又は複数の端末１０１、１つ又は複数の中継ノード（relay  transmission  reception  point,  rTRP）１１０、及びｒＴＲＰ１１０によってサービスを受ける１つ又は複数の端末１１１を含む。一般的に、基地局１００は、ドナー次世代ＮｏｄｅＢ（donor  next  generation  NodeB,  DgNB）と呼ばれ、ｒＴＲＰ１１０は、ワイヤレスバックホールリンク１１３を介して基地局１００に接続される。本願では、端末は、ターミネーションとも呼ばれ、ドナー次世代ＮｏｄｅＢは、ドナーノード、すなわちＤｏｎｏｒノードとも呼ばれる。基地局には、進化型ノードＢ（evolved  node  base,  eNB）、無線ネットワークコントローラ（radio  network  controller,  RNC）、ノードＢ（NodeB,  NB）、基地局コントローラ（base  station  controller,  BSC）、ベーストランシーバ基地局（base  transceiver  station,  BTS）、ホームノードＢ（例えば、ホーム進化型ノードＢ又はホームＮｏｄｅＢ、ＨＮＢ）、ベースバンドユニット（baseband  unit,  BBU）、次世代の新しい無線ノードＢ（例えば、ｇＮＢ）等が含まれるが、これらに限定されない。
【００３１】
統合アクセス及びバックホールシステムは、ｒＴＲＰ１２０及びｒＴＲＰ１３０等の複数の他の中継ノードをさらに含み得る。ｒＴＲＰ１２０は、ネットワークにアクセスするために、ワイヤレスバックホールリンク１２３を介して中継ノードｒＴＲＰ１１０に接続され、ｒＴＲＰ１３０は、ネットワークにアクセスするために、ワイヤレスバックホールリンク１３３を介して中継ノードｒＴＲＰ１１０に接続され、ｒＴＲＰ１２０は、１つ又は複数の端末１２１にサービスを提供し、ｒＴＲＰ１３０は、１つ又は複数の端末１３１にサービスを提供する。図１では、中継ノードｒＴＲＰ１１０及びｒＴＲＰ１２０は両方とも、ワイヤレスバックホールリンクを介してネットワークに接続される。本願では、ワイヤレスバックホールリンクを中継ノードの観点から説明する。例えば、ワイヤレスバックホールリンク１１３は、中継ノードｒＴＲＰ１１０のバックホールリンクであり、ワイヤレスバックホールリンク１２３は、中継ノードｒＴＲＰ１２０のバックホールリンクである。図１に示されるように、中継ノード１２０等の中継ノードは、ワイヤレスバックホールリンク１２３等のワイヤレスバックホールリンクを介して別の中継ノード１１０に接続されて、ネットワークに接続され得る。さらに、中継ノードは、マルチレベルワイヤレス中継ノードを使用してネットワークに接続され得る。
【００３２】
一般に、ワイヤレスバックホールリンクリソースを提供するノード、例えば中継ノード１１０は、中継ノード１２０の上位レベルノード（upper-level  node）と呼ばれ、中継ノード１２０は、中継ノード１１０の下位レベルノード（lower-level  node）と呼ばれる。一般に、下位レベルノードは、上位レベルノードの端末と見なすことができる。図１に示される統合アクセス及びバックホールシステムでは、１つの中継ノードが１つの上位レベルノードに接続されると理解すべきである。しかしながら、将来の中継システムでは、ワイヤレスバックホールリンクの信頼性を高めるために、複数の上位レベルノードが中継ノード１２０等の１つの中継ノードに同時にサービスを提供することができる。例えば、図のｒＴＲＰ１３０は、バックホールリンク１３４を介して中継ノードｒＴＲＰ１２０にも接続することができる。換言すると、ｒＴＲＰ１１０とｒＴＲＰ１２０との両方は、ｒＴＲＰ１３０の上位レベルノードである。本願では、端末１０１、１１１、１２１、及び３１１は、固定又はモバイル装置であり得る。例えば、モバイル装置は、携帯電話、インテリジェント端末、タブレットコンピュータ、ノートブックコンピュータ、ビデオゲームコンソール、マルチメディアプレーヤ、又はさらにモバイル中継ノードであり得る。固定装置は、通常、コンピュータ又はアクセスポイント（固定式中継ノード等のワイヤレスリンクを介してネットワークに接続される）等の固定位置に配置される。中継ノードｒＴＲＰ１１０、１２０、又は１３０の名前は、展開シナリオ又はネットワークを制限するものではなく、中継又はＲＮ等の他の名前であってもよい。本願でのｒＴＲＰの使用は、説明を容易にするための要件に過ぎない。
【００３３】
１つ又は複数の中継ノードｒＴＲＰ１１０は、ＩＡＢノードとも呼ばれ得る。各ＩＡＢノードには、２つの機能エンティティ：分散ユニット（Distributed  Unit,  DU）及びモバイルターミネーション（Mobile  Termination）が含まれる。ＵＥの機能と同様に、機能エンティティＭＴは、上位レベルノード（ドナーノード又はＩＡＢノード）からダウンリンクデータを受信するか、又はアップリンクデータを上位レベルノードに送信する。基地局の機能と同様に、機能エンティティＤＵは、ダウンリンクデータを下位レベルノード（ＩＡＢノード又はモバイルターミネーション）に送信するか、又は下位レベルノードによって送信されたアップリンクデータを受信する。例えば、図２に提供されるＩＡＢシステムの場合に、ＩＡＢシステムは、１つのドナーノード及び３つのＩＡＢノード（ＩＡＢノード１、ＩＡＢノード２、及びＩＡＢノード３）を含む。ＩＡＢノード２及びＩＡＢノード３は、ドナーノードに直接接続され、ＩＡＢノード１は、ＩＡＢノード３のサブノードであり、ドナーノード及び各ＩＡＢノードは、１つ又は複数のユーザＵＥノード、例えば、ＵＥ１、ＵＥ２、ＵＥ３、及びＵＥ４に別々にサービスを提供する。
【００３４】
図１では、無線リンク１０２、１１２、１２２、１３２、１１３、１２３、１３３、及び１３４は、アップリンク及びダウンリンク送信リンクを含む双方向リンクであり得る。特に、無線バックホールリンク１１３、１２３、１３３、及び１３４は、下位レベルノードにサービスを提供するために、上位レベルノードによって使用され得る。例えば、上位レベルノード１００は、下位レベルノード１１０にワイヤレスバックホールサービスを提供する。バックホールリンクのアップリンク及びダウンリンクは、分離され得る、すなわち、アップリンク及びダウンリンクでの送信は同じノードを使用して実行されないことを理解されたい。ダウンリンク送信とは、ノード１００等の上位レベルノードが情報又はデータをノード１１０等の下位レベルノードに送信することを意味し、アップリンク送信とは、ノード１１０等の下位レベルノードが情報又はデータをノード１００等の上位レベルノードに送信することを意味する。ノードは、ネットワークノード又は端末に限定されない。例えば、Ｄ２Ｄシナリオでは、端末が中継ノードとして別の端末にサービスを提供することができる。いくつかのシナリオでは、ワイヤレスバックホールリンクは、代替的にアクセスリンクになり得る。例えば、バックホールリンク１２３は、ノード１１０のアクセスリンクと見なすこともでき、バックホールリンク１１３は、ノード１００のアクセスリンクでもある。上位レベルノードは、基地局又は中継ノードであってもよく、下位レベルノードは、中継ノードであってもよく、又は中継機能を有する端末であってもよいことことを理解されたい。例えば、Ｄ２Ｄシナリオでは、下位レベルノードは代替的に端末であってもよい。
【００３５】
図１では、ドナーノードは、ノードを使用してコアネットワークにアクセスできるノード、又は無線アクセスネットワーク内のアンカー基地局であり、ネットワークへのアクセスは、アンカー基地局を使用して実施することができる。アンカー基地局は、パケットデータコンバージェンスプロトコル（packet  data  convergence  protocol,  PDCP）層でのデータ処理を担当するか、又はコアネットワークからデータを受信してデータを中継ノードに転送するか、又は中継ノードからデータを受信してデータをコアネットワークに転送することを担当する。
【００３６】
中継ノードが半二重通信（half  duplex）制約下にあるとき、ワイヤレスバックホールリンクのスペクトルリソース及びインバンド中継のアクセスリンクがオーバーラップし、すなわち、バックホールリンク及びインバンド中継のアクセスリンクが同じ周波数帯域を有する。例えば、基地局のダウンリンクワイヤレスバックホールリンクで受信を行う場合に、ｒＴＲＰは下位端末又は装置への送信を行えず、バックホールリンク上で上位レベルノードへのアップリンク送信を行う場合に、ｒＴＲＰは、下位端末又は装置による下位レベルノードのアップリンクアクセスリンク又はバックホールリンクでの送信を受信できない。インバンド中継の半二重通信制約は、周波数内の同時送受信の半二重通信制約であり、システムで使用される時分割複信（Time  Division  Duplexing,  TDD）又は周波数分割複信（Frequency  Division  Duplexing,  TDD）とは無関係であることを理解されたい。
【００３７】
いくつかの一般的な技術用語は、以下のように規定される。
【００３８】
アクセスリンク：アクセスリンクは、ノードが、ノードの下位レベルノードと通信するために使用する無線リンクであり、アップリンク送信及びダウンリンク送信のためのリンクを含む。アクセスリンクでのアップリンク送信は、アクセスリンクのアップリンク送信とも呼ばれ、アクセスリンクでのダウンリンク送信は、アクセスリンクのダウンリンク送信とも呼ばれる。ノードには、上記のＩＡＢノードが含まれるが、これに限定されない。
【００３９】
バックホールリンク：バックホールリンクは、ノードが、ノードの上位レベルノードと通信するために使用する無線リンクであり、アップリンク送信及びダウンリンク送信のためのリンクを含む。バックホールリンクでのアップリンク送信は、バックホールリンクのアップリンク送信とも呼ばれ、バックホールリンクでのダウンリンク送信は、バックホールリンクのダウンリンク送信とも呼ばれる。ノードには、上記のＩＡＢノードが含まれるが、これに限定されない。
【００４０】
ビーム（beam）は、空間リソースとして理解され得、エネルギー伝達指向性を有する送信又は受信プリコーディングベクトルであり得る。さらに、送信又は受信プリコーディングベクトルは、インデックス情報を使用して識別できる。エネルギー伝達指向性は、プリコーディングベクトルを使用して、送信する必要のある信号に対してプリコーディング処理を行い、それによって、プリコーディング処理を行った後に得られる信号は特定の空間指向性を有していること、及びプリコーディングベクトルを使用してプリコーディング処理を行った後に得られる受信信号は、受信電力が比較的良好になる、例えば、受信した復調信号対雑音比を満たすことを意味する。エネルギー伝達指向性は、異なる空間位置から送信され、且つプリコーディングベクトルを使用して受信された同じ信号が異なる受信電力を有することを意味する場合もある。オプションで、端末装置又はネットワーク装置等の同じ通信装置は、異なるプリコーディングベクトルを有してもよく、異なる通信装置は、異なるプリコーディングベクトルを有してもよく、すなわち、異なるビームに対応することができる。
【００４１】
通信装置の構成又は機能のために、１つの通信装置は、複数の異なるプリコーディングベクトルのうちの１つ又は複数を同時に使用することができ、すなわち、１つ又は複数のビームを同時に形成することができる。ビーム情報は、インデックス情報を使用して識別できる。オプションで、インデックス情報は、端末装置の構成されたリソース識別子（identity,  ID）に対応し得る。例えば、インデックス情報は、構成されたチャネル状態情報−参照信号（Channel  status  information  Reference  Signal,  CSI-RS）のＩＤ、つまりインデックス（index）又はリソースに対応し得、構成されたアップリンクサウンディング参照信号（Sounding  Reference  Signal,  SRS）のＩＤ又はリソースに対応し得る。あるいはまた、オプションで、インデックス情報は、ビームで伝送される（carried）チャネル又は信号によって明示的又は暗黙的に伝送されるインデックス情報であり得る。例えば、インデックス情報は、ビームに関するものであり且つビームを使用して送信される同期信号又はブロードキャストチャネルによって示されるインデックス情報を含み得るが、これに限定されない。リソースは、時間ドメイン、周波数ドメイン、又はコードドメイン（シーケンス）の少なくとも１つであり得る。
【００４２】
本明細書における「及び／又は」という用語は、関連するオブジェクトを説明するための関連関係のみを説明し、３つの関係が存在し得ることを表すことを理解されたい。例えば、Ａ及び／又はＢは、次の３つのケースを表し得る：Ａのみが存在し、ＡとＢとの両方が存在し、Ｂのみが存在する。
【００４３】
さらに、５Ｇ  ＮＲは、高周波帯域をサポートし、大規模アンテナ技術（Massive  MIMO）を使用するので、信号のエネルギーを、特定の方向に集中的に送信することができる。このようにして、ＩＡＢ装置は、複数の方向に送信された信号を同時に受信することができる。図２に示されるように、以下では、ＩＡＢにおける空間分割送信におけるシステム構成のいくつかの概略図についてさらに説明する。
【００４４】
図２に示されるように、ＩＡＢシステムは、ＩＡＢ装置（例えば、ＩＡＢノード１、ＩＡＢノード２、及びＩＡＢノード３）、並びに各ＩＡＢ装置によってサービス提供を受ける端末装置ＵＥ及びドナーノードを含む。ドナーノードは、ＩＡＢノード２の上位レベルノード又は親ノードであり、ＩＡＢノード２は、ドナーノードとの信号送信を行い、ＵＥ２にサービスを提供することができる。同様に、ＩＡＢノード１の上位レベルノードはＩＡＢノード３であり、ＩＡＢノード１は、ＩＡＢノード３との信号送信を行い、ＵＥ１にサービスを提供する。
【００４５】
図２のシナリオに基づいて、以下では、図３を使用して様々なアプリケーションシナリオにおける干渉測定について具体的に説明する。
【００４６】
図３において、シナリオ１、すなわちケース１では、ＩＡＢノード１は、ＭＴを使用して、ドナーノードによって送信された信号を受信し、ＩＡＢノード２は、ＭＴを使用してデータをＩＡＢノード３に送信する。この場合に、ダウンリンク信号を受信するときに、ＩＡＢノード１のＭＴは、ＩＡＢノード２のＭＴによって送信されたアップリンク信号によって干渉を受ける。ここで、干渉源はＩＡＢノード２であり、干渉を受ける被干渉ノードはＩＡＢノード１である。クロスリンク干渉ＣＬＩは、ＩＡＢノード２のＭＴからＩＡＢノード１のＭＴへの干渉である。
【００４７】
図３において、シナリオ２、すなわちケース２では、ＩＡＢノード１は、ＭＴを使用して、ドナーノードによって送信された信号を受信し、ＩＡＢノード２は、ＤＵを使用して信号をＵＥに送信する。この場合に、ダウンリンク信号を受信するときに、ＩＡＢノード１のＭＴは、ＩＡＢノード２のＤＵによって送信されたダウンリンク信号によって干渉を受ける。ここで、干渉源はＩＡＢノード２のＤＵであり、干渉を受ける被干渉ノードはＩＡＢノード１のＭＴである。クロスリンク干渉は、ＩＡＢノード２のＤＵからＩＡＢノード１のＭＴへの干渉である。
【００４８】
図３において、シナリオ３、すなわちケース３では、ＩＡＢノード１は、ＤＵを使用して、ＵＥによって送信された信号を受信し、ＩＡＢノード２は、ＭＴを使用して、信号をＩＡＢノード３に送信する。この場合に、アップリンク信号を受信するときに、ＩＡＢノード１のＤＵは、ＩＡＢノード２のＭＴによって送信されたアップリンク信号によって干渉を受ける。ここで、干渉源はＩＡＢノード２のＭＴであり、干渉を受ける被干渉ノードはＩＡＢノード１のＤＵである。クロスリンク干渉は、ＩＡＢノード２のＭＴからＩＡＢノード１のＤＵへの干渉である。
【００４９】
図３において、シナリオ４、すなわちケース４では、ＩＡＢノード１は、ＤＵを使用して、ＵＥによって送信された信号を受信し、ＩＡＢノード３は、ＤＵを使用して、信号をＩＡＢノード２に送信する。この場合に、アップリンク信号を受信するときに、ＩＡＢノード１のＤＵは、ＩＡＢノード３のＤＵによって送信されたダウンリンク信号によって干渉を受ける。ここで、干渉源はＩＡＢノード３のＤＵであり、干渉を受ける被干渉ノードはＩＡＢノード１のＤＵである。クロスリンク干渉ＣＬＩは、ＩＡＢノード３のＤＵからＩＡＢノード１のＤＵへの干渉である。
【００５０】
実施形態１
図４ａは、本願の一実施形態による干渉測定方法のフローチャートである。以下では、図５に示されるＩＡＢネットワークアーキテクチャを例として使用して、干渉測定方法について詳細に説明する。前述の適用シナリオは、以下の干渉測定方法に適用することができる。
【００５１】
図５において、ＩＡＢノード１は、ＭＴを使用して、ＩＡＢノード３のＤＵによって送信された信号を受信し、ＩＡＢノード２は、ＭＴを使用して、データをドナーノードに送信する。この場合に、ダウンリンク信号を受信するときに、ＩＡＢノード１のＭＴは、ＩＡＢノード２のＭＴによって送信されたアップリンク信号によって干渉を受ける。ここで、干渉源はＩＡＢノード２であり、干渉を受ける被干渉ノードはＩＡＢノード１である。干渉は、具体的にはクロスリンク干渉ＣＬＩであり得、ＣＬＩは、ＩＡＢノード２のＭＴからＩＡＢノード１のＭＴへの干渉である。
【００５２】
図５に示されるように、ＩＡＢノード１のＭＴとＩＡＢノード２のＭＴとの間のクロスリンク干渉が、いくつかのスロットに存在し得る。従って、ＩＡＢノード１のＭＴとＩＡＢノード２のＭＴとの間のクロスリンク干渉を測定する必要がある。具体的な干渉測定方法は次の通りである。
【００５３】
Ｓ４００：第１のノードは、参照信号（reference  signal,  RS）構成メッセージを送信し、ここで、ＲＳ構成メッセージは、第２のノードの第２の機能エンティティの参照信号リソース指標情報を含み、第２の機能エンティティの参照信号リソース指標情報は、第２のノードの第１の機能エンティティの参照信号リソース識別子を含む。ＲＳ構成情報は、第２のノードの第２の機能エンティティによって送信される参照信号を構成するために使用され、第２のノードの第２の機能エンティティによって送信される参照信号は、干渉を測定するために使用され、干渉は、第２のノードの第１の機能エンティティから第３のノードの第１の機能エンティティへの干渉である。
【００５４】
第２のノードは干渉発生ノードであり、第３のノードは被干渉ノードである。第２のノードの第１の機能エンティティの参照信号リソース識別子は、参照信号リソースを示すために使用される。
【００５５】
図５に示されるＩＡＢネットワークにおいて、第１のノードはドナーノードであり、第２のノードはＩＡＢノード２等の干渉発生ノードであり、第３のノードはＩＡＢノード１等の被干渉ノードである。第２のノード及び第３のノードはそれぞれ第１の機能エンティティ及び第２の機能エンティティを含むことができる。第１の機能エンティティはＭＴであり、第２の機能エンティティはＤＵである。ここでは、第１の機能エンティティ及び第２の機能エンティティは、１つのモジュールに統合され得るか、又は独立して、異なるモジュールに分離され得る。第１の機能エンティティはＭＴ又はＤＵであり、第２の機能エンティティはＤＵ又はＭＴである。第１のノードは、代替的に、ＩＡＢノードであってもよい。
【００５６】
ＩＡＢノード２又はＩＡＢノード１の構成又は能力に基づいて、ＩＡＢノード２は、１つ又は複数のビームを同時に使用して信号を送信することができ、ＩＡＢノード１も、１つ又は複数のビームを同時に使用して信号を送信することができる。ビームは、参照信号リソース識別子によって示され得る。第２のノードの第１の機能エンティティの参照信号リソース識別子は、ＩＡＢノード２のＭＴの参照信号リソース識別子であり、参照信号を送信するために、ＩＡＢノード２のＭＴが使用する１つ又は複数の参照信号リソースを示すために使用される。１つ又は複数の参照信号リソースは、ＭＴの１つ又は複数の送信ビームに対応する。オプションで、第２のノードの第１の機能エンティティの参照信号リソース識別子は、ＩＡＢノードの参照信号の構成されたリソース識別子（identity,  ID）、例えば、チャネル状態情報−参照信号（Channel  status  information  Reference  Signal,  CSI-RS）のリソース識別子（ＣＳＩ−ＲＳ−ＲｅｓｏｕｒｃｅＩｄ）又はサウンディング参照信号（Sounding  Reference  Signal,  SRS）のリソース識別子（ＳＲＳ−ＲｅｓｏｕｒｃｅＩｄ）であり得る。
【００５７】
参照信号構成メッセージは、無線リソース制御（Radio  Resource  Control,  RRC）プロトコルメッセージで伝送され得るか、又はＦ１インターフェースを介したＦ１−ＡＰ（F1-application  protocol）プロトコルベースのメッセージ、例えばダウンリンク無線リソース制御転送メッセージ（ＤＬ  ＲＲＣ  ＴＲＡＮＳＦＥＲメッセージ）で伝送され得、ここで、Ｆ１インターフェースは、ＩＡＢノード２の分散ユニット（distributed  unit,  DU）とドナーノードの集中ユニット（central  unit,  CU）との間のＦ１インターフェースである、又は参照信号構成メッセージは、ＤＣＩ（Downlink  Control  Information）メッセージ又はＭＡＣ  ＣＥ（Media  Access  Control  control  element）で伝送され得る。
【００５８】
参照信号構成メッセージは、代替的に、ＲＲＣ、ＤＣＩ、又はＭＡＣ  ＣＥを使用して、ドナーノードによってＩＡＢノード２のＭＴに送信され得、次に、ＩＡＢノード２のＭＴは、内部シグナリングの相互作用によってＩＡＢノード２のＤＵに通知する。
【００５９】
参照信号構成メッセージを、定期的に送信してもよく、又は半静的に送信してもよい。
【００６０】
参照信号構成メッセージは、１つ又は複数の参照信号リソース指標情報を含み、各参照信号リソース指標情報は、参照信号リソース識別子を含む。
【００６１】
具体的には、参照信号リソース指標情報のフォーマットは次の通りである。
【００６２】
１．態様１：新しいタイプの参照信号リソース指標情報が規定され、指標情報の特定のフォーマットの例は次の通りである。
ＲＳ−Ｒｅｓｏｕｒｃｅ：：＝      ＳＥＱＵＥＮＣＥ｛
ＲＳ−ＲｅｓｏｕｒｃｅＩｄ
ｒｅｓｏｕｒｃｅＭａｐｐｉｎｇ
ｐｏｗｅｒｃｏｎｔｒｏｌ
ｐｅｒｉｏｄｉｃｉｔｙＡｎｄＯｆｆｓｅｔ．．．．．．｝
【００６３】
ＲＳ−Ｒｅｓｏｕｒｃｅは、参照信号リソース指標情報である。
【００６４】
ＲＳ−ＲｅｓｏｕｒｃｅＩｄは、参照信号リソース識別子であり、参照信号リソース識別子は、ＩＡＢノード２のＭＴに関するものであり且つ識別子に対応するビームを使用して参照信号を送信するように、ＩＡＢノード２のＤＵに指示することが理解され得る。
【００６５】
オプションで、参照信号リソース指標情報は、次のうちの１つ又は複数をさらに含み得る：
ｒｅｓｏｕｒｃｅＭａｐｐｉｎｇ：これは、干渉測定に使用される参照信号がマッピングされる時間周波数リソース位置を示す；
ｐｏｗｅｒｃｏｎｔｒｏｌ：参照信号の電力制御、ここで、参照信号の電力制御は、参照信号を送信するためにＩＡＢノード２のＤＵが使用する送信電力を示し、参照信号の送信電力は、ＩＡＢノード２のＭＴの送信電力として構成される；及び
ｐｅｒｉｏｄｉｃｉｔｙＡｎｄＯｆｆｓｅｔ：これは、干渉測定に使用される参照信号の送信周期性及び／又は各周期性のスロットオフセットを示す。
【００６６】
２．態様２：参照信号リソース指標情報は、統一したフォーマット、例えば既存のＣＳＩ−ＲＳ−Ｒｅｓｏｕｒｃｅメッセージフォーマットを使用し、ＣＳＩ−ＲＳ−Ｒｅｓｏｕｒｃｅメッセージが拡張される。
【００６７】
詳細は次の通りである。
【００６８】
ＣＳＩ−ＲＳリソース指標情報ＣＳＩ−ＲＳ−Ｒｅｓｏｕｒｃｅは、次のように示される。
ＣＳＩ−ＲＳ−Ｒｅｓｏｕｒｃｅ：：＝      ＳＥＱＵＥＮＣＥ｛
ＣＳＩ−ＲＳ−ＲｅｓｏｕｒｃｅＩｄ
ＳＲＳ−ＲｅｓｏｕｒｃｅＩｄ
ｒｅｓｏｕｒｃｅＭａｐｐｉｎｇ
ｐｏｗｅｒｃｏｎｔｒｏｌ
ｐｅｒｉｏｄｉｃｉｔｙＡｎｄＯｆｆｓｅｔ．．．｝
【００６９】
ＣＳＩ−ＲＳ−Ｒｅｓｏｕｒｃｅは、参照信号リソース指標情報である。
【００７０】
ＣＳＩ−ＲＳ−ＲｅｓｏｕｒｃｅＩｄは、ＣＳＩ測定に使用される共通の参照信号リソース識別子であり、ＤＵによって構成されたビームを使用してＣＳＩ測定に使用される参照信号を送信するように、ＩＡＢノード２のＤＵに指示するために使用される。
【００７１】
ＳＲＳ−ＲｅｓｏｕｒｃｅＩｄは、参照信号リソース識別子であり、参照信号リソース識別子は、ＩＡＢノード２のＭＴに関するものであり且つ識別子に対応するビームを使用して参照信号を送信するように、ＩＡＢノード２のＤＵに指示するために使用される。
【００７２】
ｒｅｓｏｕｒｃｅＭａｐｐｉｎｇは、参照信号がマッピングされる時間周波数リソース位置を示すために使用される。
【００７３】
ｐｏｗｅｒｃｏｎｔｒｏｌは、参照信号の電力制御であり、参照信号を送信するためにＩＡＢノード２のＤＵが使用する送信電力を示す。
【００７４】
ｐｅｒｉｏｄｉｃｉｔｙＡｎｄＯｆｆｓｅｔは、干渉測定に使用される参照信号の送信周期性及び／又は各周期性におけるスロットオフセットを示す。
【００７５】
ドナーノードが参照信号構成メッセージをＩＡＢノード２のＤＵに送信するときであって、ＩＡＢノード２のＤＵが参照信号構成メッセージに含まれるＳＲＳ−ＲｅｓｏｕｒｃｅＩｄを識別する場合に、現在の参照信号構成が干渉測定に使用され、特にクロスリンク干渉測定に使用されることが分かり得る。
【００７６】
ｐｏｗｅｒｃｏｎｔｒｏｌフィールドは、参照信号を送信するために使用される電力を示す。チャネル状態情報ＣＳＩ測定に使用される参照信号リソースが現在示されている場合に、フィールドはＣＳＩ−ＲＳの送信電力情報として設定される。クロスリンク干渉ＣＬＩ測定に使用される参照信号リソースが示されている場合に、フィールドはＳＲＳの送信電力情報として設定される。
【００７７】
具体的には、図５を例にとると、ステップＳ４００は、次のように理解され得る。
【００７８】
ＩＡＢノード１のＭＴがＩＡＢノード２のＭＴによって干渉を受けると、ドナーノードはＲＳ構成メッセージを生成する。ＲＳ構成メッセージは、ＩＡＢノード２のＤＵによって送信され且つ干渉測定に使用される参照信号を構成するために使用される。干渉測定に使用される参照信号は、ＩＡＢノード２のＭＴからの干渉を測定するためにＩＡＢノード１のＭＴによって使用され、ＲＳ構成メッセージには、ＩＡＢノード２のＤＵの｛３，４，５｝等の参照信号リソース識別子が含まれ、参照信号リソース識別子は、ＩＡＢノード２のＭＴのビームに対応する。
【００７９】
Ｓ４０２．第２のノードの第２の機能エンティティは、受信したＲＳ構成メッセージに基づいて、干渉測定に使用される参照信号を構成する。
【００８０】
図５に示されるように、ＩＡＢノード２のＤＵは、参照信号リソース識別子に基づいて対応するビームを選択して、参照信号を送信する。
【００８１】
参照信号リソース識別子と、信号を送信するために特に使用されるビームとの間の対応関係は、ＩＡＢノード２のＭＴについて既知である。しかしながら、ＩＡＢノード２では、ＤＵがＭＴと相互作用し得るため、ＤＵは、ＳＲＩ｛３，４，５｝に対応するＭＴのビーム、例えば、図５の影で識別される３つの物理ビームを識別することもできる。
【００８２】
例えば、ＩＡＢノード２のＭＴは、参照信号リソース識別子｛３，４，５｝に対応するビームセット｛ａ、ｂ、ｃ｝を使用して信号を送信する。ＩＡＢノード１のＭＴがＩＡＢノード２のＭＴに対して干渉測定を行うときに、ＩＡＢノード２のＤＵは、ＩＡＢノード２のＭＴと相互作用して、ＩＡＢノード２のＭＴに関するものであり且つ参照信号リソース識別子｛３，４，５｝に対応するビームセット｛ａ、ｂ、ｃ｝を取得し、ＩＡＢノード２のＤＵは、ビームセット｛ａ、ｂ、ｃ｝を使用して、干渉測定に使用される参照信号を送信する。
【００８３】
ＩＡＢノード２に関するものであるＭＴとＤＵとの間の相互作用は、ハードウェアモジュール同士の間の相互作用であり得るか、又はＭＴ及びＤＵが統合されるときにソフトウェアを使用して実現され得ることに留意されたい。さらに、構成メッセージ内の参照信号リソース指標情報は、ＩＡＢノード２のＤＵの参照信号がマッピングされる時間周波数リソース、ＩＡＢノード２のＤＵの参照信号の送信電力、又はＩＡＢノード２のＤＵの参照信号の送信周期性の１つ又は組合せをさらに含む。
【００８４】
ＩＡＢノード２のＤＵが、ＩＡＢノード２のＭＴの構成情報に基づいて、干渉測定に使用される参照信号を構成する必要があるため、参照信号は、ＩＡＢノード２のＭＴの代わりに、ＩＡＢノード２のＤＵによって送信されるので、ＩＡＢノード１は、干渉測定に使用される参照信号を正確に検出して干渉を測定し、干渉を排除することができ、それによりＩＡＢネットワークの性能が大幅に向上する。
【００８５】
Ｓ４０４．第２のノードの第２の機能エンティティは、干渉測定に使用される参照信号を送信する。
【００８６】
図５に示されるように、ＩＡＢノード２のＤＵは、ＲＳ構成メッセージ内の参照信号リソース識別子に対応する１つ又は複数のビームを使用して、干渉測定に使用される参照信号を送信し、それによって、ＩＡＢノード１のＭＴは干渉測定を行う。
【００８７】
さらに、ＩＡＢノード２のＤＵは、指定された時間周波数リソース上で、干渉測定に使用される参照信号をさらに送信することができる。定期的な測定を行う必要がある場合に、ＩＡＢノード２のＤＵは、さらに定期的に、参照信号を指定された送信周期で送信し、指定された送信電力を使用して参照信号を送信する。
【００８８】
参照信号は、同期信号ＳＳＢ、チャネル状態情報−参照信号ＣＳＩ−ＲＳ、復調参照信号ＤＭＲＳ、追跡参照信号ＴＲＳ、位相追跡参照信号ＰＴＲＳ、サウンディング参照信号ＳＲＳ、又は別のＲＳの１つ又は複数を含み得る。
【００８９】
Ｓ４０６．第１のノードは、第３のノードの第１の機能エンティティに対して干渉測定構成を行い、干渉測定構成メッセージを送信する。
【００９０】
ステップＳ４０４の後に実行されることに加えて、ステップＳ４０６は、干渉測定に使用される参照信号を送信するステップＳ４０４の前に実行され得る。
【００９１】
図５に示されるように、ドナーノードがＩＡＢノード１のＭＴに送信する干渉測定構成メッセージは、ＲＲＣ（Radio  Resource  Control、無線リソース制御）プロトコルに基づいて、ドナーノードによってＩＡＢノード１のＭＴに送信され得、ＲＲＣプロトコルの特定のメッセージで伝送される場合もあれば、又はＭＡＣ  ＣＥを使用して示される場合もある。
【００９２】
図５に示されるように、ＩＡＢノード１のＭＴに対する干渉測定構成を行う場合に、ドナーノードは、従来の測定構成方法を使用して、ＭＴに対する干渉測定構成を行う。すなわち、ＩＡＢノード１は、測定構成が干渉測定に使用されていることを認識しない。例えば、ドナーノードは、移動性測定に使用される従来の構成に基づいて構成を行うことができる。ＩＡＢノード１のＭＴに送信される干渉測定構成メッセージは、特定の参照信号リソース指標情報、例えば時間周波数リソース位置及び参照信号の周期性を含み、さらに、参照信号リソース識別子を含む。本明細書における参照信号リソース識別子の量、すなわち、測定する必要がある参照信号リソースの量は、ドナーノードがＩＡＢノード２のＤＵに送信する参照信号リソースの量と一致している。
【００９３】
Ｓ４０８．第３のノードの第１の機能エンティティは、ステップＳ４０６の測定構成に基づいて、第２のノードの第２の機能エンティティによって送信され且つ干渉測定に使用される参照信号を検出し、干渉測定を行う。
【００９４】
図５に示されるように、測定構成を受信した後に、ＩＡＢノード１のＭＴは、示されたリソース位置で、ＩＡＢノード２のＤＵによって送信され且つ干渉測定に使用される参照信号を検出する。
【００９５】
前述の実施形態１について、本発明のこの実施形態は、別の実施形態をさらに提供する。図４ｂに示されるように、前述のプロセスを、第２のノードを使用して簡単に説明する。
【００９６】
干渉測定方法が提供され、この方法は、統合アクセス及びバックホール（ＩＡＢ）ネットワークに適用される。ＩＡＢネットワークは少なくとも第１のノード及び第２のノードを含み、第２のノードは第１の機能エンティティ及び第２の機能エンティティを含む。この方法は、次のステップを含む。
【００９７】
Ｓ４００’．第２のノードの第２の機能エンティティは、参照信号構成メッセージを受信し、ここで、参照信号構成メッセージは、第２のノードの第２の機能エンティティの参照信号リソース指標情報を含み、第２の機能エンティティの参照信号リソース指標情報は、第２のノードの第１の機能エンティティの参照信号リソース識別子を含む。
【００９８】
さらに、参照信号リソース指標情報は、干渉測定に使用されるＲＳがマッピングされる時間周波数リソース位置、干渉測定に使用されるＲＳの電力制御、及び干渉測定に使用されるＲＳの送信周期性のうちの１つ又は任意の組合せをさらに含む。
【００９９】
Ｓ４０２’．第２のノードの第２の機能エンティティは、受信した参照信号構成メッセージ内の第２のノードの第１の機能エンティティの参照信号リソース識別子に基づいて、干渉測定に使用されるＲＳを送信する。
【０１００】
具体的には、第２のノードの第２の機能エンティティは、受信した参照信号構成メッセージ内の第２のノードの第１の機能エンティティの参照信号リソース識別子に基づいて、第２のノードの第１の機能エンティティの参照信号リソース識別子に対応する１つ又は複数のビームを決定し、
第２のノードの第２の機能エンティティは、決定した１つ又は複数のビームを使用して、干渉測定に使用されるＲＳを送信する。
【０１０１】
さらに、干渉測定に使用されるＲＳの電力制御は、第２のノードの第１の機能エンティティの送信電力である。
【０１０２】
さらに、ステップＳ４００’の前に、この方法は次のステップをさらに含む。
【０１０３】
第１のノードは、参照信号構成メッセージを生成する。
【０１０４】
前述の方法手順は、図４ａ、図４ｂ、及び図５に対応する実施形態の説明にも適用可能である。詳細については、対応する実施形態の特定の説明を参照されたい。詳細については、ここでは再び説明しない。
【０１０５】
本願は、干渉測定方法及び機器を提供する。干渉発生ノードの第２の機能エンティティは、干渉発生ノードの第１の機能エンティティの参照信号リソース識別子に対応する１つ又は複数のビームを使用して、干渉測定に使用されるＲＳを送信するので、干渉を受ける被干渉ノードは、干渉測定を迅速且つ正確に行うことができ、それによりクロスリンク信号送信の影響が大幅に軽減され、システムの送信性能が向上する。
【０１０６】
実施形態２：
図６に示されるように、本発明のこの実施形態は、別の実施形態をさらに提供する。
【０１０７】
図７のＩＡＢのネットワークアーキテクチャ図を、説明のための例として使用する。しかしながら、本願のこの実施形態は、図７に限定されず、前述の様々なネットワークアーキテクチャ図に適用することができる。
【０１０８】
図７において、ＩＡＢノード１は、ＭＴを使用して、ＩＡＢノード３のＤＵによって送信された信号を受信し、ＩＡＢノード２は、ＭＴを使用して、データをドナーノードに送信する。この場合に、ダウンリンク信号を受信するときに、ＩＡＢノード１のＭＴは、ＩＡＢノード２のＭＴによって送信されたアップリンク信号によって干渉を受ける。ここで、干渉源はＩＡＢノード２であり、干渉を受ける被干渉ノードはＩＡＢノード１である。干渉は、具体的にはクロスリンク干渉ＣＬＩであり得、ＣＬＩは、ＩＡＢノード２のＭＴからＩＡＢノード１のＭＴへの干渉である。
【０１０９】
図７に示されるように、ＩＡＢノード１のＭＴとＩＡＢノード２のＭＴとの間のクロスリンク干渉が、いくつかのスロットに存在し得る。従って、ＩＡＢノード１のＭＴとＩＡＢノード２のＭＴとの間のクロスリンク干渉を測定する必要がある。具体的な干渉測定方法は次の通りである。
【０１１０】
図７に示されるＩＡＢネットワークにおいて、第１のノードはドナーノードであり、第２のノードはＩＡＢノード２等の干渉発生ノードであり、第３のノードはＩＡＢノード１等の被干渉ノードである。第２のノード及び第３のノードはそれぞれ第１の機能エンティティ及び第２の機能エンティティを含むことができる。第１の機能エンティティはＭＴであり、第２の機能エンティティはＤＵである。ここでは、第１の機能エンティティ及び第２の機能エンティティは、１つのモジュールに統合され得るか、又は独立して、異なるモジュールに分離され得る。第１の機能エンティティはＭＴ又はＤＵであり、第２の機能エンティティはＤＵ又はＭＴである。第１のノードは、代替的に、ＩＡＢノードであってもよい。
【０１１１】
Ｓ６００．第１のノードは、干渉測定指標メッセージを送信し、干渉測定指標メッセージは、干渉測定に使用される参照信号構成メッセージを報告するように、第２のノードの第２の機能エンティティに指示するために使用される。
【０１１２】
図７に示されるように、ドナーノードは、干渉測定指標メッセージをＩＡＢノード２のＤＵに送信して、干渉測定に使用される参照信号構成情報を生成及び報告するようにＩＡＢノード２のＤＵに指示する。
【０１１３】
干渉測定指標メッセージは、無線リソース制御（Radio  Resource  Control,  RRC）プロトコルメッセージで伝送されるか、又はＦ１インターフェースを介してＦ１−ＡＰ（F1-application  protocol）プロトコルベースのメッセージ、例えばダウンリンク無線リソース制御転送メッセージ（ＤＬ  ＲＲＣ  ＴＲＡＮＳＦＥＲメッセージ）で伝送され得る。Ｆ１インターフェースは、ＩＡＢノード２の分散ユニット（distributed  unit,  DU）とドナーノードの集中ユニット（central  unit,  CU）との間のＦ１インターフェースである。
【０１１４】
干渉測定指標メッセージは、代替的に、ＲＲＣ、ＤＣＩ、又はＭＡＣ  ＣＥを使用して、ドナーノードによってＩＡＢノード２のＭＴに送信され得、次に、ＩＡＢノード２のＭＴは、内部シグナリング相互作用を介してＩＡＢノード２のＤＵに通知し、それによって、ＩＡＢノード２のＤＵは、干渉測定に使用される参照信号構成情報を生成して報告する。
【０１１５】
干渉測定指標メッセージの特定の実施態様は、次のいくつかの態様を含む。
【０１１６】
態様１：１ビットが指標に使用され、第２のノードの第２の機能エンティティがトリガーされて、干渉測定に使用される参照信号構成情報、例えばＣＬＩ−Ｍｅａｓ−Ｉｎｄｉｃａｔｏｒ（０又は１を指標に使用する）を生成及び報告する。
【０１１７】
態様２：干渉測定指標メッセージは、第２のノードの第２の機能エンティティによって送信され且つ干渉測定に使用される参照信号の送信スロット又は送信周期性の１つ又は組合せを含み、第２のノードの第２の機能エンティティは、前述のメッセージを使用してトリガーされ、干渉測定に使用される参照信号構成情報を生成及び報告する。例えば、これは、指標メッセージの次のメッセージフォーマットを使用して実施される。
ＣＬＩ−Ｍｅａｓ−Ｉｎｄｉｃａｔｏｒ：：＝ＳＥＱＵＥＮＣＥ｛
ｓｆｎＦｏｒＣｌｉＭｅａｓ  ＯＰＴＩＯＮＡＬ
ｐｅｒｉｏｄｉｃｉｔｙＡｎｄＯｆｆｓｅｔ
．．．｝
【０１１８】
ｓｆｎＦｏｒＣｌｉＭｅａｓは、干渉測定に使用される参照信号の送信スロットを示し、ｐｅｒｉｏｄｉｃｉｔｙＡｎｄＯｆｆｓｅｔは、干渉測定に使用される参照信号の送信周期性及び／又は各周期性におけるスロットオフセットを示す。
【０１１９】
態様３：態様３は、態様１を態様２と組み合わせることによって実施される。具体的には、第２のノードの第２の機能エンティティは、態様１を使用してトリガーされて、干渉測定に使用される参照信号構成情報を生成し、次に、第２のノードの第２の機能エンティティによって送信され且つ干渉測定に使用される参照信号の送信スロット又は送信周期性は、態様２を使用して示される。
【０１２０】
Ｓ６０２．第２のノードの第２の機能エンティティは、干渉測定に使用される参照信号構成メッセージを報告し、ここで、参照信号構成メッセージは、第２のノードの第２の機能エンティティの参照信号リソース指標情報を含み、第２の機能エンティティの参照信号リソース指標情報は、第２のノードの第２の機能エンティティの参照信号リソース識別子を含む。
【０１２１】
具体的には、第２のノードの第２の機能エンティティは、第２の機能エンティティの参照信号リソース指標情報を生成し、ここで、第２の機能エンティティの参照信号リソース指標情報は、第２のノードの第２の機能エンティティの参照信号リソース識別子を含む。
【０１２２】
第２のノードの第２の機能エンティティの参照信号リソース識別子は、第２のノードの第１の機能エンティティの送信ビームに基づいて、第２のノードの第２の機能エンティティによって取得される。
【０１２３】
さらに、参照信号の送信電力を構成するときに、第２のノードの第２の機能エンティティは、第２のノードの第１の機能エンティティの送信電力を、第２のノードの第２の機能エンティティの参照信号の送信電力として使用し、参照信号によって使用される時間周波数リソース及び参照信号の送信周期性を構成する。第２のノードの第２の機能エンティティは、送信電力、時間周波数リソース、及び送信周期性を参照信号リソース指標情報に追加し、干渉測定に使用される参照信号構成メッセージを使用して、参照信号リソース指標情報を第１のノードに報告する。
【０１２４】
図７に示されるように、参照信号リソース指標情報の特定のフォーマットは次の通りである。
【０１２５】
新しいタイプの参照信号リソース指標情報が規定され、指標情報の特定のフォーマットの例は次の通りである。
ＲＳ−Ｒｅｓｏｕｒｃｅ：：＝      ＳＥＱＵＥＮＣＥ｛
ＲＳ−ＲｅｓｏｕｒｃｅＩｄ
ｒｅｓｏｕｒｃｅＭａｐｐｉｎｇ
ｐｏｗｅｒｃｏｎｔｒｏｌ
ｐｅｒｉｏｄｉｃｉｔｙＡｎｄＯｆｆｓｅｔ
．．．｝
【０１２６】
ＲＳ−Ｒｅｓｏｕｒｃｅは、参照信号リソース指標情報である。
【０１２７】
ＲＳ−ＲｅｓｏｕｒｃｅＩｄは、参照信号リソース識別子である。
【０１２８】
オプションで、参照信号リソース指標情報は、次のうちの１つ又は複数をさらに含み得る：
ｒｅｓｏｕｒｃｅＭａｐｐｉｎｇ：これは、参照信号がマッピングされる時間周波数リソース位置を示す；
ｐｏｗｅｒｃｏｎｔｒｏｌ：参照信号の電力制御、ここで、電力制御は、参照信号を送信するためにＩＡＢノード２のＤＵが使用する送信電力を示し、参照信号の送信電力は、ＩＡＢノード２のＭＴの送信電力として構成される；及び
ｐｅｒｉｏｄｉｃｉｔｙＡｎｄＯｆｆｓｅｔ：これは、干渉測定に使用される参照信号の送信周期性及び／又は各周期性のスロットオフセットを示す。
【０１２９】
上記の送信電力及び時間周波数リソースが第１のノードによって構成される場合に、図４ａ、図４ｂ、及び図５に提供される第２のノードの第２の機能エンティティへの参照信号構成メッセージの配信を参照されたい。あるいはまた、送信電力及び時間周波数リソースは、別のメッセージを使用して、第２のノードの第２の機能エンティティに送信され得る。
【０１３０】
具体的には、第２のノードの第１の機能エンティティの送信ビーム及び第２のノードの第１の機能エンティティの送信電力を取得するプロセスは、次の通りである。
【０１３１】
図７に示されるように、ＩＡＢノード２のＤＵは、ＩＡＢノード２のＭＴと情報を交換することにより、ＩＡＢノード２のＭＴの送信ビーム及び送信電力を取得し、ＩＡＢノード２のＤＵは、取得したＭＴの送信ビームに基づいて、参照信号リソース識別子を生成する。
【０１３２】
ここでの送信ビーム情報は、ＳＲＳを最後に送信するためにＭＴによって使用されるビーム又はビームセットであり得るか、又はドナーノードによって構成され且つＩＡＢノード２のＭＴによって最後に受信されるＳＲＩに対応するビーム又はビームセットであり得、これらのビームのそれぞれが１つのＳＲＩに対応する。
【０１３３】
ＩＡＢノード２のＤＵは、ＩＡＢノード２のＭＴの送信ビーム及び送信電力を使用して、干渉測定に使用される参照信号を送信する。
【０１３４】
ＩＡＢノード２のＤＵによって生成され且つ干渉測定に使用される参照信号構成メッセージは、１つ又は複数の参照信号リソース指標情報を含み、各参照信号リソース指標情報は、１つの送信ビームに対応する。例えば、ＭＴがＤＵに１６個のビームを通知すると、ＤＵは１６個の参照リソース指標情報を生成し、１６個の参照リソース指標情報は参照信号構成メッセージに含められる。
【０１３５】
さらに、ＩＡＢノード２のＤＵによって生成されてドナーノードに送信され、且つ干渉測定に使用される参照信号構成メッセージは、無線リソース制御（Radio  Resource  Control,  RRC）プロトコルメッセージで伝送されるか、又はＦ１インターフェースを介してＦ１−ＡＰ（F1-application  protocol）プロトコルベースのメッセージで伝送され得る。Ｆ１インターフェースは、ＩＡＢノード２の分散ユニット（distributed  unit,  DU）とドナーノードの集中ユニット（central  unit,  CU）との間のＦ１インターフェースである。
【０１３６】
Ｓ６０４．第２のノードの第２の機能エンティティは、干渉測定に使用される参照信号構成メッセージに基づいて、干渉測定に使用される参照信号を送信する。
【０１３７】
図７に示されるように、ＩＡＢノード２のＤＵは、ＩＡＢノード２のＭＴの取得した送信ビーム上で参照信号を送信する。
【０１３８】
さらに、ＩＡＢノード２のＤＵは、ＤＵによって構成された時間周波数リソース又は指定された時間周波数リソース上で、干渉測定に使用される参照信号を送信する。定期的な測定を行う必要がある場合に、ＩＡＢノード２のＤＵは、さらに定期的に、ＤＵによって構成された送信周期又は指定された送信周期で参照信号を送信し、指定された送信電力又はＤＵによって構成された送信電力を使用して参照信号を送信する。
【０１３９】
参照信号は、同期信号ＳＳＢ（ＳＳ／ＰＢＣＨブロック）、チャネル状態情報−参照信号ＣＳＩ−ＲＳ、復調参照信号ＤＭＲＳ（Demodulation  Reference  Signal）、追跡参照信号ＴＲＳ（Tracking  Reference  Signal）、位相追跡参照信号ＰＴＲＳ（Phase  Tracking  Reference  Signal）、サウンディング参照信号ＳＲＳ、又は別の参照信号ＲＳの１つ又は複数を含み得る。
【０１４０】
Ｓ６０６．第１のノードは、干渉測定に使用される参照信号構成メッセージに基づいて、第３のノードの第１の機能エンティティに対して干渉測定構成を行い、干渉測定構成メッセージを第３のノードの第１の機能エンティティに送信する。
【０１４１】
Ｓ６０６の特定の測定構成プロセスについては、図４ａ、図４ｂ、及び図５に対応するステップＳ４０６の説明を参照されたい。詳細については、ここでは再び説明しない。
【０１４２】
Ｓ６０８．第３のノードの第１の機能エンティティは、干渉測定構成に基づいて、第２のノードの第２の機能エンティティによって送信され且つ干渉測定に使用される参照信号を検出し、干渉測定を行う。
【０１４３】
図７に示されるように、測定構成を受信した後に、ＩＡＢノード１のＭＴは、示されたリソース位置で、ＩＡＢノード２のＤＵによって送信され且つ干渉測定に使用される参照信号を検出する。
【０１４４】
本願は、干渉測定方法及び機器を提供する。干渉発生ノードの第２の機能エンティティは、干渉発生ノードの第１の機能エンティティの参照信号リソース識別子に対応する１つ又は複数のビームを使用して、干渉測定に使用される参照信号を送信するので、干渉を受ける被干渉ノードは、干渉測定を迅速且つ正確に行うことができ、それによりクロスリンク信号送信の影響が大幅に軽減され、システムの送信性能が向上する。
【０１４５】
実施形態３：
図８ａに示されるように、本発明のこの実施形態は、別の実施形態をさらに提供する。
【０１４６】
図９のＩＡＢのネットワークアーキテクチャ図を、説明のための例として使用する。しかしながら、本願のこの実施形態は、図９に限定されず、前述の様々なネットワークアーキテクチャ図に適用することができる。
【０１４７】
図９において、ＩＡＢノード１は、ＤＵによって、下位レベルのＩＡＢノード又は端末装置によって送信された信号を受信し、ＩＡＢノード２は、ＤＵによって、データを下位レベルのＩＡＢノード又は端末装置に送信する。この場合に、アップリンク信号を受信するときに、ＩＡＢノード１のＤＵは、ＩＡＢノード２のＤＵによって送信されたダウンリンク信号によって干渉を受ける。ここで、干渉源はＩＡＢノード２のＤＵであり、干渉を受ける被干渉ノードはＩＡＢノード１のＤＵである。干渉はクロスリンク干渉ＣＬＩであり得、ＣＬＩは、ＩＡＢノード２のＤＵからＩＡＢノード１のＤＵへの干渉である。
【０１４８】
図９に示されるように、ＩＡＢノード１のＤＵとＩＡＢノード２のＤＵとの間のクロスリンク干渉が、いくつかのスロットに存在し得る。従って、ＩＡＢノード１のＤＵとＩＡＢノード２のＤＵとの間のクロスリンク干渉を測定する必要がある。具体的な干渉測定方法は次の通りである。
【０１４９】
Ｓ８００．第１のノードは、ＲＳ構成メッセージを第２のノードの第２の機能エンティティに送信し、ここで、ＲＳ構成メッセージは、第２のノードの第２の機能エンティティの参照信号リソース指標情報を含み、第２のノードの第２の機能エンティティの参照信号リソース指標情報には、
第２の機能エンティティの参照信号リソース識別子、第２の機能エンティティの参照信号の送信電力、第２の機能エンティティの参照信号がマッピングされる時間周波数リソース、及び第２の機能エンティティの参照信号の送信期間のうちの１つ又は組合せが含まれる。
【０１５０】
参照信号リソース指標情報は、統一したフォーマット、例えば既存のＣＳＩ-ＲＳリソース情報フォーマットを使用する。
【０１５１】
詳細は次の通りである。
【０１５２】
ＣＳＩ−ＲＳリソース指標情報ＣＳＩ−ＲＳ−Ｒｅｓｏｕｒｃｅは、次のように示される。
ＣＳＩ−ＲＳ−Ｒｅｓｏｕｒｃｅ：：＝      ＳＥＱＵＥＮＣＥ｛
ＣＳＩ−ＲＳ−ＲｅｓｏｕｒｃｅＩｄ
ｒｅｓｏｕｒｃｅＭａｐｐｉｎｇ
ｐｏｗｅｒｃｏｎｔｒｏｌ
ｐｅｒｉｏｄｉｃｉｔｙＡｎｄＯｆｆｓｅｔ
．．．｝
【０１５３】
ＣＳＩ−ＲＳ−Ｒｅｓｏｕｒｃｅは、参照信号リソース指標情報である。
【０１５４】
ＣＳＩ−ＲＳ−ＲｅｓｏｕｒｃｅＩｄは、ＣＳＩ測定に使用される共通の参照信号リソース識別子であり、ＤＵによって構成されたビームを使用してＣＳＩ測定に使用される参照信号を送信するように、ＩＡＢノード２のＤＵに指示するために使用される。
【０１５５】
ｒｅｓｏｕｒｃｅＭａｐｐｉｎｇは、参照信号がマッピングされる時間周波数リソース位置を示す。
【０１５６】
ｐｏｗｅｒｃｏｎｔｒｏｌは、参照信号の電力制御であり、参照信号の電力制御は、参照信号を送信するためにＩＡＢノード２のＤＵが使用する送信電力を示す。
【０１５７】
ｐｅｒｉｏｄｉｃｉｔｙＡｎｄＯｆｆｓｅｔは、干渉測定に使用される参照信号の送信周期性及び／又は各周期性におけるスロットオフセットを示す。
【０１５８】
ＲＳ構成メッセージは、無線リソース制御（Radio  Resource  Control,  RRC）プロトコルメッセージで伝送されるか、又はＦ１インターフェースを介してＦ１−ＡＰ（F1-application  protocol）プロトコルベースのメッセージ、例えばダウンリンク無線リソース制御転送メッセージ（ＤＬ  ＲＲＣ  ＴＲＡＮＳＦＥＲメッセージ）で伝送され得る。Ｆ１インターフェースは、ＩＡＢノード２の分散ユニット（distributed  unit,  DU）とドナーノードの集中ユニット（central  unit,  CU）との間のＦ１インターフェースである。
【０１５９】
参照信号構成メッセージを、定期的に送信してもよく、又は半静的に送信してもよい。
【０１６０】
Ｓ８０２．第１のノードは、干渉測定構成メッセージを第３のノードの第１の機能エンティティに送信し、ここで、干渉測定構成メッセージは、第２のノードの第２の機能エンティティの参照信号リソース指標情報及び／又は干渉測定タイプ指標情報を含み、干渉測定タイプ指標情報は、第３のノードの第２の機能エンティティの受信ビームを使用して干渉測定を行うように、第３のノードの第１の機能エンティティに指示するために使用される。
【０１６１】
第２のノードの第２の機能エンティティの参照信号リソース指標情報のフォーマット及びコンテンツについては、ステップＳ８００の特定の説明を参照されたい。ＤＵｔｏＤＵ−Ｍｅａｓ−Ｔｙｐｅ等の干渉測定タイプ指標情報は、Ｓ８００において、第２のノードの第２の機能エンティティの参照信号リソース指標情報のフォーマットを拡張することにより、参照信号リソース指標情報の前述のフォーマットの予約フィールドに追加することができる、又はＤＵｔｏＤＵ−Ｍｅａｓ−Ｔｙｐｅ等の干渉測定タイプ指標情報は、ＲＳ構成メッセージの予約フィールドに配置できる。
【０１６２】
第１のノードが第３のノードの第１の機能エンティティに送信する干渉測定構成メッセージは、ＲＲＣ（Radio  Resource  Control、無線リソース制御）プロトコルに基づいて、第１のノードによって第３のノードの第１の機能エンティティに送信され得、ＲＲＣプロトコルの特定のメッセージで伝送される場合もあれば、又はＭＡＣ  ＣＥを使用して示される場合もある。
【０１６３】
図９に示されるように、前述の説明は、次のように理解され得る。ドナーノードがＩＡＢノード１のＭＴに送信する干渉測定に使用される構成は、ＲＲＣ（Radio  Resource  Control、無線リソース制御）プロトコルに基づいて、ドナーノードによってＩＡＢノード１のＭＴに送信され得、ＲＲＣプロトコルの特定のメッセージで伝送される場合もあれば、又はＭＡＣ  ＣＥを使用して示される場合もある。
【０１６４】
Ｓ８０４．第２のノードの第２の機能エンティティは、第１のノードの参照信号構成メッセージに基づいて、干渉測定に使用される参照信号を送信する。
【０１６５】
図９に示されるように、ＩＡＢノード２のＤＵは、ＤＵの送信ビームを使用して、参照信号を送信する。
【０１６６】
さらに、ＩＡＢノード２のＤＵは、指定された時間周波数リソース上で、干渉測定に使用される参照信号を送信する。定期的な測定を行う必要がある場合に、ＩＡＢノード２のＤＵは、さらに定期的に、参照信号を指定された送信周期で送信し、指定された送信電力を使用して参照信号を送信する。
【０１６７】
参照信号は、同期信号ＳＳＢ、チャネル状態情報−参照信号ＣＳＩ−ＲＳ、復調参照信号ＤＭＲＳ、追跡参照信号ＴＲＳ、位相追跡参照信号ＰＴＲＳ、サウンディング参照信号ＳＲＳ、又は別のＲＳの１つ又は複数を含み得る。
【０１６８】
Ｓ８０６．第３のノードの第１の機能エンティティは、干渉測定構成における干渉測定タイプ指標に従って、第２のノードの第２の機能エンティティによって送信され且つ干渉測定に使用される参照信号を検出し、干渉測定を行う。
【０１６９】
図７に示されるように、ＩＡＢノード１のＭＴは、干渉測定タイプ指標に従ってＩＡＢノード１のＤＵの受信ビームを使用して、ＩＡＢノード２のＤＵによって送信された参照信号を検出し、干渉測定を行う。
【０１７０】
さらに、ＩＡＢノード１のＭＴは、干渉構成で示された時間周波数リソース及び周期性に基づいて、ＩＡＢノード２のＤＵによって送信され且つ干渉測定に使用される参照信号をさらに検出することができる。
【０１７１】
前述の実施形態３に基づいて、本発明のこの実施形態は、別の実施形態をさらに提供する。図８ｂに示されるように、前述のプロセスを、第３のノードを使用して簡単に説明する。
【０１７２】
干渉測定方法が提供され、この方法は、統合アクセス及びバックホール（ＩＡＢ）ネットワークに適用される。ＩＡＢネットワークは少なくとも第１のノード、第２のノード、及び第３のノードを含み、第２のノード及び第３のノードはそれぞれ第１の機能エンティティ及び第２の機能エンティティを含む。この方法は、次のステップを含む。
【０１７３】
Ｓ８００’．第３のノードの第１の機能エンティティは、干渉測定構成メッセージを受信し、ここで、干渉測定構成メッセージは干渉測定タイプ指標情報を含み、干渉測定タイプ指標情報は、第３のノードの第２の機能エンティティの受信ビームを使用して干渉測定を行うように、第３のノードの第１の機能エンティティに指示するために使用される。Ｓ８０２’．第３のノードの第１の機能エンティティは、干渉測定構成における干渉測定タイプ指標に従って、参照信号を検出するために使用される受信ビームが、第３のノードの第２の機能エンティティの受信ビームであると決定する。
【０１７４】
Ｓ８０４’．第３のノードの第１の機能エンティティは、決定した受信ビームを使用して、干渉測定に使用される参照信号を受信する。
【０１７５】
さらに、干渉測定構成メッセージは、第２のノードの第２の機能エンティティの参照信号リソース指標情報をさらに含み、第２のノードの第２の機能エンティティの参照信号リソース指標情報は、
第２のノードの第２の機能エンティティの参照信号リソース識別子、第２のノードの第２の機能エンティティに関するものであり且つ干渉測定に使用されるＲＳの送信電力、第２のノードの第２の機能エンティティに関するものであり且つ干渉測定に使用されるＲＳがマッピングされる時間周波数リソース位置、又は第２のノードの第２の機能エンティティに関するものであり且つ干渉測定に使用されるＲＳの送信周期性の１つ又は組合せを含む。
【０１７６】
ステップＳ８００’の前に、この方法は次のステップをさらに含む。
【０１７７】
第１のノードは、干渉測定構成メッセージを生成する。
【０１７８】
前述の方法は次のステップをさらに含む。
【０１７９】
第１のノードは、ＲＳ構成メッセージを第２のノードの第２の機能エンティティに送信し、ここで、ＲＳ構成メッセージには、第２のノードの第２の機能エンティティの参照信号リソース指標情報が含まれる。
【０１８０】
前述の方法手順は、図６及び図７に対応する実施形態の説明にも適用可能である。詳細については、対応する実施形態の特定の説明を参照されたい。詳細については、ここでは再び説明しない。
【０１８１】
本願は、干渉測定方法を提供するので、干渉を受ける被干渉ノードは、干渉測定を迅速且つ正確に行うことができ、それによりクロスリンク信号送信の影響が大幅に軽減され、システムの送信性能が向上する。
【０１８２】
実施形態４
図１０に示されるように、本発明のこの実施形態は、別の実施形態をさらに提供する。
【０１８３】
図１１のＩＡＢのネットワークアーキテクチャ図を、説明のための例として使用する。しかしながら、本願のこの実施形態は、図１１に限定されず、前述の様々なネットワークアーキテクチャ図に適用することができる。
【０１８４】
図１１において、ＩＡＢノード１は、ＤＵによって、下位レベルのＩＡＢノード又は端末装置によって送信された信号を受信し、ＩＡＢノード２は、ＤＵによって、データを下位レベルのＩＡＢノード又は端末装置に送信する。この場合に、アップリンク信号を受信するときに、ＩＡＢノード１のＤＵは、ＩＡＢノード２のＤＵによって送信されたダウンリンク信号によって干渉を受ける。ここで、干渉源はＩＡＢノード２のＤＵであり、干渉を受ける被干渉ノードはＩＡＢノード１のＤＵである。干渉はクロスリンク干渉ＣＬＩであり得、ＣＬＩは、ＩＡＢノード２のＤＵからＩＡＢノード１のＤＵへの干渉である。
【０１８５】
図１１に示されるように、ＩＡＢノード１のＤＵとＩＡＢノード２のＤＵとの間のクロスリンク干渉が、いくつかのスロットに存在し得る。従って、ＩＡＢノード１のＤＵとＩＡＢノード２のＤＵとの間のクロスリンク干渉を測定する必要がある。具体的な干渉測定方法は次の通りである。
【０１８６】
Ｓ１０００．第２のノードの第２の機能エンティティは、参照信号構成メッセージを報告し、ここで、参照信号構成メッセージは、第２のノードの第２の機能エンティティの参照信号リソース指標情報を含み、第２の機能エンティティの参照信号リソース指標情報は、第２のノードの第２の機能エンティティの参照信号リソース識別子を含む。
【０１８７】
具体的には、第２のノードの第２の機能エンティティは、第２の機能エンティティの参照信号リソース指標情報を生成し、ここで、第２の機能エンティティの参照信号リソース指標情報は、第２のノードの第２の機能エンティティの参照信号リソース識別子を含む。
【０１８８】
第２のノードの第２の機能エンティティの参照信号リソース識別子は、第２のノードの第２の機能エンティティの送信ビームに基づいて、第２のノードの第２の機能エンティティによって取得される。
【０１８９】
さらに、参照信号によって使用される時間周波数リソース及び参照信号の送信周期性について、第２のノードの第２の機能エンティティは、送信電力を参照信号リソース指標情報に追加し、干渉測定に使用される参照信号構成メッセージを使用して、参照信号リソース指標情報を第１のノードに報告する。
【０１９０】
参照信号リソース指標情報の特定のフォーマットについては、ステップＳ８００の指標情報の特定のフォーマットを参照されたい。
【０１９１】
さらに、ＩＡＢノード２のＤＵによって生成され且つ干渉測定に使用される参照信号構成メッセージは、無線リソース制御（Radio  Resource  Control,  RRC）プロトコルメッセージで伝送されるか、又はＦ１インターフェースを介したＦ１−ＡＰ（F1-application  protocol）プロトコルベースのメッセージで伝送され得る。Ｆ１インターフェースは、ＩＡＢノード２の分散ユニット（distributed  unit,  DU）とドナーノードの集中ユニット（central  unit,  CU）との間のＦ１インターフェースである。
【０１９２】
Ｓ１００２．第１のノードは、干渉測定構成メッセージを第３のノードの第１の機能エンティティに送信し、ここで、干渉測定構成メッセージは、第２のノードの第２の機能エンティティの参照信号リソース指標情報及び干渉測定タイプ指標情報を含み、干渉測定タイプ指標情報は、第１のノードの第２の機能エンティティの受信ビームを使用して干渉測定を行うように、第１のノードの第１の機能エンティティに指示するために使用される。
【０１９３】
第２のノードの第２の機能エンティティの参照信号リソース指標情報のフォーマット及びコンテンツについては、ステップＳ１０００の特定の説明を参照されたい。ＤＵｔｏＤＵ−Ｍｅａｓ−Ｔｙｐｅ等の干渉測定タイプ指標情報は、Ｓ１０００において、第２のノードの第２の機能エンティティの参照信号リソース指標情報のフォーマットを拡張することにより、参照信号リソース指標情報の前述のフォーマットの予約フィールドに追加することができる、又はＤＵｔｏＤＵ−Ｍｅａｓ−Ｔｙｐｅ等の干渉測定タイプ指標情報は、ＲＳ構成メッセージの予約フィールドに配置できる。
【０１９４】
第１のノードが第３のノードの第１の機能エンティティに送信する干渉測定構成メッセージは、ＲＲＣ（Radio  Resource  Control、無線リソース制御）プロトコルに基づいて、第１のノードによって第３のノードの第１の機能エンティティに送信され得、ＲＲＣプロトコルの特定のメッセージで伝送される場合もあれば、又はＭＡＣ  ＣＥを使用して示される場合もある。
【０１９５】
図１１に示されるように、前述の説明は、次のように理解され得る。ドナーノードがＩＡＢノード１のＭＴに送信する干渉測定に使用される構成は、ＲＲＣ（Radio  Resource  Control、無線リソース制御）プロトコルに基づいて、ドナーノードによってＩＡＢノード１のＭＴに送信され得、ＲＲＣプロトコルの特定のメッセージで伝送される場合もあれば、又はＭＡＣ  ＣＥを使用して示される場合もある。
【０１９６】
Ｓ１００４．第２のノードの第２の機能エンティティは、第２の機能エンティティの参照信号構成に基づいて、干渉測定に使用される参照信号を送信する。
【０１９７】
図１１に示されるように、ＩＡＢノード２のＤＵは、ＤＵの送信ビームを使用して、参照信号を送信する。
【０１９８】
参照信号は、同期信号ＳＳＢ、チャネル状態情報−参照信号ＣＳＩ−ＲＳ、復調参照信号ＤＭＲＳ、追跡参照信号ＴＲＳ、位相追跡参照信号ＰＴＲＳ、サウンディング参照信号ＳＲＳ、又は別のＲＳの１つ又は複数を含み得る。
【０１９９】
Ｓ１００６．第３のノードの第１の機能エンティティは、干渉測定構成における干渉測定タイプ指標に従って、第２のノードの第２の機能エンティティによって送信され且つ干渉測定に使用される参照信号を検出し、干渉測定を行う。
【０２００】
図１１に示されるように、ＩＡＢノード１のＭＴは、干渉測定タイプ指標に従ってＩＡＢノード１のＤＵの受信ビームを使用して、ＩＡＢノード２のＤＵによって送信された参照信号を検出し、干渉測定を行う。
【０２０１】
さらに、ＩＡＢノード１のＭＴは、干渉構成で示された時間周波数リソース及び周期性に基づいて、ＩＡＢノード２のＤＵによって送信され且つ干渉測定に使用される参照信号をさらに検出することができる。
【０２０２】
本願は、干渉測定方法を提供するので、干渉を受ける被干渉ノードは、干渉測定を迅速且つ正確に行うことができ、それにより、クロスリンク信号送信の影響が大幅に軽減され、システムの送信性能が向上する。
【０２０３】
実施形態５
図１２に示されるように、本発明のこの実施形態は、別の実施形態をさらに提供する。
【０２０４】
図１３ａのＩＡＢのネットワークアーキテクチャ図を、説明のための例として使用する。しかしながら、本願のこの実施形態は、図１３ａに限定されず、前述の様々なネットワークアーキテクチャ図に適用することができる。
【０２０５】
図１３ａにおいて、ＩＡＢノード１は、ＭＴによって、ＩＡＢノード３によって送信された信号を受信し、ＩＡＢノード２は、ＭＴによって、データをドナーノードに送信する。この場合に、ダウンリンク信号を受信するときに、ＩＡＢノード１のＭＴは、ＩＡＢノード２のＭＴによって送信されたアップリンク信号によって干渉を受ける。ここで、干渉源はＩＡＢノード２であり、干渉を受ける被干渉ノードはＩＡＢノード１である。干渉は、具体的にはクロスリンク干渉ＣＬＩであり得、ＣＬＩは、ＩＡＢノード２のＭＴからＩＡＢノード１のＭＴへの干渉である。
【０２０６】
図１３ａに示されるように、ＩＡＢノード１のＭＴとＩＡＢノード２のＭＴとの間のクロスリンク干渉が、いくつかのスロットに存在し得る。従って、ＩＡＢノード１のＭＴとＩＡＢノード２のＭＴとの間のクロスリンク干渉を測定する必要がある。具体的な干渉測定方法は次の通りである。
【０２０７】
Ｓ１２００．第１のノードは、干渉測定に使用される参照信号構成メッセージを、第２のノードの第１の機能エンティティに送信し、ここで、参照信号構成メッセージは、第２のノードの第１の機能エンティティノードが干渉測定のために使用する参照信号リソース指標情報及び参照信号送信タイミング指標情報を含み、参照信号送信タイミング指標情報は、第２のノードの第２の機能エンティティのダウンリンク送信タイミングを使用して参照信号を送信するように、第２のノードの第１の機能エンティティに指示するために使用される。
【０２０８】
第２のノードの第１の機能エンティティが干渉測定のために使用する参照信号リソース指標情報は、第１の機能エンティティの参照信号リソース識別子、第１の機能エンティティの参照信号の送信電力、第１の機能エンティティの参照信号がマッピングされる時間周波数リソース、及び第１の機能エンティティの参照信号の送信周期性のうちの１つ又は組合せを含む。
【０２０９】
具体的には、参照信号リソース指標情報の特定の実施態様は、次のようになり得る。
【０２１０】
態様１：参照信号リソース指標情報は、既存のフォーマット、例えば既存のＳＲＳリソース情報フォーマットを使用することができる。
【０２１１】
詳細は次の通りである。
ＳＲＳ−Ｒｅｓｏｕｒｃｅ：：＝      ＳＥＱＵＥＮＣＥ｛
ｓｒｓ−ＲｅｓｏｕｒｃｅＩｄ
ｎｒｏｆＳＲＳ−Ｐｏｒｔｓ
ｐｔｒｓ−ＰｏｒｔＩｎｄｅｘ
ＴｒａｎｓｍｉｓｓｉｏｎＣｏｍｂ
ｒｅｓｏｕｒｃｅＭａｐｐｉｎｇ
ｇｒｏｕｐＯｒＳｅｑｕｅｎｃｅＨｏｐｐｉｎｇ
ｒｅｓｏｕｒｃｅＴｙｐｅ      ＣＨＯＩＣＥ｛
ａｐｅｒｉｏｄｉｃ            ＳＥＱＵＥＮＣＥ｛
．．．｝，
ｓｅｍｉ−ｐｅｒｓｉｓｔｅｎｔ      ＳＥＱＵＥＮＣＥ｛
ｐｅｒｉｏｄｉｃｉｔｙＡｎｄＯｆｆｓｅｔ−ｓｐ
．．．｝，
ｐｅｒｉｏｄｉｃ              ＳＥＱＵＥＮＣＥ｛
ｐｅｒｉｏｄｉｃｉｔｙＡｎｄＯｆｆｓｅｔ−ｐ
．．．｝
｝,
ｓｅｑｕｅｎｃｅＩｄ
ｓｐａｔｉａｌＲｅｌａｔｉｏｎＩｎｆｏ
ｐｏｗｅｒｃｏｎｔｒｏｌ
…｝
【０２１２】
ＳＲＳ−Ｒｅｓｏｕｒｃｅは、参照信号リソース指標情報である。
【０２１３】
ｓｒｓ−ＲｅｓｏｕｒｃｅＩｄは、アップリンク測定に使用される共通の参照信号リソース識別子である。
【０２１４】
ｒｅｓｏｕｒｃｅＭａｐｐｉｎｇは、参照信号がマッピングされる時間周波数リソース位置である。
【０２１５】
ｒｅｓｏｕｒｃｅＴｙｐｅは、参照信号のタイプが、非周期的（aperiodic）送信、及び／又は半持続的（semi-persistent）送信、及び／又は周期的（periodic）送信であることを示し、半持続的及び／又は周期的送信中の送信周期性及び周期性のオフセットを示す。
【０２１６】
ｐｏｗｅｒｃｏｎｔｒｏｌは、参照信号を送信するために第２のノードの第１の機能エンティティが使用する送信電力を示す。
【０２１７】
参照信号がマッピングされる時間周波数リソース位置は、第２のノードのダウンリンク送信スロット内にあってもよい。
【０２１８】
態様２：干渉測定に使用される新しいタイプの参照信号リソース指標情報ｃｌｉ−ｍｅａｓ−ＲＳ−Ｒｅｓｏｕｒｃｅが規定され、情報の特定のフォーマットは、態様１の情報フォーマットと同じである。
【０２１９】
参照信号送信タイミング指標情報の特定の実施態様は、次の通りであり得る。
【０２２０】
態様１：  １ビットが指標、例えばｓｒｓ-ｕｓｅ-ｄｌ-ｔｉｍｉｎｇ（０又は１を指標に使用する）に使用される。第２のノードの第１の機能エンティティは、第２のノードの第２の機能エンティティのダウンリンク送信タイミングを使用して参照信号を送信するように明示的に指示される。参照信号送信タイミング指標情報については、参照信号リソース指標情報のフォーマットを拡張することにより、参照信号リソース指標情報の前述のフォーマットの予約フィールドにｓｒｓ−ｕｓｅ−ｄｌ−ｔｉｍｉｎｇを追加することができる、又はｓｒｓ−ｕｓｅ−ｄｌ−ｔｉｍｉｎｇは、参照信号構成メッセージの予約フィールドに配置できる。
【０２２１】
態様２：干渉測定に使用される新しいタイプの参照信号リソース指標情報、すなわち、前述の参照信号リソース指標情報の態様２は、第２のノードの第２の機能エンティティのダウンリンク送信タイミングを使用して参照信号を送信するように、第２のノードの第１の機能エンティティに暗黙的に指示するために使用される。
【０２２２】
第１のノードによって第２のノードの第１の機能エンティティに送信され且つ干渉測定に使用される参照信号構成メッセージは、ＲＲＣ（Radio  Resource  Control、無線リソース制御）プロトコルに基づいて、第１のノードによって第２のノードの第１の機能エンティティに送信され得、ＲＲＣプロトコルの特定のメッセージで伝送される場合もあれば、又はＭＡＣ  ＣＥを使用して示される場合もある。
【０２２３】
図１３ａに示されるように、ドナーノードがＩＡＢノード２のＭＴに送信する参照信号構成メッセージは、ＲＲＣ（Radio  Resource  Control、無線リソース制御）プロトコルに基づいて、ドナーノードによってＩＡＢノード２のＭＴに送信され得、ＲＲＣプロトコルの特定のメッセージで伝送される場合もあれば、又はＭＡＣ  ＣＥを使用して示される場合もある。
【０２２４】
Ｓ１２０２．干渉測定に使用される参照信号構成メッセージを受信した後に、第２のノードの第１の機能エンティティは、参照信号構成メッセージ内の参照信号リソース指標情報を第２のノードの第２の機能エンティティに送信する。参照信号リソース指標情報を受信した後に、第２のノードの第２の機能エンティティは、第２の機能エンティティのダウンリンク送信を調整する。
【０２２５】
具体的には、第２のノードの第２の機能エンティティは、参照信号構成メッセージに示される、参照信号識別子、時間周波数リソース位置、送信周期性、及び周期性のオフセットを識別し、通常のダウンリンク送信を行うときに、対応するビーム内の通常のダウンリンク物理チャネル、時間周波数リソース位置、送信周期性、及び周期性のオフセット位置をマッピングしない。
【０２２６】
図１３ａに示されるように、ＩＡＢノード２のＭＴは、内部相互作用を介して、参照信号リソース指標情報をＩＡＢノード２のＤＵに送信する。図１３ｂに示されるように、ＩＡＢノード２のＤＵが解析によって参照信号リソース指標情報を取得した後に、ＩＡＢノード２のＤＵは、ＩＡＢノード２のＭＴが干渉測定に使用される参照信号を送信する時間周波数リソース位置に通常のダウンリンク物理チャネルをマッピングしない。
【０２２７】
Ｓ１２０４．第２のノードの第１の機能エンティティは、第１のノードが送信した参照信号構成メッセージに基づいて、周期性において対応する時間周波数リソース上で参照信号を送信する。
【０２２８】
参照信号は、同期信号ＳＳＢ、チャネル状態情報−参照信号ＣＳＩ−ＲＳ、復調参照信号ＤＭＲＳ、追跡参照信号ＴＲＳ、位相追跡参照信号ＰＴＲＳ、サウンディング参照信号ＳＲＳ、又は別のＲＳの１つ又は複数を含み得る。
【０２２９】
図１３ｂに示されるように、ＩＡＢノード２のＭＴは、ダウンリンクスロット内の２つのシンボル位置でＳＲＳを送信し、ダウンリンクタイミングを使用してＳＲＳを送信する。
【０２３０】
Ｓ１２０６．第１のノードは、第３のノードの第１の機能エンティティに対して干渉測定構成を行い、干渉測定構成メッセージを送信する。干渉測定設定メッセージには、参照信号リソース指標情報が含まれる。参照信号リソース指標情報のコンテンツは、Ｓ１１００において、第１のノードが送信した参照信号構成メッセージ内の参照信号リソース指標情報のコンテンツと一致している。
【０２３１】
干渉測定構成メッセージは、参照信号タイプ指標情報をさらに含む。参照信号タイプ指標情報は、現在構成されている参照信号のタイプを第３のノードの第１の機能エンティティに示すために使用される。具体的には、参照信号タイプ指標情報の実施態様は次の通りであり得る。
【０２３２】
態様１：特定の情報フィールドｒｅｆｅｒｅｎｃｅ−ｓｉｇｎａｌ−ｔｙｐｅが指標に使用され、ここで、ｒｅｆｅｒｅｎｃｅ−ｓｉｇｎａｌ−ｔｙｐｅは、参照信号リソース指標情報のフォーマットを拡張することによって、参照信号リソース指標情報のフォーマットの予約フィールドに追加され得る、又は参照信号タイプは、干渉測定構成メッセージの予約フィールドに配置できる。
【０２３３】
態様２：干渉測定構成メッセージ内の参照信号リソース指標情報が共通の参照信号リソース指標情報フォーマットを使用する場合に、対応する参照信号タイプが既に表示されており、追加の指標は必要ない。例えば、参照信号リソース指標がＳＲＳ−Ｒｅｓｏｕｒｃｅである場合に、対応する参照信号タイプＳＲＳが表示される。別の例として、参照信号リソース指標がＣＳＩ−ＲＳ−Ｒｅｓｏｕｒｃｅである場合に、対応する参照信号タイプＣＳＩ−ＲＳが表示される。
【０２３４】
ステップＳ１１００の後に実行されることに加えて、ステップＳ１１０６は、干渉測定に使用される参照信号を送信するステップＳ１１０４の前に実行され得る。
【０２３５】
図１３ａに示されるように、ＩＡＢノード１のＭＴについて、ドナーノードは、干渉測定構成を行い、干渉測定構成メッセージを送信する。干渉測定構成メッセージは、ＩＡＢノード１のＭＴによって検出すべき参照信号リソースを示し、具体的には、これらの参照信号リソースの識別子、参照信号がマッピングされる時間周波数リソース、参照信号の送信周期性、周期性のスロットオフセット、参照信号の送信電力等を含む。干渉測定構成は、対応する参照信号のタイプも示し、参照信号を検出するためにＩＡＢノード１のＭＴによって使用される。
【０２３６】
Ｓ１２０８．第３のノードの第１の機能エンティティは、ステップＳ１１０６において、干渉測定構成に基づいて、第２のノードの第１の機能エンティティによって送信され且つ干渉測定に使用される参照信号を検出し、干渉測定を行う。
【０２３７】
図１３ａに示されるように、ＩＡＢノード１のＭＴは、干渉測定構成において指定された参照信号リソース上で指示された参照信号タイプに対応するシーケンスを使用して、及び干渉測定構成に基づいてＩＡＢノード１のＭＴの受信ビームを使用して、ＩＡＢノード２のＭＴによって送信される参照信号を検出する。
【０２３８】
本願は、前述の干渉測定方法を提供するので、干渉を受ける被干渉ノードは、干渉測定を迅速且つ正確に行うことができ、それにより、クロスリンク信号送信の影響が大幅に軽減され、システムの送信性能が向上する。
【０２３９】
実施形態６
図１４に示されるように、本発明のこの実施形態は、別の実施形態による方法の概略フローチャートをさらに提供する。
【０２４０】
図１５のＩＡＢのネットワークアーキテクチャ図を、説明のための例として使用する。しかしながら、本願のこの実施形態は、図１５に限定されず、前述の様々なネットワークアーキテクチャ図に適用することができる。
【０２４１】
図１５において、ＩＡＢノード１は、ＤＵによって、ＩＡＢノード１の下位レベルノード又は端末によって送信された信号を受信し、ＩＡＢノード２は、ＭＴによって、データをドナーノードに送信する。この場合に、アップリンク信号を受信すると、ＩＡＢノード１のＤＵは、ＩＡＢノード２のＭＴによって送信されたアップリンク信号によって干渉を受ける。ここで、干渉源はＩＡＢノード２であり、干渉を受ける被干渉ノードはＩＡＢノード１である。干渉は、具体的にはクロスリンク干渉ＣＬＩであり得、ＣＬＩは、ＩＡＢノード２のＭＴからＩＡＢノード１のＤＵへの干渉である。
【０２４２】
図１５に示されるように、ＩＡＢノード１のＤＵとＩＡＢノード２のＭＴとの間のクロスリンク干渉が、いくつかのスロットに存在し得る。従って、ＩＡＢノード１のＤＵとＩＡＢノード２のＭＴとの間のクロスリンク干渉を測定する必要がある。具体的な干渉測定方法は次の通りである。
【０２４３】
Ｓ１４００．第１のノードは、参照信号（reference  signal,  RS）構成メッセージを送信し、ここで、ＲＳ構成メッセージは、第２のノードの第２の機能エンティティの参照信号リソース指標情報を含み、第２の機能エンティティの参照信号リソース指標情報は、第２のノードの第１の機能エンティティの参照信号リソース識別子を含む。ＲＳ構成情報は、第２のノードの第２の機能エンティティによって送信される参照信号を構成するために使用され、第２のノードの第２の機能エンティティによって送信される参照信号は、干渉を測定するために使用され、干渉は、第２のノードの第１の機能エンティティから第３のノードの第１の機能エンティティへの干渉である。
【０２４４】
第２のノードは干渉発生ノードであり、第３のノードは被干渉ノードである。第２のノードの第１の機能エンティティの参照信号リソース識別子は、参照信号リソースを示すために使用される。
【０２４５】
図１５に示されるＩＡＢネットワークにおいて、第１のノードはドナーノードであり、第２のノードはＩＡＢノード２等の干渉発生ノードであり、第３のノードはＩＡＢノード１等の被干渉ノードである。第２のノード及び第３のノードはそれぞれ第１の機能エンティティ及び第２の機能エンティティを含むことができる。第１の機能エンティティはＭＴであり、第２の機能エンティティはＤＵである。ここでは、第１の機能エンティティ及び第２の機能エンティティは、１つのモジュールに統合され得るか、又は独立して、異なるモジュールに分離され得る。第１の機能エンティティはＭＴ又はＤＵであり、第２の機能エンティティはＤＵ又はＭＴである。第１のノードは、代替的に、ＩＡＢノードであってもよい。
【０２４６】
ＩＡＢノード２又はＩＡＢノード１の構成又は能力に基づいて、ＩＡＢノード２は、１つ又は複数のビームを同時に使用して信号を送信することができ、ＩＡＢノード１も、１つ又は複数のビームを同時に使用して信号を送信することができる。ビームは、参照信号リソース識別子によって示され得る。第２のノードの第１の機能エンティティの参照信号リソース識別子は、ＩＡＢノード２のＭＴの参照信号リソース識別子であり、参照信号を送信するためにＩＡＢノード２のＭＴが使用する１つ又は複数の参照信号リソースを示すために使用される。１つ又は複数の参照信号リソースはＭＴの１つ又は複数の送信ビームに対応する。オプションで、第２のノードの第１の機能エンティティの参照信号リソース識別子は、ＩＡＢノードの参照信号の構成されたリソース識別子（identity,  ID）、例えば、チャネル状態情報−参照信号（Channel  status  information  Reference  Signal,  CSI-RS）のリソース識別子（ＣＳＩ−ＲＳ−ＲｅｓｏｕｒｃｅＩｄ）又はサウンディング参照信号（Sounding  Reference  Signal,  SRS）のリソース識別子（ＳＲＳ−ＲｅｓｏｕｒｃｅＩｄ）であり得る。
【０２４７】
参照信号構成メッセージは、無線リソース制御（Radio  Resource  Control,  RRC）プロトコルメッセージで伝送されるか、又はＦ１インターフェースを介してＦ１−ＡＰ（F1-application  protocol）プロトコルベースのメッセージ、例えばダウンリンク無線リソース制御転送メッセージ（ＤＬ  ＲＲＣ  ＴＲＡＮＳＦＥＲメッセージ）で伝送され得、ここで、Ｆ１インターフェースは、ＩＡＢノード２の分散ユニット（distributed  unit,  DU）とドナーノードの集中ユニット（central  unit,  CU）との間のＦ１インターフェースであり、又は参照信号構成メッセージは、ＤＣＩ（Downlink  Control  Information）メッセージ又はＭＡＣ  ＣＥ（Media  Access  Control  control  element）で伝送され得る。
【０２４８】
参照信号構成メッセージは、代替的に、ＲＲＣ、ＤＣＩ、又はＭＡＣ  ＣＥを使用して、ドナーノードによってＩＡＢノード２のＭＴに送信され得、次に、ＩＡＢノード２のＭＴは、内部シグナリングの相互作用によってＩＡＢノード２のＤＵに通知する。
【０２４９】
参照信号構成メッセージを、定期的に送信してもよく、又は半静的に送信してもよい。
【０２５０】
参照信号構成メッセージは、１つ又は複数の参照信号リソース指標情報を含み、各参照信号リソース指標情報は、参照信号リソース識別子を含む。
【０２５１】
具体的には、参照信号リソース指標情報のフォーマットは次の通りである。
【０２５２】
１．態様１：新しいタイプの参照信号リソース指標情報が規定され、指標情報の特定のフォーマットの例は次の通りである。
ＲＳ−Ｒｅｓｏｕｒｃｅ：：＝      ＳＥＱＵＥＮＣＥ｛
ＲＳ−ＲｅｓｏｕｒｃｅＩｄ
ｒｅｓｏｕｒｃｅＭａｐｐｉｎｇ
ｐｏｗｅｒｃｏｎｔｒｏｌ
ｐｅｒｉｏｄｉｃｉｔｙＡｎｄＯｆｆｓｅｔ．．．．．．｝
【０２５３】
ＲＳ−Ｒｅｓｏｕｒｃｅは、参照信号リソース指標情報である。
【０２５４】
ＲＳ−ＲｅｓｏｕｒｃｅＩｄは、参照信号リソース識別子であり、参照信号リソース識別子は、ＩＡＢノードのＭＴに関するものであり且つ識別子に対応するビームを使用して参照信号を送信するようにＩＡＢノード２のＤＵに指示することが理解され得る。
【０２５５】
オプションで、参照信号リソース指標情報は、次のうちの１つ又は複数をさらに含み得る：
ｒｅｓｏｕｒｃｅＭａｐｐｉｎｇ：これは、干渉測定に使用される参照信号がマッピングされる時間周波数リソース位置を示す；
ｐｏｗｅｒｃｏｎｔｒｏｌ：参照信号の電力制御、ここで、参照信号の電力制御は、参照信号を送信するためにＩＡＢノード２のＤＵが使用する送信電力を示し、参照信号の送信電力は、ＩＡＢノード２のＭＴの送信電力として構成される；及び
ｐｅｒｉｏｄｉｃｉｔｙＡｎｄＯｆｆｓｅｔ：これは、干渉測定に使用される参照信号の送信周期性及び／又は各周期性のスロットオフセットを示す。
【０２５６】
２．態様２：参照信号リソース指標情報は、統一したフォーマット、例えば既存のＣＳＩ−ＲＳ−Ｒｅｓｏｕｒｃｅメッセージフォーマットを使用し、ＣＳＩ−ＲＳ−Ｒｅｓｏｕｒｃｅメッセージが拡張される。
【０２５７】
詳細は次の通りである。
【０２５８】
ＣＳＩ−ＲＳリソース指標情報ＣＳＩ−ＲＳ−Ｒｅｓｏｕｒｃｅは、次のように示される。
ＣＳＩ−ＲＳ−Ｒｅｓｏｕｒｃｅ：：＝      ＳＥＱＵＥＮＣＥ｛
ＣＳＩ−ＲＳ−ＲｅｓｏｕｒｃｅＩｄ
ＳＲＳ−ＲｅｓｏｕｒｃｅＩｄ
ｒｅｓｏｕｒｃｅＭａｐｐｉｎｇ
ｐｏｗｅｒＣｏｎｔｒｏｌ
ｐｅｒｉｏｄｉｃｉｔｙＡｎｄＯｆｆｓｅｔ．．．｝
【０２５９】
ＣＳＩ−ＲＳ−Ｒｅｓｏｕｒｃｅは、参照信号リソース指標情報である。
【０２６０】
ＣＳＩ−ＲＳ−ＲｅｓｏｕｒｃｅＩｄは、ＣＳＩ測定に使用される共通の参照信号リソース識別子であり、ＤＵによって構成されたビームを使用してＣＳＩ測定に使用される参照信号を送信するように、ＩＡＢノード２のＤＵに指示するために使用される。
【０２６１】
ＳＲＳ−ＲｅｓｏｕｒｃｅＩｄは、参照信号リソース識別子であり、参照信号リソース識別子は、ＩＡＢノード２のＭＴに関するものであり且つ識別子に対応するビームを使用して参照信号を送信するように、ＩＡＢノード２のＤＵに指示するために使用される。
【０２６２】
ｒｅｓｏｕｒｃｅＭａｐｐｉｎｇは、参照信号がマッピングされる時間周波数リソース位置を示すために使用される。
【０２６３】
ｐｏｗｅｒｃｏｎｔｒｏｌは、参照信号の電力制御であり、参照信号を送信するためにＩＡＢノード２のＤＵが使用する送信電力を示す。
【０２６４】
ｐｅｒｉｏｄｉｃｉｔｙＡｎｄＯｆｆｓｅｔは、干渉測定に使用される参照信号の送信周期性及び／又は各周期性におけるスロットオフセットを示す。
【０２６５】
ドナーノードが参照信号構成メッセージをＩＡＢノード２のＤＵに送信するときであって、ＩＡＢノード２のＤＵが参照信号構成メッセージに含まれるＳＲＳ−ＲｅｓｏｕｒｃｅＩｄを識別する場合に、現在の参照信号構成が干渉測定に使用され、特にクロスリンク干渉測定に使用されることが分かり得る。
【０２６６】
ｐｏｗｅｒＣｏｎｔｒｏｌフィールドは、参照信号を送信するために使用される電力を示す。チャネル状態情報ＣＳＩ測定に使用される参照信号リソースが現在示されている場合に、フィールドはＣＳＩ−ＲＳの送信電力情報として設定される。クロスリンク干渉ＣＬＩ測定に使用される参照信号リソースが示されている場合に、フィールドはＳＲＳの送信電力情報として設定される。
【０２６７】
具体的には、図１５を例にとると、ステップＳ１４００は、次のように理解され得る。
【０２６８】
ＩＡＢノード１のＤＵがＩＡＢノード２のＭＴによって干渉を受けると、ドナーノードはＲＳ構成メッセージを生成する。ＲＳ構成メッセージは、ＩＡＢノード２のＤＵによって送信され且つ干渉測定に使用される参照信号を構成するために使用される。干渉測定に使用される参照信号は、ＩＡＢノード２のＭＴからの干渉を測定するためにＩＡＢノード１のＭＴによって使用され、ＲＳ構成メッセージには、ＩＡＢノード２のＤＵの｛３，４，５｝等の参照信号リソース識別子が含まれ、参照信号リソース識別子は、ＩＡＢノード２のＭＴのビームに対応する。
【０２６９】
Ｓ１４０２．第２のノードの第２の機能エンティティは、受信したＲＳ構成メッセージに基づいて、干渉測定に使用される参照信号を構成する。
【０２７０】
図１５に示されるように、ＩＡＢノード２のＤＵは、参照信号リソース識別子に基づいて対応するビームを選択して、参照信号を送信する。
【０２７１】
参照信号リソース識別子と、信号を送信するために特に使用されるビームとの間の対応関係は、ＩＡＢノード２のＭＴについて既知である。しかしながら、ＩＡＢノード２では、ＤＵがＭＴと相互作用し得るため、ＤＵは、ＳＲＩ｛３，４，５｝に対応するＭＴのビーム、例えば、図１５の影で識別される３つの物理ビームを識別することもできる。
【０２７２】
例えば、ＩＡＢノード２のＭＴは、参照信号リソース識別子｛３，４，５｝に対応するビームセット｛ａ、ｂ、ｃ｝を使用して信号を送信する。ＩＡＢノード１のＭＴがＩＡＢノード２のＭＴに対して干渉測定を行うと、ＩＡＢノード２のＤＵはＩＡＢノード２のＭＴと相互作用して、ＩＡＢノード２のＭＴに関するものであり且つ参照信号リソース識別子｛３，４，５｝に対応するビームセット｛ａ、ｂ、ｃ｝を取得し、ＩＡＢノード２のＤＵは、ビームセット｛ａ、ｂ、ｃ｝を使用して、干渉測定に使用される参照信号を送信する。
【０２７３】
ＩＡＢノード２に関するものであるＭＴとＤＵとの間の相互作用は、ハードウェアモジュール同士の間の相互作用であり得るか、又はＭＴ及びＤＵが統合されるときにソフトウェアを使用して実現され得ることに留意されたい。さらに、ＲＳ構成メッセージ内の参照信号リソース指標情報は、ＩＡＢノード２のＤＵの参照信号がマッピングされる時間周波数リソース、ＩＡＢノード２のＤＵの参照信号の送信電力、又はＩＡＢノード２のＤＵの参照信号の送信周期性の１つ又は組合せをさらに含む。
【０２７４】
ＩＡＢノード２のＤＵが、ＩＡＢノード２のＭＴに関する情報（送信ビーム及び送信電力）に基づいて、干渉測定に使用される参照信号を構成し、参照信号が、ＩＡＢノード２のＭＴの代わりに、ＩＡＢノード２のＤＵによって送信されるので、ＩＡＢノード１は、干渉測定に使用される参照信号を正確に検出して干渉を測定し、干渉を排除することができ、それにより、ＩＡＢネットワークの性能が大幅に向上する。
【０２７５】
Ｓ１４０４．第１のノードは、干渉測定構成メッセージを第３のノードの第１の機能エンティティに送信し、ここで、干渉測定構成メッセージは、第２のノードの第２の機能エンティティの参照信号リソース指標情報及び／又は干渉測定タイプ指標情報を含み、干渉測定タイプ指標情報は、第３のノードの第２の機能エンティティの受信ビームを使用して干渉測定を行うように、第３のノードの第１の機能エンティティに指示するために使用される。
【０２７６】
第２のノードの第２の機能エンティティの参照信号リソース指標情報のフォーマット及びコンテンツについては、ステップＳ８００の特定の説明を参照されたい。ＭＴｔｏＤＵ−Ｍｅａｓ−Ｔｙｐｅ等の干渉測定タイプ指標情報は、Ｓ８００において、第２のノードの第２の機能エンティティの参照信号リソース指標情報のフォーマットを拡張することにより、参照信号リソース指標情報の前述のフォーマットの予約フィールドに追加することができる、又はＭＴｔｏＤＵ−Ｍｅａｓ−Ｔｙｐｅ等の干渉測定タイプ指標情報は、ＲＳ構成メッセージの予約フィールドに配置できる。
【０２７７】
第１のノードが第３のノードの第１の機能エンティティに送信する干渉測定構成メッセージは、ＲＲＣ（Radio  Resource  Control、無線リソース制御）プロトコルに基づいて、第１のノードによって第３のノードの第１の機能エンティティに送信され得、ＲＲＣプロトコルの特定のメッセージで伝送されるか、又はＭＡＣ  ＣＥを使用して示される場合もある。
【０２７８】
図１５に示されるように、前述の説明は、次のように理解され得る。ドナーノードがＩＡＢノード１のＭＴに送信する干渉測定に使用される構成は、ＲＲＣ（Radio  Resource  Control、無線リソース制御）プロトコルに基づいて、ドナーノードによってＩＡＢノード１のＭＴに送信され得、ＲＲＣプロトコルの特定のメッセージで伝送される場合もあれば、又はＭＡＣ  ＣＥを使用して示される場合もある。
【０２７９】
Ｓ１４０６．第２のノードの第２の機能エンティティは、干渉測定に使用される参照信号を送信する。
【０２８０】
図１５に示されるように、ＩＡＢノード２のＤＵは、ＲＳ構成メッセージ内の参照信号リソース識別子に対応する１つ又は複数のビームを使用して、干渉測定に使用される参照信号を送信し、それによって、ＩＡＢノード１のＭＴは干渉測定を行う。
【０２８１】
さらに、ＩＡＢノード２のＤＵは、指定された時間周波数リソース上で、干渉測定に使用される参照信号をさらに送信することができる。定期的な測定を行う必要がある場合に、ＩＡＢノード２のＤＵは、さらに定期的に、参照信号を指定された送信周期で送信し、指定された送信電力を使用して参照信号を送信する。
【０２８２】
参照信号は、同期信号ＳＳＢ、チャネル状態情報−参照信号ＣＳＩ−ＲＳ、復調参照信号ＤＭＲＳ、追跡参照信号ＴＲＳ、位相追跡参照信号ＰＴＲＳ、サウンディング参照信号ＳＲＳ、又は別のＲＳの１つ又は複数を含み得る。
【０２８３】
Ｓ１４０８．第３のノードの第１の機能エンティティは、干渉測定構成における干渉測定タイプ指標に従って、第２のノードの第２の機能エンティティによって送信され且つ干渉測定に使用される参照信号を検出し、干渉測定を行う。
【０２８４】
図１５に示されるように、ＩＡＢノード１のＭＴは、干渉測定タイプ指標に従ってＩＡＢノード１のＤＵの受信ビームを使用して、ＩＡＢノード２のＤＵによって送信された参照信号を検出し、干渉測定を行う。
【０２８５】
さらに、ＩＡＢノード１のＭＴは、干渉構成で示された時間周波数リソース及び周期性に基づいて、ＩＡＢノード２のＤＵによって送信され且つ干渉測定に使用される参照信号をさらに検出することができる。
【０２８６】
実施形態７
図１６に示されるように、本発明のこの実施形態は、別の実施形態による方法のフローチャートをさらに提供する。
【０２８７】
図１７のＩＡＢのネットワークアーキテクチャ図を、説明のための例として使用する。しかしながら、本願のこの実施形態は、図１７に限定されず、前述の様々なネットワークアーキテクチャ図に適用することができる。
【０２８８】
図１７において、ＩＡＢノード１は、ＤＵを使用して、ＩＡＢノード１の下位レベルノード又は端末によって送信された信号を受信し、ＩＡＢノード２は、ＭＴを使用して、データをドナーノードに送信する。この場合に、アップリンク信号を受信すると、ＩＡＢノード１のＤＵは、ＩＡＢノード２のＭＴによって送信されたアップリンク信号によって干渉を受ける。ここで、干渉源はＩＡＢノード２であり、干渉を受ける被干渉ノードはＩＡＢノード１である。干渉は、具体的にはクロスリンク干渉ＣＬＩであり得、ＣＬＩは、ＩＡＢノード２のＭＴからＩＡＢノード１のＤＵへの干渉である。
【０２８９】
図１７に示されるように、ＩＡＢノード１のＤＵとＩＡＢノード２のＭＴとの間のクロスリンク干渉が、いくつかのスロットに存在し得る。従って、ＩＡＢノード１のＤＵとＩＡＢノード２のＭＴとの間のクロスリンク干渉を測定する必要がある。具体的な干渉測定方法は次の通りである。
【０２９０】
Ｓ１６００．第１のノードは、干渉測定指標メッセージを送信し、ここで、干渉測定指標メッセージは、干渉測定に使用される参照信号構成メッセージを報告するように、第２のノードの第２の機能エンティティに指示するために使用される。
【０２９１】
図１７に示されるように、ドナーノードは、干渉測定指標メッセージをＩＡＢノード２のＤＵに送信して、干渉測定に使用される参照信号構成情報を生成及び報告するようにＩＡＢノード２のＤＵに指示する。
【０２９２】
干渉測定指標メッセージは、無線リソース制御（Radio  Resource  Control,  RRC）プロトコルメッセージで伝送されるか、又はＦ１インターフェースを介してＦ１−ＡＰ（F1-application  protocol）プロトコルベースのメッセージ、例えばダウンリンク無線リソース制御転送メッセージ（ＤＬ  ＲＲＣ  ＴＲＡＮＳＦＥＲメッセージ）で伝送され得る。Ｆ１インターフェースは、ＩＡＢノード２の分散ユニット（distributed  unit,  DU）とドナーノードの集中ユニット（central  unit,  CU）との間のＦ１インターフェースである。
【０２９３】
干渉測定指標メッセージは、代替的に、ＲＲＣ、ＤＣＩ、又はＭＡＣ  ＣＥを使用して、ドナーノードによってＩＡＢノード２のＭＴに送信され得、次に、ＩＡＢノード２のＭＴは、内部シグナリング相互作用を介してＩＡＢノード２のＤＵに通知し、それによって、ＩＡＢノード２のＤＵは、干渉測定に使用される参照信号構成情報を生成して報告する。
【０２９４】
干渉測定指標メッセージの特定の実施態様は、次のいくつかの態様を含む。
【０２９５】
態様１：１ビットが指標に使用され、第２のノードの第２の機能エンティティがトリガーされて、干渉測定に使用される参照信号構成情報、例えばＣＬＩ−Ｍｅａｓ−Ｉｎｄｉｃａｔｏｒ（０又は１を指標に使用する）を生成及び報告する。
【０２９６】
態様２：干渉測定指標メッセージは、第２のノードの第２の機能エンティティによって送信され且つ干渉測定に使用される参照信号の送信スロット又は送信周期性の１つ又は組合せを含み、第２のノードの第２の機能エンティティは、前述のメッセージを使用してトリガーされ、干渉測定に使用される参照信号構成情報を生成及び報告する。例えば、これは、指標メッセージの次のメッセージフォーマットを使用して実現される。
ＣＬＩ−Ｍｅａｓ−Ｉｎｄｉｃａｔｏｒ：：＝      ＳＥＱＵＥＮＣＥ｛
ｓｆｎＦｏｒＣｌｉＭｅａｓ  ＯＰＴＩＯＮＡＬ
ｐｅｒｉｏｄｉｃｉｔｙＡｎｄＯｆｆｓｅｔ
．．．｝
【０２９７】
ｓｆｎＦｏｒＣｌｉＭｅａｓは、干渉測定に使用される参照信号の送信スロットを示し、ｐｅｒｉｏｄｉｃｉｔｙＡｎｄＯｆｆｓｅｔは、干渉測定に使用される参照信号の送信周期性及び／又は各周期性のスロットオフセットを示す。
【０２９８】
態様３：態様３は、態様１を態様２と組み合わせることによって実施される。具体的には、第２のノードの第２の機能エンティティは、態様１を使用してトリガーされて、干渉測定に使用される参照信号構成情報を生成し、次に、第２のノードの第２の機能エンティティによって送信され且つ干渉測定に使用される参照信号の送信スロット又は送信周期性は、態様２を使用して示される。
【０２９９】
Ｓ１６０２．第２のノードの第２の機能エンティティは、干渉測定に使用される参照信号構成メッセージを報告し、ここで、参照信号構成メッセージは、第２のノードの第２の機能エンティティの参照信号リソース指標情報を含み、第２の機能エンティティの参照信号リソース指標情報は、第２のノードの第２の機能エンティティの参照信号リソース識別子を含む。
【０３００】
具体的には、第２のノードの第２の機能エンティティは、第２の機能エンティティの参照信号リソース指標情報を生成し、ここで、第２の機能エンティティの参照信号リソース指標情報は、第２のノードの第２の機能エンティティの参照信号リソース識別子を含む。
【０３０１】
第２のノードの第２の機能エンティティの参照信号リソース識別子は、第２のノードの第１の機能エンティティの送信ビームに基づいて、第２のノードの第２の機能エンティティによって取得される。
【０３０２】
さらに、参照信号の送信電力を構成するときに、第２のノードの第２の機能エンティティは、第２のノードの第１の機能エンティティの送信電力を、第２のノードの第２の機能エンティティの参照信号の送信電力として使用し、参照信号によって使用される時間周波数リソース及び参照信号の送信周期性を構成する。第２のノードの第２の機能エンティティは、送信電力、時間周波数リソース、及び送信周期性を参照信号リソース指標情報に追加し、干渉測定に使用される参照信号構成メッセージを使用して、参照信号リソース指標情報を第１のノードに報告する。
【０３０３】
図１７に示されるように、参照信号リソース指標情報の特定のフォーマットは次の通りである。
【０３０４】
新しいタイプの参照信号リソース指標情報が規定され、指標情報の特定のフォーマットの例は次の通りである。
ＲＳ−Ｒｅｓｏｕｒｃｅ：：＝      ＳＥＱＵＥＮＣＥ｛
ＲＳ−ＲｅｓｏｕｒｃｅＩｄ
ｒｅｓｏｕｒｃｅＭａｐｐｉｎｇ
ｐｏｗｅｒｃｏｎｔｒｏｌ
ｐｅｒｉｏｄｉｃｉｔｙＡｎｄＯｆｆｓｅｔ
．．．｝
【０３０５】
ＲＳ−Ｒｅｓｏｕｒｃｅは、参照信号リソース指標情報である。
【０３０６】
ＲＳ−ＲｅｓｏｕｒｃｅＩｄは、参照信号リソース識別子である。
【０３０７】
オプションで、参照信号リソース指標情報は、次のうちの１つ又は複数をさらに含み得る：
ｒｅｓｏｕｒｃｅＭａｐｐｉｎｇ：これは、参照信号がマッピングされる時間周波数リソース位置を示す；
ｐｏｗｅｒｃｏｎｔｒｏｌ：参照信号の電力制御、ここで、電力制御は、参照信号を送信するためにＩＡＢノード２のＤＵが使用する送信電力を示し、参照信号の送信電力は、ＩＡＢノード２のＭＴの送信電力として構成される；及び
ｐｅｒｉｏｄｉｃｉｔｙＡｎｄＯｆｆｓｅｔ：これは、干渉測定に使用される参照信号の送信周期性及び／又は各周期性のスロットオフセットを示す。
【０３０８】
上記の送信電力及び時間周波数リソースが第１のノードによって構成される場合に、図４ａ、図４ｂ、及び図５に提供される第２のノードの第２の機能エンティティへの参照信号構成メッセージの配信を参照されたい。あるいはまた、送信電力及び時間周波数リソースは、別のメッセージを使用して、第２のノードの第２の機能エンティティに送信され得る。
【０３０９】
具体的には、第２のノードの第１の機能エンティティの送信ビーム及び第２のノードの第１の機能エンティティの送信電力を取得するプロセスは、次の通りである。
【０３１０】
図１７に示されるように、ＩＡＢノード２のＤＵは、ＩＡＢノード２のＭＴと情報を交換することにより、ＩＡＢノード２のＭＴの送信ビーム及び送信電力を取得し、ＩＡＢノード２のＤＵは、取得したＭＴの送信ビームに基づいて、参照信号リソース識別子を生成する。
【０３１１】
ここでの送信ビーム情報は、ＳＲＳを最後に送信するためにＭＴによって使用されるビーム又はビームセットであり得るか、又はドナーノードによって構成され且つＩＡＢノード２のＭＴによって最後に受信されるＳＲＩに対応するビーム又はビームセットであり得、これらのビームのそれぞれが１つのＳＲＩに対応する。
【０３１２】
ＩＡＢノード２のＤＵは、ＩＡＢノード２のＭＴの送信ビーム及び送信電力を使用して、干渉測定に使用される参照信号を送信する。
【０３１３】
ＩＡＢノード２のＤＵによって生成され且つ干渉測定に使用される参照信号構成メッセージは、１つ又は複数の参照信号リソース指標情報を含み、各参照信号リソース指標情報は、１つの送信ビームに対応する。例えば、ＭＴがＤＵに１６個のビームを通知すると、ＤＵは１６個の参照リソース指標情報を生成し、１６個の参照リソース指標情報は参照信号構成メッセージに含められる。
【０３１４】
さらに、ＩＡＢノード２のＤＵによって生成されてドナーノードに送信され、且つ干渉測定に使用される参照信号構成メッセージは、無線リソース制御（Radio  Resource  Control,  RRC）プロトコルメッセージで伝送されるか、又はＦ１インターフェースを介してＦ１−ＡＰ（F1-application  protocol）プロトコルベースのメッセージで伝送され得る。Ｆ１インターフェースは、ＩＡＢノード２の分散ユニット（distributed  unit,  DU）とドナーノードの集中ユニット（central  unit,  CU）との間のＦ１インターフェースである。
【０３１５】
Ｓ１６０４．第１のノードは、干渉測定構成メッセージを第３のノードの第１の機能エンティティに送信し、ここで、干渉測定構成メッセージは、第２のノードの第２の機能エンティティの参照信号リソース指標情報及び／又は干渉測定タイプ指標情報を含み、干渉測定タイプ指標情報は、第３のノードの第２の機能エンティティの受信ビームを使用して干渉測定を行うように、第３のノードの第１の機能エンティティに指示するために使用される。
【０３１６】
第２のノードの第２の機能エンティティの参照信号リソース指標情報のフォーマット及びコンテンツについては、ステップＳ８００の特定の説明を参照されたい。ＭＴｔｏＤＵ−Ｍｅａｓ−Ｔｙｐｅ等の干渉測定タイプ指標情報は、Ｓ８００において、第２のノードの第２の機能エンティティの参照信号リソース指標情報のフォーマットを拡張することにより、参照信号リソース指標情報の前述のフォーマットの予約フィールドに追加することができる、又はＭＴｔｏＤＵ−Ｍｅａｓ−Ｔｙｐｅ等の干渉測定タイプ指標情報は、ＲＳ構成メッセージの予約フィールドに配置できる。
【０３１７】
第１のノードが第３のノードの第１の機能エンティティに送信する干渉測定構成メッセージは、ＲＲＣ（Radio  Resource  Control、無線リソース制御）プロトコルに基づいて、第１のノードによって第３のノードの第１の機能エンティティに送信され得、ＲＲＣプロトコルの特定のメッセージで伝送される場合もあれば、又はＭＡＣ  ＣＥを使用して示される場合もある。
【０３１８】
図１７に示されるように、前述の説明は、次のように理解され得る。ドナーノードがＩＡＢノード１のＭＴに送信する干渉測定に使用される構成は、ＲＲＣ（Radio  Resource  Control、無線リソース制御）プロトコルに基づいて、ドナーノードによってＩＡＢノード１のＭＴに送信され得、ＲＲＣプロトコルの特定のメッセージで伝送されるか、又はＭＡＣ  ＣＥを使用して示される場合もある。
【０３１９】
Ｓ１６０６．第２のノードの第２の機能エンティティは、干渉測定に使用される参照信号構成メッセージに基づいて、干渉測定に使用される参照信号を送信する。
【０３２０】
図１７に示されるように、ＩＡＢノード２のＤＵは、ＩＡＢノード２のＭＴの送信ビームを取得し、これらのビームで参照信号を送信する。
【０３２１】
さらに、ＩＡＢノード２のＤＵは、ＤＵによって構成された時間周波数リソース又は指定された時間周波数リソース上で、干渉測定に使用される参照信号を送信する。定期的な測定を行う必要がある場合に、ＩＡＢノード２のＤＵは、さらに定期的に、ＤＵによって構成された送信周期又は指定された送信周期で参照信号を送信し、指定された送信電力又はＤＵによって構成された送信電力を使用して参照信号を送信する。
【０３２２】
参照信号は、同期信号ＳＳＢ、チャネル状態情報−参照信号ＣＳＩ−ＲＳ、復調参照信号ＤＭＲＳ、追跡参照信号ＴＲＳ、位相追跡参照信号ＰＴＲＳ、サウンディング参照信号ＳＲＳ、又は別のＲＳの１つ又は複数を含み得る。
【０３２３】
Ｓ１６０８．第３のノードの第１の機能エンティティは、干渉測定構成における干渉測定タイプ指標に従って、第２のノードの第２の機能エンティティによって送信され且つ干渉測定に使用される参照信号を検出し、干渉測定を行う。
【０３２４】
図１７に示されるように、ＩＡＢノード１のＭＴは、干渉測定タイプ指標に従ってＩＡＢノード１のＤＵの受信ビームを使用して、ＩＡＢノード２のＤＵによって送信された参照信号を検出し、干渉測定を行う。
【０３２５】
さらに、ＩＡＢノード１のＭＴは、干渉構成で示された時間周波数リソース及び周期性に基づいて、ＩＡＢノード２のＤＵによって送信され且つ干渉測定に使用される参照信号をさらに検出することができる。
【０３２６】
本願の実施形態における干渉測定方法は、図１〜図１６を参照して上で詳細に説明している。以下では、図を参照して、本願の実施形態における干渉測定機器について説明する。方法の実施形態で説明した技術的特徴は、以下の機器の実施形態にも適用可能であることを理解されたい。
【０３２７】
図１８は、本願の一実施形態による干渉測定機器の概略ブロック図である。機器は、前述の方法の実施形態１の方法を実行するように構成される。オプションで、機器の特定の形態は、中継ノード又は中継ノード内のチップであり得るか、或いは端末装置又は端末装置内のチップであり得る。これは、本願のこの実施形態に限定されない。
【０３２８】
図４ａ、図４ｂ、及び図５を例にとると、干渉測定機器は第２のノードである。
【０３２９】
機器は、トランシーバ１８０２及びプロセッサ１８０４を含む。
【０３３０】
トランシーバ１８０２は、ＲＳ構成メッセージを受信することであって、ＲＳ構成メッセージは、第２のノードの第２の機能エンティティの参照信号リソース指標情報を含み、第２の機能エンティティの参照信号リソース指標情報は、第２のノードの第１の機能エンティティの参照信号リソース識別子を含む、受信することと；プロセッサの指標に従って決定された１つ又は複数の送信ビームを使用して、干渉測定に使用されるＲＳを送信することと；を行うように構成される。
【０３３１】
プロセッサ１８０４は、ＲＳ構成メッセージ内の第２のノードの第１の機能エンティティの参照信号リソース識別子に基づいて、第２のノードの第１の機能エンティティの参照信号リソース識別子に対応する１つ又は複数の送信ビームを決定し、決定した送信ビームを使用して、干渉測定に使用されるＲＳを送信するようにトランシーバに指示するように構成される。
【０３３２】
干渉測定機器は、図４ａ、図４ｂ、及び図５に示される干渉測定方法を実行するように構成される。関連する技術的特徴は、図４ａ、図４ｂ、及び図５に示される方法を参照して上で詳細に説明してきた。従って、詳細について、ここでは再び説明しない。なお、干渉測定機器によって実施され得る図４ａ、図４ｂ、及び図５に示される干渉測定方法では、実施形態１の各ノード、例えば第１のノード、第２のノード、及び第３のノードは、トランシーバ及びプロセッサを含み、この方法の実施形態の各ノードの送信又は受信アクションはトランシーバによって実行され得、処理及び決定等の他のアクションはプロセッサによって実行される。
【０３３３】
さらに、上記のように、図６及び図７の検出方法については、実施形態２において、本発明のこの実施形態は、前述の機器構造にも適用される。この機器は、トランシーバ及びプロセッサを含む。各ノードの受信又は送信ステップは、各ノードのトランシーバによって実行され、処理、決定、計算、及び判断等の特定のアクションは、各ノードのプロセッサによって実行される。詳細については、ここでは再び説明しない。
【０３３４】
本願は、干渉測定機器を提供する。干渉発生ノードの第２の機能エンティティは、干渉発生ノードの第１の機能エンティティの参照信号リソース識別子に対応する１つ又は複数のビームを使用して、干渉測定に使用される参照信号を送信するので、干渉を受ける被干渉ノードは、干渉測定を迅速且つ正確に行うことができ、それによりクロスリンク信号送信の影響が大幅に軽減され、システムの送信性能が向上する。
【０３３５】
図１９は、本発明の一実施形態による別の干渉測定機器の論理的構造の概略図である。特定の実装プロセスでは、電力干渉測定機器は、ネットワーク装置又は中継装置であり得、中継装置は、基地局であり得る。干渉測定機器は、トランシーバ１９０２及びプロセッサ１９０４を含む。図８ａ、図８ｂ、及び図９を例にとると、干渉測定機器は第３のノードである。
【０３３６】
トランシーバ１９０２は、干渉測定構成メッセージを受信することであって、干渉測定構成メッセージは干渉測定タイプ指標情報を含み、干渉測定タイプ指標情報は、第３のノードの第２の機能エンティティの受信ビームを使用して干渉測定を行うように、第３のノードの第１の機能エンティティに指示するために使用される、受信することと；プロセッサの指標に従って決定した受信ビームを使用して、干渉測定に使用される参照信号を受信することと；を行うように構成される。
【０３３７】
プロセッサ１９０４は、干渉測定構成メッセージ内の干渉測定タイプ指標に従って、参照信号を検出するために使用される受信ビームが、第３のノードの第２の機能エンティティの受信ビームであると決定し、決定した受信ビームを使用して、干渉測定に使用される参照信号を受信するようにトランシーバに指示するように構成される。
【０３３８】
さらに、干渉測定構成メッセージは、第２のノードの第２の機能エンティティの参照信号リソース指標情報をさらに含み、第２のノードの第２の機能エンティティの参照信号リソース指標情報は、
第２のノードの第２の機能エンティティの参照信号リソース識別子、第２のノードの第２の機能エンティティに関するものであり且つ干渉測定に使用されるＲＳの送信電力、第２のノードの第２の機能エンティティに関するものであり且つ干渉測定に使用されるＲＳがマッピングされる時間周波数リソース位置、又は第２のノードの第２の機能エンティティに関するものであり且つ干渉測定に使用されるＲＳの送信周期性の１つ又は組合せを含む。
【０３３９】
さらに、プロセッサは、干渉測定構成メッセージ内の参照信号リソース指標情報に従って、干渉測定構成メッセージ内に示される時間周波数リソースを決定し、決定した時間周波数リソース上で、干渉測定に使用される参照信号を受信するようにトランシーバに指示するようにさらに構成される。
【０３４０】
干渉測定機器は、図８ａ、図８ｂ、及び図９に示される干渉測定方法を実行するように構成される。関連する技術的特徴は、図８ａ、図８ｂ、及び図９に示される方法を参照して上で詳細に説明してきた。従って、詳細について、ここでは再び説明しない。なお、図４ａ、図４ｂ、及び図５に示される干渉測定方法では、機器は、図４ａ、図４ｂ、及び図５に示される干渉測定機器の方法によって実施され得るものを実行するように構成される。実施形態１の各ノード、例えば第１のノード、第２のノード、及び第３のノードは、トランシーバ及びプロセッサを含み、方法の実施形態における各ノードの送信又は受信アクションは、トランシーバによって実行され得、処理及び決定等の他のアクションはプロセッサによって実行される。
【０３４１】
さらに、上記のように、図１０及び図１１の検出方法について、実施形態４において、本発明のこの実施形態は、前述の機器構造にも適用される。この機器は、トランシーバ及びプロセッサを含む。各ノードの受信又は送信ステップは、各ノードのトランシーバによって実行され、処理、決定、計算、及び判断等の特定のアクションは、各ノードのプロセッサによって実行される。詳細については、ここでは再び説明しない。
【０３４２】
本願は、前述の干渉測定機器を提供するので、干渉を受ける被干渉ノードは干渉測定を迅速且つ正確に行うことができ、それにより、クロスリンク信号送信の影響が大幅に軽減され、システムの送信性能が向上する。
【０３４３】
本発明の実施形態５〜実施形態７における別の干渉測定機器の論理的構造の概略図については、図１８及び図１９を参照されたい。ここではこれ以上の図解を提供しない。特定の実装プロセスでは、干渉測定機器は、ネットワーク装置又は中継装置であり得、中継装置は、基地局であり得る。干渉測定機器は、トランシーバ及びプロセッサを含む。
【０３４４】
さらに、上記のように、図１２〜図１７に対応する検出方法については、実施形態５〜実施形態７において、これらの実施形態は、前述の機器構造にも適用することができる。各ノードの受信又は送信ステップは、各ノードのトランシーバによって実行され、処理、決定、計算、及び判断等の特定のアクションは、各ノードのプロセッサによって実行される。詳細については、ここでは再び説明しない。
【０３４５】
図２０は、本発明の実施形態１〜実施形態７による中継ノードのハードウェア構造の概略図である。図１６に示されるように、ネットワーク装置は、プロセッサ２００２、トランシーバ２００４、複数のアンテナ２００６、メモリ２００８、Ｉ／Ｏ（入力／出力、Input/Output）インターフェース２０１０、及びバス２０１２を含む。トランシーバ２００４は、送信器２００４２及び受信器２００４４を含む。メモリ２００８は、命令２００８２及びデータ２００８４を格納するようにさらに構成される。さらに、プロセッサ２００２、トランシーバ２００４、メモリ２００８、及びＩ／Ｏインターフェース２０１０は、バス２０１２を介して互いに通信可能に接続される。複数のアンテナ２００６は、トランシーバ２００４に接続される。
【０３４６】
プロセッサ２００２は、汎用プロセッサ、例えば中央処理装置（Central  Processing  Unit,  CPU）であり得るが、これ限定されず、又は専用プロセッサ、例えばデジタル信号プロセッサ（Digital  Signal  Processor,  DSP）、特定用途向け集積回路（Application  Specific  Integrated  Circuit,  ASIC）、及びフィールドプログラマブルゲートアレイ（Field  Programmable  Gate  Array,  FPGA）であり得るが、これらに限定されない。さらに、プロセッサ２００２は、代替的に、複数のプロセッサの組合せであってもよい。特に、本発明のこの実施形態で提供される技術的解決策では、プロセッサ２００２は、例えば、図１８及び図１９の処理ユニットによって実行される動作、実施形態１〜実施形態７の方法の実施形態で実行される動作を実行するように構成され得る。プロセッサ２００２は、前述のステップ及び／又は動作を実行するために特別に設計されたプロセッサであり得るか、又はメモリ２００８に格納された命令２００８２を読み取り実行することによって前述のステップ及び／又は操作を実行するプロセッサであり得る。プロセッサ２００２は、前述のステップ及び／又は動作を実行するプロセスにおいてデータ２００８４を使用する必要がある場合がある。
【０３４７】
トランシーバ２００４は、送信器２００４２及び受信器２００４４を含む。送信器２００４２は、複数のアンテナ２００６のうちの少なくとも１つを使用して信号を送信するように構成される。受信器２００４４は、複数のアンテナ２００６のうちの少なくとも１つを使用して信号を受信するように構成される。特に、本発明のこの実施形態で提供される技術的解決策では、送信器２００４２は、複数のアンテナ２００６のうちの少なくとも１つを使用して、例えば、図１８及び図１９において処理ユニットによって実行される動作、及び実施形態１〜実施形態５の方法の実施形態で実行される動作において、送信器ユニットによって実行される動作を実行するように特に構成され得る。
【０３４８】
メモリ２００８は、様々なタイプの記憶媒体、例えば、ランダムアクセスメモリ（Random  Access  Memory,  RAM）、読み取り専用メモリ（Read  Only  Memory,  ROM）、不揮発性ＲＡＭ（Non-Volatile  RAM,  NVRAM）、プログラマブルＲＯＭ（Programmable  ROM,  PROM）、消去可能ＰＲＯＭ（Erasable  PROM,EPROM）、電気的に消去可能ＰＲＯＭ（Electrically  Erasable  PROM,  EEPROM）、フラッシュメモリ、光メモリ、及びレジスタであり得る。メモリ２００８は、命令２００８２及びデータ２００８４を格納するように特に構成される。プロセッサ２００２は、メモリ２００８に格納された命令２００８２を読み取って実行することにより前述のステップ及び／又は動作を実行することができ、前述の動作及び／又はステップを実行するプロセスにおいてデータを必要とする場合がある。
【０３４９】
Ｉ／Ｏインターフェース２０１０は、周辺装置から命令及び／又はデータを受信し、命令及び／又はデータを周辺装置に出力するように構成される。
【０３５０】
特定の実装プロセスにおいて、中継ノードは、本明細書において例として１つずつリストされていない他のハードウェアコンポーネントをさらに含み得ることに留意されたい。
【０３５１】
ノード装置のハードウェア構造図は、図１８及び図１９の処理ユニットによって実行される動作、及び実施形態１〜実施形態５の方法の実施形態で実行される動作におけるネットワーク装置のハードウェア構造図であり得る。
【０３５２】
本発明の実施形態は、干渉測定機器を提供し、機器は、実施形態１〜実施形態７のいずれか１つの方法を実行するようにさらに構成され得る。
【０３５３】
本発明の一実施形態は、命令を含むコンピュータ可読記憶媒体をさらに提供する。命令がコンピュータ上で実行されると、コンピュータは、実施形態１〜実施形態７のいずれか１つの方法を実行することができる。
【０３５４】
本発明の一実施形態は、コンピュータプログラム製品をさらに提供する。コンピュータプログラム製品はコンピュータプログラムコードを含み、コンピュータプログラムコードがコンピュータ上で実行されると、コンピュータは、実施形態１〜実施形態７のいずれか１つの方法を実行することができる。
【０３５５】
本発明の一実施形態は、メモリ及びプロセッサを含むチップをさらに提供する。メモリは、コンピュータプログラムを格納するように構成され、プロセッサは、メモリからコンピュータプログラムを呼び出してコンピュータプログラムを実行するように構成され、それによって、プロセッサは、実施形態１〜実施形態７のいずれか１つの方法を実行する。
【０３５６】
本発明の実施形態で提供される前述の方法及び機器の解決策は、プロセッサ及びトランシーバの態様で実施することができる。プロセッサは、様々な処理動作、例えば、生成、決定、判断、検索、抽出、取得、読み取り、処理すべき入力データの受信、及び処理したデータの出力等の動作を実行するように構成され、トランシーバは、送信及び受信等の動作を実行するように構成される。特定の実装プロセスでは、プロセッサは次の態様で実装できる。
【０３５７】
第１の態様では、プロセッサは専用プロセッサである。この場合に、プロセッサは、インターフェース回路及び処理回路をさらに含み得る。インターフェース回路は、処理回路によって処理する必要のあるデータを受信し、処理回路の処理結果を出力するように構成され、処理回路は、前述の様々な処理動作を実行するように構成される。
【０３５８】
第２の態様では、プロセッサは、汎用プロセッサ及びメモリのアーキテクチャを使用して実装される。汎用プロセッサは、メモリに格納された処理命令を実行するように構成され、処理命令は、前述の様々な処理動作を実行するように汎用プロセッサに指示するために使用される。汎用プロセッサによって実行される処理は、メモリに格納された処理命令に依存し、汎用プロセッサは、メモリ内の処理命令を変更することによって、異なる処理結果を出力するように制御してもよいことが理解され得る。
【０３５９】
さらに、第２の態様では、汎用プロセッサ及びメモリを同じチップ上に統合することができる。例えば、汎用プロセッサとメモリとの両方を処理チップに統合することができる。さらに、汎用プロセッサ及びメモリは、代替的に、異なるチップ上に配置することができる。例えば、汎用プロセッサは処理チップ上に配置され、メモリは記憶チップ上に配置される。
【０３６０】
本発明の実施形態で提供される技術的解決策は、代替的に、コンピュータ可読記憶媒体の態様で実施され得る。コンピュータ可読記憶媒体は、本発明の実施形態において技術的解決策を実施するための処理命令を記憶し、処理命令は、本発明の実施形態において提供される技術的解決策を完了するために汎用処理装置によって読み取られる。汎用処理装置は、プロセッサ及びトランシーバ等の必要なハードウェアコンポーネントを含む処理装置であることを理解されたい。これらのハードウェアコンポーネントの動作は、コンピュータ可読記憶媒体に格納されている処理命令に依存する。
【０３６１】
前述の実施形態の全て又はいくつかは、ソフトウェア、ハードウェア、ファームウェア、又はそれらの任意の組合せを使用して実施することができる。ソフトウェアを使用して実施形態を実施する場合に、実施形態の全て又はいくつかは、コンピュータプログラム製品の形態で実施することができる。コンピュータプログラム製品は、１つ又は複数のコンピュータ命令を含む。コンピュータプログラム命令がコンピュータにロードされて実行されると、本発明の実施形態による手順又は機能が、全て又は部分的に生成される。コンピュータは、汎用コンピュータ、専用コンピュータ、コンピュータネットワーク、又は他のプログラム可能な機器であり得る。コンピュータ命令は、コンピュータ可読記憶媒体に記憶され得るか、又はコンピュータ可読記憶媒体から別のコンピュータ可読記憶媒体に送信され得る。例えば、コンピュータ命令は、有線（例えば、同軸ケーブル、光ファイバー、又はデジタル加入者回線（DSL））又は無線（例えば、赤外線、無線、又はマイクロ波）方式で、ウェブサイト、コンピュータ、サーバ、又はデータセンタから別のウェブサイト、コンピュータ、サーバ、又はデータセンタに送信され得る。コンピュータ可読記憶媒体は、コンピュータによってアクセス可能な任意の使用可能な媒体、又は１つ又は複数の使用可能な媒体を統合するサーバ又はデータセンタ等のデータ記憶装置であり得る。使用可能な媒体は、磁気媒体（例えば、フロッピーディスク、ハードディスク、又は磁気テープ）、光媒体（例えば、ＤＶＤ）、半導体媒体（例えば、ソリッドステートドライブ（Solid  State  Disk,  SSD））等であり得る。
【０３６２】
要約すると、前述の説明は、本発明の単なる実施形態であり、本発明の保護範囲を限定することを意図するものではない。本発明の精神及び原理から逸脱することなく行われたいかなる修正、同等の置換、又は改良も、本発明の保護範囲に含まれるものとする。
【図１】
2022501953.tif 000003
【図２】
2022501953.tif 000004
【図３】
2022501953.tif 000005
【図４ａ】
2022501953.tif 000006
【図４ｂ】
2022501953.tif 000007
【図５】
2022501953.tif 000008
【図６】
2022501953.tif 000009
【図７】
2022501953.tif 000010
【図８ａ】
2022501953.tif 000011
【図８ｂ】
2022501953.tif 000012
【図９】
2022501953.tif 000013
【図１０】
2022501953.tif 000014
【図１１】
2022501953.tif 000015
【図１２】
2022501953.tif 000016
【図１３ａ】
2022501953.tif 000017
【図１３ｂ】
2022501953.tif 000018
【図１４】
2022501953.tif 000019
【図１５】
2022501953.tif 000020
【図１６】
2022501953.tif 000021
【図１７】
2022501953.tif 000022
【図１８】
2022501953.tif 000023
【図１９】
2022501953.tif 000024
【図２０】
2022501953.tif 000025
【手続補正書】
【提出日】令和3年4月30日(2021.4.30)
【手続補正１】
【補正対象書類名】特許請求の範囲
【補正対象項目名】全文
【補正方法】変更
【補正の内容】
【特許請求の範囲】
【請求項１】
統合アクセス及びバックホール（ＩＡＢ）ネットワークに適用される干渉測定方法であって、前記ＩＡＢネットワークは少なくとも第１のノード及び第２のノードを含み、該第２のノードは第１の機能エンティティ及び第２の機能エンティティを含み、当該方法は、
前記第２のノードの前記第２の機能エンティティが、参照信号構成メッセージを受信するステップであって、該参照信号構成メッセージは、前記第２のノードの前記第２の機能エンティティの参照信号リソース指標情報を含み、前記第２の機能エンティティの前記参照信号リソース指標情報は、前記第２のノードの前記第１の機能エンティティの参照信号リソース識別子を含む、受信するステップと、
前記受信した参照信号構成メッセージ内の前記第２のノードの前記第１の機能エンティティの前記参照信号リソース識別子に基づいて、前記第２のノードの前記第２の機能エンティティが、干渉測定に使用される参照信号を送信するステップと、を含む、
方法。
【請求項２】
前記受信した参照信号構成メッセージ内の前記第２のノードの前記第１の機能エンティティの前記参照信号リソース識別子に基づいて、前記第２のノードの前記第２の機能エンティティが、干渉測定に使用される参照信号を送信するステップは、
前記受信した参照信号構成メッセージ内の前記第２のノードの前記第１の機能エンティティの前記参照信号リソース識別子に基づいて、前記第２のノードの前記第２の機能エンティティが、前記第２のノードの前記第１の機能エンティティの前記参照信号リソース識別子に対応する１つ又は複数のビームを決定するステップと、
前記第２のノードの前記第２の機能エンティティが、前記決定した１つ又は複数のビームを使用して、干渉測定に使用される前記参照信号を送信するステップと、を特に含む、請求項１に記載の方法。
【請求項３】
前記参照信号リソース指標情報は、干渉測定に使用される前記参照信号がマッピングされる時間周波数リソース位置、干渉測定に使用される前記参照信号の電力制御、及び干渉測定に使用される前記参照信号の送信周期性のうちの１つ又は組合せをさらに含む、請求項１に記載の方法。
【請求項４】
干渉測定に使用される前記参照信号の前記電力制御は、前記第２のノードの前記第１の機能エンティティの送信電力である、請求項３に記載の方法。
【請求項５】
前記参照信号構成メッセージは、前記第１のノードによって生成される、請求項１に記載の方法。
【請求項６】
統合アクセス及びバックホール（ＩＡＢ）ネットワークに適用される干渉測定方法であって、前記ＩＡＢネットワークは、少なくとも第１のノード、第２のノード、及び第３のノードを含み、前記第２のノード及び前記第３のノードはそれぞれ第１の機能エンティティ及び第２の機能エンティティを含み、当該方法は、
前記第３のノードの前記第１の機能エンティティが、干渉測定構成メッセージを受信するステップであって、該干渉測定構成メッセージは干渉測定タイプ指標情報を含み、該干渉測定タイプ指標情報は、前記第３のノードの前記第２の機能エンティティの受信ビームを使用して干渉測定を行うように、前記第３のノードの前記第１の機能エンティティに指示するために使用される、受信するステップと、
前記干渉測定構成メッセージ内の干渉測定タイプ指標情報に基づいて、前記第３のノードの前記第１の機能エンティティが、参照信号を検出するために使用される受信ビームが前記第３のノードの前記第２の機能エンティティの受信ビームであると決定するステップと、
前記第３のノードの前記第１の機能エンティティが、前記決定した受信ビームを使用して、干渉測定に使用される参照信号を受信するステップと、を含む、
方法。
【請求項７】
前記干渉測定構成メッセージは、前記第２のノードの前記第２の機能エンティティの参照信号リソース指標情報をさらに含み、前記第２のノードの前記第２の機能エンティティの前記参照信号リソース指標情報は、
前記第２のノードの前記第２の機能エンティティの参照信号リソース識別子、前記第２のノードの前記第２の機能エンティティに関するものであり且つ干渉測定に使用される前記参照信号（ＲＳ）の送信電力、及び干渉測定に使用され且つ前記第２のノードの前記第２の機能エンティティに関するものである前記ＲＳがマッピングされる時間周波数リソース位置、又は前記第２のノードの前記第２の機能エンティティに関するものであり且つ干渉測定に使用される前記ＲＳの送信周期性の１つ又は組合せを含む、請求項６に記載の方法。
【請求項８】
前記干渉測定構成メッセージは、前記第１のノードによって生成される、請求項６又は７に記載の方法。
【請求項９】
干渉測定機器であって、当該機器は、
参照信号構成メッセージを受信するように構成されたトランシーバであって、前記参照信号構成メッセージは、第２のノードの第２の機能エンティティの参照信号リソース指標情報を含み、前記第２の機能エンティティの前記参照信号リソース指標情報は、前記第２のノードの第１の機能エンティティの参照信号リソース識別子を含む、トランシーバと、
プロセッサと、を含み、
該プロセッサは、
前記参照信号構成メッセージ内の前記第２のノードの前記第１の機能エンティティの前記参照信号リソース識別子に基づいて、前記第２のノードの前記第１の機能エンティティの前記参照信号リソース識別子に対応する１つ又は複数の送信ビームを決定し、
該決定した１つ又は複数の送信ビームを使用して、干渉測定に使用される参照信号を送信するように前記トランシーバに指示する、ように構成され、
前記トランシーバは、前記プロセッサの指標に基づいて前記決定した１つ又は複数の送信ビームを使用して、干渉測定に使用される前記参照信号を送信するようにさらに構成される、
機器。
【請求項１０】
前記参照信号リソース指標情報は、干渉測定に使用される前記参照信号がマッピングされる時間周波数リソース位置、干渉測定に使用される前記参照信号の電力制御、及び干渉測定に使用される前記参照信号の送信周期性のうちの１つ又は任意の組合せをさらに含む、請求項９に記載の機器。
【請求項１１】
前記干渉測定に使用される前記参照信号（ＲＳ）の電力制御は、前記第２のノードの前記第１の機能エンティティの送信電力である、請求項９又は１０に記載の機器。
【請求項１２】
干渉測定機器であって、当該機器は、
干渉測定構成メッセージを受信するように構成されたトランシーバであって、前記干渉測定構成メッセージは干渉測定タイプ指標情報を含み、該干渉測定タイプ指標情報は、第３のノードの第２の機能エンティティの受信ビームを使用して干渉測定を行うように、前記第３のノードの第１の機能エンティティに指示するために使用される、トランシーバと、
プロセッサと、を含み、
該プロセッサは、
前記干渉測定構成メッセージ内の干渉測定タイプ指標に基づいて、参照信号を検出するために使用される受信ビームが、前記第３のノードの前記第２の機能エンティティの前記受信ビームであると決定し、
該決定した受信ビームを使用して、干渉測定に使用される前記参照信号を受信するようにトランシーバに指示するように構成され、
前記トランシーバは、前記プロセッサの指標に基づいて前記決定した受信ビームを使用して、干渉測定に使用される参照信号を受信するようにさらに構成される、
機器。
【請求項１３】
前記干渉測定構成メッセージは、第２のノードの前記第２の機能エンティティの参照信号リソース指標情報をさらに含み、前記参照信号リソース指標情報は、
前記第２のノードの前記第２の機能エンティティの参照信号リソース識別子、前記第２のノードの前記第２の機能エンティティに関するものであり且つ干渉測定に使用される前記参照信号（ＲＳ）の送信電力、及び干渉測定に使用され且つ前記第２のノードの前記第２の機能エンティティに関するものである前記ＲＳがマッピングされる時間周波数リソース位置、又は前記第２のノードの前記第２の機能エンティティに関するものであり且つ干渉測定に使用される前記ＲＳの送信周期性の１つ又は組合せを含む、請求項１２に記載の機器。
【請求項１４】
前記プロセッサは、
前記干渉測定構成メッセージ内の前記参照信号リソース指標情報に基づいて、前記干渉測定構成メッセージ内に示される時間周波数リソースを決定し、
該決定した時間周波数リソースで、干渉測定に使用される前記参照信号を受信するようにトランシーバに指示する、ようにさらに構成される、請求項１３に記載の機器。
【請求項１５】
請求項１乃至５のいずれか一項に記載の前記方法を実行するように構成された、又は請求項６乃至８のいずれか一項に記載の前記方法を実行するように構成された干渉測定機器。
【請求項１６】
命令を含むコンピュータ可読記憶媒体であって、前記命令がコンピュータで実行されると、該コンピュータは、請求項１乃至５のいずれか一項に記載の前記方法を実行することができる、又は前記命令がコンピュータで実行されると、該コンピュータは、請求項６乃至８のいずれか一項に記載の前記方法を実行することができる、コンピュータ可読記憶媒体。
【請求項１７】
コンピュータ可読記憶媒体に記録されるコンピュータプログラムであって、該コンピュータプログラムがコンピュータで実行されると、該コンピュータは、請求項１乃至５のいずれか一項に記載の前記方法を実行することができる、又は前記コンピュータは、請求項６乃至８のいずれか一項に記載の前記方法を実行することができる、コンピュータプログラム。
【請求項１８】
メモリ及びプロセッサを含むチップであって、前記メモリはコンピュータプログラムを格納するように構成され、前記プロセッサが前記メモリから前記コンピュータプログラムを呼び出して該コンピュータプログラムを実行するように構成され、それによって、前記プロセッサは、請求項１乃至５のいずれか一項に記載の前記方法を実行する、又は前記プロセッサは、請求項６乃至８のいずれか一項に記載の前記方法を実行する、チップ。
【手続補正２】
【補正対象書類名】明細書
【補正対象項目名】全文
【補正方法】変更
【補正の内容】
【発明の詳細な説明】
【技術分野】
【０００１】
本願は、２０１８年９月２８日に中国国家知識産権局に出願された、“INTERFERENCE  MEASUREMENT  METHOD  AND  APPARATUS”という表題の中国特許出願第２０１８１１１４３４７０．８号に対する優先権を主張するものであり、この文献は、その全体が参照により本明細書に組み込まれる。
【０００２】
本願は、通信分野、より具体的には、干渉測定方法及び機器に関する。
【背景技術】
【０００３】
第５世代通信システム（第５世代移動ネットワーク又は第５世代無線システム、５Ｇ）において、統合アクセス及びバックホール（integrated  access  and  backhaul,  IAB）ノードは、中継技術における進化型ノードである。無線通信ネットワークでは、中継ノードが、通常、拡張カバレッジ又は死角カバレッジを満たす（implement）ため、又はシステム容量を改善するために使用される。ＩＡＢノードは、ＩＡＢモバイルターミネーション（mobile  termination,  MT）及びＩＡＢ基地局分散ユニット（Distributed  Unit,  DU）に機能的に分割される。ＩＡＢ  ＭＴは、ＩＡＢノードが端末装置ＵＥとして上位レベル（upper-level）ノードにアクセスすることを意味する。ＩＡＢ  ＤＵは、ＩＡＢノードがＵＥ及び別のダウンストリームノードに基地局分散ユニットとしてアクセスサービスを提供することを意味する。
【０００４】
ＩＡＢノードがネットワークにアクセスするときに、ＩＡＢ  ＤＵがＵＥにサービスを提供するためのリンクは、アクセスリンク（Access  link,  AC）と呼ばれ、ＩＡＢ  ＤＵがデータを別のＩＡＢノードに送信するためのリンクは、バックホールリンク（backhaul  link,  BH）と呼ばれる。スケジューリング結果がＩＡＢノード毎に異なるため、ＩＡＢノード毎に同時に異なる受信ステータス及び送信ステータスが発生する可能性がある。例えば、バックホールリンク又はアクセスリンクで送信された信号を受信するときに、ＩＡＢノードは別のＩＡＢノードによって送信された信号から干渉を受け、この干渉はクロスリンク干渉（cross  link  interference,  CLI）と呼ばれる。クロスリンク干渉は、ＩＡＢノードの送信能力を低下させ、特にバックホールリンクへの干渉状態に陥り、深刻なパフォーマンスの低下をもたらす。従って、ＩＡＢノードに対して干渉測定を行い、次にターゲットを絞った干渉管理手段を実行して、クロスリンク干渉を回避する方法、又はクロスリンク信号送信の影響を軽減する方法は、現在のＩＡＢ標準化で考慮する必要がある問題である。
【発明の概要】
【０００５】
上記を考慮して、本願は、干渉測定方法及び機器を提供する。干渉発生ノードの第２の機能エンティティが、干渉発生ノードの第１の機能エンティティの参照信号リソース識別子に対応する１つ又は複数のビームを使用して、干渉測定に使用される参照信号を送信し、それによって、干渉を受ける被干渉ノードが干渉測定を迅速且つ正確に行うことができる。このようにして、クロスリンク干渉下のノード同士の間の干渉測定が実施されるため、クロスリンク信号送信の影響が大幅に軽減され、システムの送信性能が向上する。
【０００６】
第１の態様によれば、干渉測定方法が提供され、この方法は、統合アクセス及びバックホール（ＩＡＢ）ネットワークに適用される。ＩＡＢネットワークは少なくとも第１のノード及び第２のノードを含み、第２のノードは第１の機能エンティティ及び第２の機能エンティティを含む。この方法は、次のステップを含む。
【０００７】
第２のノードの第２の機能エンティティが参照信号（ＲＳ）構成メッセージを受信し、ＲＳ構成メッセージは、第２のノードの第２の機能エンティティの参照信号リソース指標情報を含み、第２の機能エンティティの参照信号リソース指標情報は、第２のノードの第１の機能エンティティの参照信号リソース識別子を含む；そして
第２のノードの第２の機能エンティティは、受信したＲＳ構成メッセージ内の第２のノードの第１の機能エンティティの参照信号リソース識別子に基づいて、干渉測定に使用される参照信号を送信する。
【０００８】
前述の実施形態によれば、干渉発生ノードの第２の機能エンティティは、干渉発生ノードの第１の機能エンティティの参照信号リソース識別子に対応する１つ又は複数のビームを使用して、干渉測定に使用される参照信号を送信するので、被干渉ノードが干渉測定を迅速且つ正確に行うことができ、それによりクロスリンク信号送信の影響が大幅に軽減され、システムの送信性能が向上する。
【０００９】
第２の態様によれば、干渉測定方法が提供され、この方法は、統合アクセス及びバックホール（ＩＡＢ）ネットワークに適用される。ＩＡＢネットワークは、少なくとも第１のノード、第２のノード、及び第３のノードを含み、第２のノード及び第３のノードはそれぞれ第１の機能エンティティ及び第２の機能エンティティを含む。この方法は、次のステップを含む。
【００１０】
第３のノードの第１の機能エンティティは干渉測定構成メッセージを受信し、干渉測定構成メッセージは干渉測定タイプ指標情報を含み、干渉測定タイプ指標情報は、第３のノードの第２の機能エンティティの受信ビームを使用して干渉測定を行うように、第３のノードの第１の機能エンティティに指示するために使用される；
第３のノードの第１の機能エンティティは、干渉測定構成内の干渉測定タイプ指標に従って、参照信号を検出するために使用される受信ビームが第３のノードの第２の機能エンティティの受信ビームであると決定する；そして
第３のノードの第１の機能エンティティは、決定した受信ビームを使用して、干渉測定に使用される参照信号を受信する。
【００１１】
前述の実施形態で提供される干渉測定方法によれば、被干渉ノードは、干渉測定を迅速且つ正確に行うことができ、それにより、クロスリンク信号送信の影響が大幅に軽減され、システムの送信性能が向上する。
【００１２】
第３の態様によれば、干渉測定機器が提供され、この機器は、
ＲＳ構成メッセージを受信し、プロセッサの指標に従って決定された１つ又は複数の送信ビームを使用して、干渉測定に使用されるＲＳを送信するように構成されたトランシーバであって、ＲＳ構成メッセージは、第２のノードの第２の機能エンティティの参照信号リソース指標情報を含み、第２の機能エンティティの参照信号リソース指標情報は、第２のノードの第１の機能エンティティの参照信号リソース識別子を含む、トランシーバと、
プロセッサと、を含み、
プロセッサは、
ＲＳ構成メッセージ内の第２のノードの第１の機能エンティティの参照信号リソース識別子に基づいて、第２のノードの第１の機能エンティティの参照信号リソース識別子に対応する１つ又は複数の送信ビームを決定し、
決定した送信ビームを使用して、干渉測定に使用されるＲＳを送信するようにトランシーバに指示する、ように構成される。
【００１３】
前述の実施形態で提供される干渉測定機器によれば、被干渉ノードは、干渉測定を迅速且つ正確に行うことができ、それにより、クロスリンク信号送信の影響が大幅に軽減され、システムの送信性能が向上する。
【００１４】
第４の態様によれば、干渉測定機器が提供され、この機器は、
干渉測定構成メッセージを受信し、プロセッサの指標に従って決定された受信ビームを使用して、干渉測定に使用される参照信号を受信するように構成されたトランシーバであって、干渉測定構成メッセージは干渉測定タイプ指標情報を含み、干渉測定タイプ指標情報は、第３のノードの第２の機能エンティティの受信ビームを使用して、干渉測定を行うように第３のノードの第１の機能エンティティに指示するために使用される、トランシーバと、
プロセッサと、を含み、
プロセッサは、
干渉測定構成メッセージ内の干渉測定タイプ指標に従って、参照信号の検出に使用される受信ビームが、第３のノードの第２の機能エンティティの受信ビームであると決定し、
決定した受信ビームを使用して、干渉測定に使用される参照信号を受信するようにトランシーバに指示する、ように構成される。
【００１５】
前述の実施形態で提供される干渉測定機器によれば、被干渉ノードは、干渉測定を迅速且つ正確に行うことができ、それにより、クロスリンク信号送信の影響が大幅に軽減され、システムの送信性能が向上する。
【００１６】
第５の態様によれば、干渉測定機器が提供され、この機器は、
プログラムを格納するように構成されたメモリと、
メモリに格納されたプログラムを実行するように構成されたプロセッサと、を含み、プログラムが実行されると、プロセッサは、第１の態様又は第２の態様のいずれかの方法を実行するように構成される。
【００１７】
第６の態様によれば、干渉測定機器が提供され、この機器は、命令を含むコンピュータ可読記憶媒体を含み、命令がコンピュータで実行されると、コンピュータは、第１の態様又は第２の態様のいずれかの方法を実行することができる。
【００１８】
第７の態様によれば、コンピュータプログラム製品を含む干渉測定機器が提供される。コンピュータプログラム製品は、コンピュータプログラムコードを含み、コンピュータプログラムコードがコンピュータで実行されると、コンピュータは、第１の態様又は第２の態様のいずれかの方法を実行することができる。
【００１９】
第８の態様によれば、メモリ及びプロセッサを含むチップが提供される。メモリはコンピュータプログラムを格納するように構成され、プロセッサはメモリからコンピュータプログラムを呼び出してコンピュータプログラムを実行するように構成され、それによって、プロセッサは、第１の態様又は第２の態様のいずれかの方法を実行することができる。
【図面の簡単な説明】
【００２０】
【図１】本願の実施形態が適用されるシステムアーキテクチャの図である。
【図２】本願の一実施形態による別のシステムアーキテクチャの図である。
【図３】本願の一実施形態による別のシステムアーキテクチャの図である。
【図４ａ】本願の一実施形態による干渉測定の概略フローチャートである。
【図４ｂ】本願の一実施形態による干渉測定の別の概略フローチャートである。
【図５】本願の一実施形態によるシステムアーキテクチャの図である。
【図６】本願の一実施形態による干渉測定の別の概略フローチャートである。
【図７】本願の一実施形態によるシステムアーキテクチャの図である。
【図８ａ】本願の一実施形態による干渉測定の概略フローチャートである。
【図８ｂ】本願の一実施形態による干渉測定の別の概略フローチャートである。
【図９】本願の一実施形態によるシステムアーキテクチャの図である。
【図１０】本願の一実施形態による干渉測定の別の概略フローチャートである。
【図１１】本願の一実施形態によるシステムアーキテクチャの図である。
【図１２】本願の一実施形態による干渉測定の別の概略フローチャートである。
【図１３ａ】本願の一実施形態によるシステムアーキテクチャの図である。
【図１３ｂ】本願の一実施形態によるフレームフォーマットの概略構造ブロック図である。
【図１４】本願の一実施形態による干渉測定の別の概略フローチャートである。
【図１５】本願の一実施形態によるシステムアーキテクチャの図である。
【図１６】本願の一実施形態による干渉測定の別の概略フローチャートである。
【図１７】本願の一実施形態によるシステムアーキテクチャの図である。
【図１８】本願の一実施形態による干渉測定機器の概略ブロック図である。
【図１９】本願の一実施形態による別の干渉測定機器の概略ブロック図である。
【図２０】本願の一実施形態によるネットワーク装置のハードウェア構造の概略図である。
【発明を実施するための形態】
【００２１】
以下では、添付の図面を参照して、本願の技術的解決策について説明する。
【００２２】
図１は、本願の一実施形態による通信システムの概略図である。図１に示されるように、通信システムは、ネットワーク装置及び少なくとも１つの端末装置を含む。端末装置は、ネットワーク装置のカバレッジ内にあり、ネットワーク装置と通信して、本願の以下の実施形態で提供される技術的解決策を実施する。この実施形態の通信システムは、マルチＴＲＰシナリオに適用することができる。
【００２３】
本願の実施形態について、ネットワーク装置及び端末装置を参照して説明する。ネットワーク装置及び端末装置は、ライセンス要（licensed）の周波数帯域又はライセンス不要（unlicensed）の周波数帯域で動作し得る。
【００２４】
端末装置は、ユーザ機器（User  Equipment,  UE）、アクセス端末、加入者ユニット、加入者局、移動局、移動コンソール、リモート局、リモート端末、モバイル装置、ユーザ端末、端末、無線通信装置、ユーザエージェント、ユーザ機器等とも呼ばれ得る。端末装置は、無線ローカルエリアネットワーク（Wireless  Local  Area  Network,  WLAN）内のステーション（局）（STATION,  ST）であり得、携帯電話、コードレス電話、セッション開始プロトコル（Session  Initiation  Protocol,  SIP）電話、無線ローカルループ（Wireless  Local  Loop,  WLL）ステーション、携帯情報端末（Personal  Digital  Assistant,  PDA）、無線通信機能を有するハンドヘルド装置、コンピュータ装置、無線モデムに接続される別の処理装置、車載型装置、ウェアラブル装置、５Ｇネットワークの端末装置、将来の進化型公衆陸上移動ネットワーク（Public  Land  Mobile  Network,  PLMN）の端末装置、又はＮＲシステムの端末装置であり得る。
【００２５】
限定ではなく、例として、本願の実施形態では、端末装置は、代替的に、ウェアラブル装置であってもよい。ウェアラブル装置は、ウェアラブルインテリジェント装置とも呼ばれ得、これは、日常身に着けるもののインテリジェントな設計及び開発にウェアラブル技術を使用した後に得られる、メガネ、手袋、時計、衣服、靴等のウェアラブル装置の総称である。ウェアラブル装置は、直接着用される又はユーザの衣服又はアクセサリに組み込まれるポータブル装置である。ウェアラブル装置は、ハードウェア装置であるだけでなく、ソフトウェアサポート、データ交換、クラウド交換を通じて強力な機能も実現する。一般的なウェアラブルインテリジェント装置には、スマートフォンに依存せずに全て又は一部の機能を実現できる、スマートウォッチ又はスマートグラス等の大型のフル機能ウェアラブル装置と、特定のタイプのアプリケーション機能のみに集中し且つスマートフォン等の別の装置と一緒に使用する必要がある、バイタルサイン監視を実行する様々なスマートバンド及びスマートジュエリー等のウェアラブル装置とが含まれる。
【００２６】
さらに、ネットワーク装置は、無線アクセスネットワーク（Radio  Access  Network,  RAN）装置とも呼ばれ、端末装置を無線ネットワークに接続する装置であり、進化型ノードＢ（Evolutional  Node  B、eNB、又はeNodeB）、中継局、又はロングタームエボリューション（Long  Term  Evolution,  LTE）のアクセスポイント、５Ｇネットワークのネットワーク装置、将来の進化型ＰＬＭＮネットワークのネットワーク装置、ＮＲシステムの新世代のＮｏｄｅＢ（new  radio  NodeB,  gNodeB）等であり得る。これは本明細書では限定されない。
【００２７】
さらに、本願の実施形態では、ネットワーク装置はセルにサービスを提供し、端末装置は、セルで使用される送信リソース（例えば、周波数領域リソース又はスペクトルリソース）を使用してネットワーク装置と通信する。セルは、ネットワーク装置（例えば、基地局）に対応するセルであり得、セルは、マクロ基地局に属してもよく、又はスモールセル（small  cell）に対応する基地局であり得る。ここでのスモールセルは、メトロセル（Metro  cell）、マイクロセル（Micro  cell）、ピコセル（Pico  cell）、フェムトセル（Femto  cell）等を含み得る。これらのスモールセルは、カバレッジが小さく、送信電力が低いという特徴があり、高速データ伝送サービスの提供に適用できる。
【００２８】
図１は、本願の実施形態が適用される通信システムの概略構造図である。
【００２９】
本願の実施形態で言及される通信システムは、狭帯域のモノのインターネット（narrow  band-internet  of  things,  NB-IoT）システム、ロングタームエボリューション（long  term  evolution,  LTE）システム、次世代５Ｇ移動通信システム、５Ｇ後の通信システム、又は装置間（device  to  device,  D２D）通信システムを含むが、これらに限定されないことに留意されたい。
【００３０】
図１に示される通信システムにおいて、統合アクセス及びバックホール（ＩＡＢ）システムが提供される。１つのＩＡＢシステムは、少なくとも１つの基地局１００、基地局１００によってサービスを受ける１つ又は複数の端末１０１、１つ又は複数の中継ノード（relay  transmission  reception  point,  rTRP）１１０、及びｒＴＲＰ１１０によってサービスを受ける１つ又は複数の端末１１１を含む。一般的に、基地局１００は、ドナー次世代ＮｏｄｅＢ（donor  next  generation  NodeB,  DgNB）と呼ばれ、ｒＴＲＰ１１０は、ワイヤレスバックホールリンク１１３を介して基地局１００に接続される。本願では、端末は、ターミネーションとも呼ばれ、ドナー次世代ＮｏｄｅＢは、ドナーノード、すなわちＤｏｎｏｒノードとも呼ばれる。基地局には、進化型ノードＢ（evolved  node  base,  eNB）、無線ネットワークコントローラ（radio  network  controller,  RNC）、ノードＢ（NodeB,  NB）、基地局コントローラ（base  station  controller,  BSC）、ベーストランシーバ基地局（base  transceiver  station,  BTS）、ホームノードＢ（例えば、ホーム進化型ノードＢ又はホームＮｏｄｅＢ、ＨＮＢ）、ベースバンドユニット（baseband  unit,  BBU）、次世代の新しい無線ノードＢ（例えば、ｇＮＢ）等が含まれるが、これらに限定されない。
【００３１】
統合アクセス及びバックホールシステムは、ｒＴＲＰ１２０及びｒＴＲＰ１３０等の複数の他の中継ノードをさらに含み得る。ｒＴＲＰ１２０は、ネットワークにアクセスするために、ワイヤレスバックホールリンク１２３を介して中継ノードｒＴＲＰ１１０に接続され、ｒＴＲＰ１３０は、ネットワークにアクセスするために、ワイヤレスバックホールリンク１３３を介して中継ノードｒＴＲＰ１１０に接続され、ｒＴＲＰ１２０は、１つ又は複数の端末１２１にサービスを提供し、ｒＴＲＰ１３０は、１つ又は複数の端末１３１にサービスを提供する。図１では、中継ノードｒＴＲＰ１１０及びｒＴＲＰ１２０は両方とも、ワイヤレスバックホールリンクを介してネットワークに接続される。本願では、ワイヤレスバックホールリンクを中継ノードの観点から説明する。例えば、ワイヤレスバックホールリンク１１３は、中継ノードｒＴＲＰ１１０のバックホールリンクであり、ワイヤレスバックホールリンク１２３は、中継ノードｒＴＲＰ１２０のバックホールリンクである。図１に示されるように、中継ノード１２０等の中継ノードは、ワイヤレスバックホールリンク１２３等のワイヤレスバックホールリンクを介して別の中継ノード１１０に接続されて、ネットワークに接続され得る。さらに、中継ノードは、マルチレベルワイヤレス中継ノードを使用してネットワークに接続され得る。
【００３２】
一般に、ワイヤレスバックホールリンクリソースを提供するノード、例えば中継ノード１１０は、中継ノード１２０の上位レベルノード（upper-level  node）と呼ばれ、中継ノード１２０は、中継ノード１１０の下位レベルノード（lower-level  node）と呼ばれる。一般に、下位レベルノードは、上位レベルノードの端末と見なすことができる。図１に示される統合アクセス及びバックホールシステムでは、１つの中継ノードが１つの上位レベルノードに接続されると理解すべきである。しかしながら、将来の中継システムでは、ワイヤレスバックホールリンクの信頼性を高めるために、複数の上位レベルノードが中継ノード１２０等の１つの中継ノードに同時にサービスを提供することができる。例えば、図のｒＴＲＰ１３０は、バックホールリンク１３４を介して中継ノードｒＴＲＰ１２０にも接続することができる。換言すると、ｒＴＲＰ１１０とｒＴＲＰ１２０との両方は、ｒＴＲＰ１３０の上位レベルノードである。本願では、端末１０１、１１１、１２１、及び３１１は、固定又はモバイル装置であり得る。例えば、モバイル装置は、携帯電話、インテリジェント端末、タブレットコンピュータ、ノートブックコンピュータ、ビデオゲームコンソール、マルチメディアプレーヤ、又はさらにモバイル中継ノードであり得る。固定装置は、通常、コンピュータ又はアクセスポイント（固定式中継ノード等のワイヤレスリンクを介してネットワークに接続される）等の固定位置に配置される。中継ノードｒＴＲＰ１１０、１２０、又は１３０の名前は、展開シナリオ又はネットワークを制限するものではなく、中継又はＲＮ等の他の名前であってもよい。本願でのｒＴＲＰの使用は、説明を容易にするための要件に過ぎない。
【００３３】
１つ又は複数の中継ノードｒＴＲＰ１１０は、ＩＡＢノードとも呼ばれ得る。各ＩＡＢノードには、２つの機能エンティティ：分散ユニット（Distributed  Unit,  DU）及びモバイルターミネーション（Mobile  Termination）が含まれる。ＵＥの機能と同様に、機能エンティティＭＴは、上位レベルノード（ドナーノード又はＩＡＢノード）からダウンリンクデータを受信するか、又はアップリンクデータを上位レベルノードに送信する。基地局の機能と同様に、機能エンティティＤＵは、ダウンリンクデータを下位レベルノード（ＩＡＢノード又はモバイルターミネーション）に送信するか、又は下位レベルノードによって送信されたアップリンクデータを受信する。例えば、図２に提供されるＩＡＢシステムの場合に、ＩＡＢシステムは、１つのドナーノード及び３つのＩＡＢノード（ＩＡＢノード１、ＩＡＢノード２、及びＩＡＢノード３）を含む。ＩＡＢノード２及びＩＡＢノード３は、ドナーノードに直接接続され、ＩＡＢノード１は、ＩＡＢノード３のサブノードであり、ドナーノード及び各ＩＡＢノードは、１つ又は複数のユーザＵＥノード、例えば、ＵＥ１、ＵＥ２、ＵＥ３、及びＵＥ４に別々にサービスを提供する。
【００３４】
図１では、無線リンク１０２、１１２、１２２、１３２、１１３、１２３、１３３、及び１３４は、アップリンク及びダウンリンク送信リンクを含む双方向リンクであり得る。特に、無線バックホールリンク１１３、１２３、１３３、及び１３４は、下位レベルノードにサービスを提供するために、上位レベルノードによって使用され得る。例えば、上位レベルノード１００は、下位レベルノード１１０にワイヤレスバックホールサービスを提供する。バックホールリンクのアップリンク及びダウンリンクは、分離され得る、すなわち、アップリンク及びダウンリンクでの送信は同じノードを使用して実行されないことを理解されたい。ダウンリンク送信とは、ノード１００等の上位レベルノードが情報又はデータをノード１１０等の下位レベルノードに送信することを意味し、アップリンク送信とは、ノード１１０等の下位レベルノードが情報又はデータをノード１００等の上位レベルノードに送信することを意味する。ノードは、ネットワークノード又は端末に限定されない。例えば、Ｄ２Ｄシナリオでは、端末が中継ノードとして別の端末にサービスを提供することができる。いくつかのシナリオでは、ワイヤレスバックホールリンクは、代替的にアクセスリンクになり得る。例えば、バックホールリンク１２３は、ノード１１０のアクセスリンクと見なすこともでき、バックホールリンク１１３は、ノード１００のアクセスリンクでもある。上位レベルノードは、基地局又は中継ノードであってもよく、下位レベルノードは、中継ノードであってもよく、又は中継機能を有する端末であってもよいことことを理解されたい。例えば、Ｄ２Ｄシナリオでは、下位レベルノードは代替的に端末であってもよい。
【００３５】
図１では、ドナーノードは、ノードを使用してコアネットワークにアクセスできるノード、又は無線アクセスネットワーク内のアンカー基地局であり、ネットワークへのアクセスは、アンカー基地局を使用して実施することができる。アンカー基地局は、パケットデータコンバージェンスプロトコル（packet  data  convergence  protocol,  PDCP）層でのデータ処理を担当するか、又はコアネットワークからデータを受信してデータを中継ノードに転送するか、又は中継ノードからデータを受信してデータをコアネットワークに転送することを担当する。
【００３６】
中継ノードが半二重通信（half  duplex）制約下にあるとき、ワイヤレスバックホールリンクのスペクトルリソース及びインバンド中継のアクセスリンクがオーバーラップし、すなわち、バックホールリンク及びインバンド中継のアクセスリンクが同じ周波数帯域を有する。例えば、基地局のダウンリンクワイヤレスバックホールリンクで受信を行う場合に、ｒＴＲＰは下位端末又は装置への送信を行えず、バックホールリンク上で上位レベルノードへのアップリンク送信を行う場合に、ｒＴＲＰは、下位端末又は装置による下位レベルノードのアップリンクアクセスリンク又はバックホールリンクでの送信を受信できない。インバンド中継の半二重通信制約は、周波数内の同時送受信の半二重通信制約であり、システムで使用される時分割複信（Time  Division  Duplexing,  TDD）又は周波数分割複信（Frequency  Division  Duplexing,  TDD）とは無関係であることを理解されたい。
【００３７】
いくつかの一般的な技術用語は、以下のように規定される。
【００３８】
アクセスリンク：アクセスリンクは、ノードが、ノードの下位レベルノードと通信するために使用する無線リンクであり、アップリンク送信及びダウンリンク送信のためのリンクを含む。アクセスリンクでのアップリンク送信は、アクセスリンクのアップリンク送信とも呼ばれ、アクセスリンクでのダウンリンク送信は、アクセスリンクのダウンリンク送信とも呼ばれる。ノードには、上記のＩＡＢノードが含まれるが、これに限定されない。
【００３９】
バックホールリンク：バックホールリンクは、ノードが、ノードの上位レベルノードと通信するために使用する無線リンクであり、アップリンク送信及びダウンリンク送信のためのリンクを含む。バックホールリンクでのアップリンク送信は、バックホールリンクのアップリンク送信とも呼ばれ、バックホールリンクでのダウンリンク送信は、バックホールリンクのダウンリンク送信とも呼ばれる。ノードには、上記のＩＡＢノードが含まれるが、これに限定されない。
【００４０】
ビーム（beam）は、空間リソースとして理解され得、エネルギー伝達指向性を有する送信又は受信プリコーディングベクトルであり得る。さらに、送信又は受信プリコーディングベクトルは、インデックス情報を使用して識別できる。エネルギー伝達指向性は、プリコーディングベクトルを使用して、送信する必要のある信号に対してプリコーディング処理を行い、それによって、プリコーディング処理を行った後に得られる信号は特定の空間指向性を有していること、及びプリコーディングベクトルを使用してプリコーディング処理を行った後に得られる受信信号は、受信電力が比較的良好になる、例えば、受信した復調信号対雑音比を満たすことを意味する。エネルギー伝達指向性は、異なる空間位置から送信され、且つプリコーディングベクトルを使用して受信された同じ信号が異なる受信電力を有することを意味する場合もある。オプションで、端末装置又はネットワーク装置等の同じ通信装置は、異なるプリコーディングベクトルを有してもよく、異なる通信装置は、異なるプリコーディングベクトルを有してもよく、すなわち、異なるビームに対応することができる。
【００４１】
通信装置の構成又は機能のために、１つの通信装置は、複数の異なるプリコーディングベクトルのうちの１つ又は複数を同時に使用することができ、すなわち、１つ又は複数のビームを同時に形成することができる。ビーム情報は、インデックス情報を使用して識別できる。オプションで、インデックス情報は、端末装置の構成されたリソース識別子（identity,  ID）に対応し得る。例えば、インデックス情報は、構成されたチャネル状態情報−参照信号（Channel  status  information  Reference  Signal,  CSI-RS）のＩＤ、つまりインデックス（index）又はリソースに対応し得、構成されたアップリンクサウンディング参照信号（Sounding  Reference  Signal,  SRS）のＩＤ又はリソースに対応し得る。あるいはまた、オプションで、インデックス情報は、ビームで伝送される（carried）チャネル又は信号によって明示的又は暗黙的に伝送されるインデックス情報であり得る。例えば、インデックス情報は、ビームに関するものであり且つビームを使用して送信される同期信号又はブロードキャストチャネルによって示されるインデックス情報を含み得るが、これに限定されない。リソースは、時間ドメイン、周波数ドメイン、又はコードドメイン（シーケンス）の少なくとも１つであり得る。
【００４２】
本明細書における「及び／又は」という用語は、関連するオブジェクトを説明するための関連関係のみを説明し、３つの関係が存在し得ることを表すことを理解されたい。例えば、Ａ及び／又はＢは、次の３つのケースを表し得る：Ａのみが存在し、ＡとＢとの両方が存在し、Ｂのみが存在する。
【００４３】
さらに、５Ｇ  ＮＲは、高周波帯域をサポートし、大規模アンテナ技術（Massive  MIMO）を使用するので、信号のエネルギーを、特定の方向に集中的に送信することができる。このようにして、ＩＡＢ装置は、複数の方向に送信された信号を同時に受信することができる。図２に示されるように、以下では、ＩＡＢにおける空間分割送信におけるシステム構成のいくつかの概略図についてさらに説明する。
【００４４】
図２に示されるように、ＩＡＢシステムは、ＩＡＢ装置（例えば、ＩＡＢノード１、ＩＡＢノード２、及びＩＡＢノード３）、並びに各ＩＡＢ装置によってサービス提供を受ける端末装置ＵＥ及びドナーノードを含む。ドナーノードは、ＩＡＢノード２の上位レベルノード又は親ノードであり、ＩＡＢノード２は、ドナーノードとの信号送信を行い、ＵＥ２にサービスを提供することができる。同様に、ＩＡＢノード１の上位レベルノードはＩＡＢノード３であり、ＩＡＢノード１は、ＩＡＢノード３との信号送信を行い、ＵＥ１にサービスを提供する。
【００４５】
図２のシナリオに基づいて、以下では、図３を使用して様々なアプリケーションシナリオにおける干渉測定について具体的に説明する。
【００４６】
図３において、シナリオ１、すなわちケース１では、ＩＡＢノード１は、ＭＴを使用して、ドナーノードによって送信された信号を受信し、ＩＡＢノード２は、ＭＴを使用してデータをＩＡＢノード３に送信する。この場合に、ダウンリンク信号を受信するときに、ＩＡＢノード１のＭＴは、ＩＡＢノード２のＭＴによって送信されたアップリンク信号によって干渉を受ける。ここで、干渉源はＩＡＢノード２であり、干渉を受ける被干渉ノードはＩＡＢノード１である。クロスリンク干渉ＣＬＩは、ＩＡＢノード２のＭＴからＩＡＢノード１のＭＴへの干渉である。
【００４７】
図３において、シナリオ２、すなわちケース２では、ＩＡＢノード１は、ＭＴを使用して、ドナーノードによって送信された信号を受信し、ＩＡＢノード２は、ＤＵを使用して信号をＵＥに送信する。この場合に、ダウンリンク信号を受信するときに、ＩＡＢノード１のＭＴは、ＩＡＢノード２のＤＵによって送信されたダウンリンク信号によって干渉を受ける。ここで、干渉源はＩＡＢノード２のＤＵであり、干渉を受ける被干渉ノードはＩＡＢノード１のＭＴである。クロスリンク干渉は、ＩＡＢノード２のＤＵからＩＡＢノード１のＭＴへの干渉である。
【００４８】
図３において、シナリオ３、すなわちケース３では、ＩＡＢノード１は、ＤＵを使用して、ＵＥによって送信された信号を受信し、ＩＡＢノード２は、ＭＴを使用して、信号をＩＡＢノード３に送信する。この場合に、アップリンク信号を受信するときに、ＩＡＢノード１のＤＵは、ＩＡＢノード２のＭＴによって送信されたアップリンク信号によって干渉を受ける。ここで、干渉源はＩＡＢノード２のＭＴであり、干渉を受ける被干渉ノードはＩＡＢノード１のＤＵである。クロスリンク干渉は、ＩＡＢノード２のＭＴからＩＡＢノード１のＤＵへの干渉である。
【００４９】
図３において、シナリオ４、すなわちケース４では、ＩＡＢノード１は、ＤＵを使用して、ＵＥによって送信された信号を受信し、ＩＡＢノード３は、ＤＵを使用して、信号をＩＡＢノード２に送信する。この場合に、アップリンク信号を受信するときに、ＩＡＢノード１のＤＵは、ＩＡＢノード３のＤＵによって送信されたダウンリンク信号によって干渉を受ける。ここで、干渉源はＩＡＢノード３のＤＵであり、干渉を受ける被干渉ノードはＩＡＢノード１のＤＵである。クロスリンク干渉ＣＬＩは、ＩＡＢノード３のＤＵからＩＡＢノード１のＤＵへの干渉である。
【００５０】
実施形態１
図４ａは、本願の一実施形態による干渉測定方法のフローチャートである。以下では、図５に示されるＩＡＢネットワークアーキテクチャを例として使用して、干渉測定方法について詳細に説明する。前述の適用シナリオは、以下の干渉測定方法に適用することができる。
【００５１】
図５において、ＩＡＢノード１は、ＭＴを使用して、ＩＡＢノード３のＤＵによって送信された信号を受信し、ＩＡＢノード２は、ＭＴを使用して、データをドナーノードに送信する。この場合に、ダウンリンク信号を受信するときに、ＩＡＢノード１のＭＴは、ＩＡＢノード２のＭＴによって送信されたアップリンク信号によって干渉を受ける。ここで、干渉源はＩＡＢノード２であり、干渉を受ける被干渉ノードはＩＡＢノード１である。干渉は、具体的にはクロスリンク干渉ＣＬＩであり得、ＣＬＩは、ＩＡＢノード２のＭＴからＩＡＢノード１のＭＴへの干渉である。
【００５２】
図５に示されるように、ＩＡＢノード１のＭＴとＩＡＢノード２のＭＴとの間のクロスリンク干渉が、いくつかのスロットに存在し得る。従って、ＩＡＢノード１のＭＴとＩＡＢノード２のＭＴとの間のクロスリンク干渉を測定する必要がある。具体的な干渉測定方法は次の通りである。
【００５３】
Ｓ４００：第１のノードは、参照信号（reference  signal,  RS）構成メッセージを送信し、ここで、ＲＳ構成メッセージは、第２のノードの第２の機能エンティティの参照信号リソース指標情報を含み、第２の機能エンティティの参照信号リソース指標情報は、第２のノードの第１の機能エンティティの参照信号リソース識別子を含む。ＲＳ構成メッセージは、第２のノードの第２の機能エンティティによって送信される参照信号を構成するために使用され、第２のノードの第２の機能エンティティによって送信される参照信号は、干渉を測定するために使用され、干渉は、第２のノードの第１の機能エンティティから第３のノードの第１の機能エンティティへの干渉である。
【００５４】
第２のノードは干渉発生ノードであり、第３のノードは被干渉ノードである。第２のノードの第１の機能エンティティの参照信号リソース識別子は、参照信号リソースを示すために使用される。
【００５５】
図５に示されるＩＡＢネットワークにおいて、第１のノードはドナーノードであり、第２のノードはＩＡＢノード２等の干渉発生ノードであり、第３のノードはＩＡＢノード１等の被干渉ノードである。第２のノード及び第３のノードはそれぞれ第１の機能エンティティ及び第２の機能エンティティを含むことができる。第１の機能エンティティはＭＴであり、第２の機能エンティティはＤＵである。ここでは、第１の機能エンティティ及び第２の機能エンティティは、１つのモジュールに統合され得るか、又は独立して、異なるモジュールに分離され得る。第１の機能エンティティはＭＴ又はＤＵであり、第２の機能エンティティはＤＵ又はＭＴである。第１のノードは、代替的に、ＩＡＢノードであってもよい。
【００５６】
ＩＡＢノード２又はＩＡＢノード１の構成又は能力に基づいて、ＩＡＢノード２は、１つ又は複数のビームを同時に使用して信号を送信することができ、ＩＡＢノード１も、１つ又は複数のビームを同時に使用して信号を送信することができる。ビームは、参照信号リソース識別子によって示され得る。第２のノードの第１の機能エンティティの参照信号リソース識別子は、ＩＡＢノード２のＭＴの参照信号リソース識別子であり、参照信号を送信するために、ＩＡＢノード２のＭＴが使用する１つ又は複数の参照信号リソースを示すために使用される。１つ又は複数の参照信号リソースは、ＭＴの１つ又は複数の送信ビームに対応する。オプションで、第２のノードの第１の機能エンティティの参照信号リソース識別子は、ＩＡＢノードの参照信号の構成されたリソース識別子（identity,  ID）、例えば、チャネル状態情報−参照信号（Channel  status  information  Reference  Signal,  CSI-RS）のリソース識別子（ＣＳＩ−ＲＳ−ＲｅｓｏｕｒｃｅＩｄ）又はサウンディング参照信号（Sounding  Reference  Signal,  SRS）のリソース識別子（ＳＲＳ−ＲｅｓｏｕｒｃｅＩｄ）であり得る。
【００５７】
参照信号構成メッセージは、無線リソース制御（Radio  Resource  Control,  RRC）プロトコルメッセージで伝送され得るか、又はＦ１インターフェースを介したＦ１−ＡＰ（F1-application  protocol）プロトコルベースのメッセージ、例えばダウンリンク無線リソース制御転送メッセージ（ＤＬ  ＲＲＣ  ＴＲＡＮＳＦＥＲメッセージ）で伝送され得、ここで、Ｆ１インターフェースは、ＩＡＢノード２の分散ユニット（distributed  unit,  DU）とドナーノードの集中ユニット（central  unit,  CU）との間のＦ１インターフェースである、又は参照信号構成メッセージは、ＤＣＩ（Downlink  Control  Information）メッセージ又はＭＡＣ  ＣＥ（Media  Access  Control  element）で伝送され得る。
【００５８】
参照信号構成メッセージは、代替的に、ＲＲＣ、ＤＣＩ、又はＭＡＣ  ＣＥを使用して、ドナーノードによってＩＡＢノード２のＭＴに送信され得、次に、ＩＡＢノード２のＭＴは、内部シグナリングの相互作用によってＩＡＢノード２のＤＵに通知する。
【００５９】
参照信号構成メッセージを、定期的に送信してもよく、又は半静的に送信してもよい。
【００６０】
参照信号構成メッセージは、１つ又は複数の参照信号リソース指標情報を含み、各参照信号リソース指標情報は、参照信号リソース識別子を含む。
【００６１】
具体的には、参照信号リソース指標情報のフォーマットは次の通りである。
【００６２】
１．態様１：新しいタイプの参照信号リソース指標情報が規定され、指標情報の特定のフォーマットの例は次の通りである。
ＲＳ−Ｒｅｓｏｕｒｃｅ：：＝      ＳＥＱＵＥＮＣＥ｛
ＲＳ−ＲｅｓｏｕｒｃｅＩｄ
ｒｅｓｏｕｒｃｅＭａｐｐｉｎｇ
ｐｏｗｅｒｃｏｎｔｒｏｌ
ｐｅｒｉｏｄｉｃｉｔｙＡｎｄＯｆｆｓｅｔ．．．．．．｝
【００６３】
ＲＳ−Ｒｅｓｏｕｒｃｅは、参照信号リソース指標情報である。
【００６４】
ＲＳ−ＲｅｓｏｕｒｃｅＩｄは、参照信号リソース識別子であり、参照信号リソース識別子は、ＩＡＢノード２のＭＴに関するものであり且つ識別子に対応するビームを使用して参照信号を送信するように、ＩＡＢノード２のＤＵに指示することが理解され得る。
【００６５】
オプションで、参照信号リソース指標情報は、次のうちの１つ又は複数をさらに含み得る：
ｒｅｓｏｕｒｃｅＭａｐｐｉｎｇ：これは、干渉測定に使用される参照信号がマッピングされる時間周波数リソース位置を示す；
ｐｏｗｅｒｃｏｎｔｒｏｌ：参照信号の電力制御、ここで、参照信号の電力制御は、参照信号を送信するためにＩＡＢノード２のＤＵが使用する送信電力を示し、参照信号の送信電力は、ＩＡＢノード２のＭＴの送信電力として構成される；及び
ｐｅｒｉｏｄｉｃｉｔｙＡｎｄＯｆｆｓｅｔ：これは、干渉測定に使用される参照信号の送信周期性及び／又は各周期性のスロットオフセットを示す。
【００６６】
２．態様２：参照信号リソース指標情報は、統一したフォーマット、例えば既存のＣＳＩ−ＲＳ−Ｒｅｓｏｕｒｃｅメッセージフォーマットを使用し、ＣＳＩ−ＲＳ−Ｒｅｓｏｕｒｃｅメッセージが拡張される。
【００６７】
詳細は次の通りである。
【００６８】
ＣＳＩ−ＲＳリソース指標情報ＣＳＩ−ＲＳ−Ｒｅｓｏｕｒｃｅは、次のように示される。
ＣＳＩ−ＲＳ−Ｒｅｓｏｕｒｃｅ：：＝      ＳＥＱＵＥＮＣＥ｛
ＣＳＩ−ＲＳ−ＲｅｓｏｕｒｃｅＩｄ
ＳＲＳ−ＲｅｓｏｕｒｃｅＩｄ
ｒｅｓｏｕｒｃｅＭａｐｐｉｎｇ
ｐｏｗｅｒｃｏｎｔｒｏｌ
ｐｅｒｉｏｄｉｃｉｔｙＡｎｄＯｆｆｓｅｔ．．．｝
【００６９】
ＣＳＩ−ＲＳ−Ｒｅｓｏｕｒｃｅは、参照信号リソース指標情報である。
【００７０】
ＣＳＩ−ＲＳ−ＲｅｓｏｕｒｃｅＩｄは、ＣＳＩ測定に使用される共通の参照信号リソース識別子であり、ＤＵによって構成されたビームを使用してＣＳＩ測定に使用される参照信号を送信するように、ＩＡＢノード２のＤＵに指示するために使用される。
【００７１】
ＳＲＳ−ＲｅｓｏｕｒｃｅＩｄは、参照信号リソース識別子であり、参照信号リソース識別子は、ＩＡＢノード２のＭＴに関するものであり且つ識別子に対応するビームを使用して参照信号を送信するように、ＩＡＢノード２のＤＵに指示するために使用される。
【００７２】
ｒｅｓｏｕｒｃｅＭａｐｐｉｎｇは、参照信号がマッピングされる時間周波数リソース位置を示すために使用される。
【００７３】
ｐｏｗｅｒｃｏｎｔｒｏｌは、参照信号の電力制御であり、参照信号を送信するためにＩＡＢノード２のＤＵが使用する送信電力を示す。
【００７４】
ｐｅｒｉｏｄｉｃｉｔｙＡｎｄＯｆｆｓｅｔは、干渉測定に使用される参照信号の送信周期性及び／又は各周期性におけるスロットオフセットを示す。
【００７５】
ドナーノードが参照信号構成メッセージをＩＡＢノード２のＤＵに送信するときであって、ＩＡＢノード２のＤＵが参照信号構成メッセージに含まれるＳＲＳ−ＲｅｓｏｕｒｃｅＩｄを識別する場合に、現在の参照信号構成が干渉測定に使用され、特にクロスリンク干渉測定に使用されることが分かり得る。
【００７６】
ｐｏｗｅｒｃｏｎｔｒｏｌフィールドは、参照信号を送信するために使用される電力を示す。チャネル状態情報ＣＳＩ測定に使用される参照信号リソースが現在示されている場合に、フィールドはＣＳＩ−ＲＳの送信電力情報として設定される。クロスリンク干渉ＣＬＩ測定に使用される参照信号リソースが示されている場合に、フィールドはＳＲＳの送信電力情報として設定される。
【００７７】
具体的には、図５を例にとると、ステップＳ４００は、次のように理解され得る。
【００７８】
ＩＡＢノード１のＭＴがＩＡＢノード２のＭＴによって干渉を受けると、ドナーノードはＲＳ構成メッセージを生成する。ＲＳ構成メッセージは、ＩＡＢノード２のＤＵによって送信され且つ干渉測定に使用される参照信号を構成するために使用される。干渉測定に使用される参照信号は、ＩＡＢノード２のＭＴからの干渉を測定するためにＩＡＢノード１のＭＴによって使用され、ＲＳ構成メッセージには、ＩＡＢノード２のＤＵの｛３，４，５｝等の参照信号リソース識別子が含まれ、参照信号リソース識別子は、ＩＡＢノード２のＭＴのビームに対応する。
【００７９】
Ｓ４０２．第２のノードの第２の機能エンティティは、受信したＲＳ構成メッセージに基づいて、干渉測定に使用される参照信号を構成する。
【００８０】
図５に示されるように、ＩＡＢノード２のＤＵは、参照信号リソース識別子に基づいて対応するビームを選択して、参照信号を送信する。
【００８１】
参照信号リソース識別子と、信号を送信するために特に使用されるビームとの間の対応関係は、ＩＡＢノード２のＭＴについて既知である。しかしながら、ＩＡＢノード２では、ＤＵがＭＴと相互作用し得るため、ＤＵは、ＳＲＩ｛３，４，５｝に対応するＭＴのビーム、例えば、図５の影で識別される３つの物理ビームを識別することもできる。
【００８２】
例えば、ＩＡＢノード２のＭＴは、参照信号リソース識別子｛３，４，５｝に対応するビームセット｛ａ、ｂ、ｃ｝を使用して信号を送信する。ＩＡＢノード１のＭＴがＩＡＢノード２のＭＴに対して干渉測定を行うときに、ＩＡＢノード２のＤＵは、ＩＡＢノード２のＭＴと相互作用して、ＩＡＢノード２のＭＴに関するものであり且つ参照信号リソース識別子｛３，４，５｝に対応するビームセット｛ａ、ｂ、ｃ｝を取得し、ＩＡＢノード２のＤＵは、ビームセット｛ａ、ｂ、ｃ｝を使用して、干渉測定に使用される参照信号を送信する。
【００８３】
ＩＡＢノード２に関するものであるＭＴとＤＵとの間の相互作用は、ハードウェアモジュール同士の間の相互作用であり得るか、又はＭＴ及びＤＵが統合されるときにソフトウェアを使用して実現され得ることに留意されたい。さらに、構成メッセージ内の参照信号リソース指標情報は、ＩＡＢノード２のＤＵの参照信号がマッピングされる時間周波数リソース、ＩＡＢノード２のＤＵの参照信号の送信電力、又はＩＡＢノード２のＤＵの参照信号の送信周期性の１つ又は組合せをさらに含む。
【００８４】
ＩＡＢノード２のＤＵが、ＩＡＢノード２のＭＴの構成情報に基づいて、干渉測定に使用される参照信号を構成する必要があるため、参照信号は、ＩＡＢノード２のＭＴの代わりに、ＩＡＢノード２のＤＵによって送信されるので、ＩＡＢノード１は、干渉測定に使用される参照信号を正確に検出して干渉を測定し、干渉を排除することができ、それによりＩＡＢネットワークの性能が大幅に向上する。
【００８５】
Ｓ４０４．第２のノードの第２の機能エンティティは、干渉測定に使用される参照信号を送信する。
【００８６】
図５に示されるように、ＩＡＢノード２のＤＵは、ＲＳ構成メッセージ内の参照信号リソース識別子に対応する１つ又は複数のビームを使用して、干渉測定に使用される参照信号を送信し、それによって、ＩＡＢノード１のＭＴは干渉測定を行う。
【００８７】
さらに、ＩＡＢノード２のＤＵは、指定された時間周波数リソース上で、干渉測定に使用される参照信号をさらに送信することができる。定期的な測定を行う必要がある場合に、ＩＡＢノード２のＤＵは、さらに定期的に、参照信号を指定された送信周期で送信し、指定された送信電力を使用して参照信号を送信する。
【００８８】
参照信号は、同期信号ＳＳＢ、チャネル状態情報−参照信号ＣＳＩ−ＲＳ、復調参照信号ＤＭＲＳ、追跡参照信号ＴＲＳ、位相追跡参照信号ＰＴＲＳ、サウンディング参照信号ＳＲＳ、又は別のＲＳの１つ又は複数を含み得る。
【００８９】
Ｓ４０６．第１のノードは、第３のノードの第１の機能エンティティに対して干渉測定構成を行い、干渉測定構成メッセージを送信する。
【００９０】
ステップＳ４０４の後に実行されることに加えて、ステップＳ４０６は、干渉測定に使用される参照信号を送信するステップＳ４０４の前に実行され得る。
【００９１】
図５に示されるように、ドナーノードがＩＡＢノード１のＭＴに送信する干渉測定構成メッセージは、ＲＲＣ（Radio  Resource  Control、無線リソース制御）プロトコルに基づいて、ドナーノードによってＩＡＢノード１のＭＴに送信され得、ＲＲＣプロトコルの特定のメッセージで伝送される場合もあれば、又はＭＡＣ  ＣＥを使用して示される場合もある。
【００９２】
図５に示されるように、ＩＡＢノード１のＭＴに対する干渉測定構成を行う場合に、ドナーノードは、従来の測定構成方法を使用して、ＭＴに対する干渉測定構成を行う。すなわち、ＩＡＢノード１は、測定構成が干渉測定に使用されていることを認識しない。例えば、ドナーノードは、移動性測定に使用される従来の構成に基づいて構成を行うことができる。ＩＡＢノード１のＭＴに送信される干渉測定構成メッセージは、特定の参照信号リソース指標情報、例えば時間周波数リソース位置及び参照信号の周期性を含み、さらに、参照信号リソース識別子を含む。本明細書における参照信号リソース識別子の量、すなわち、測定する必要がある参照信号リソースの量は、ドナーノードがＩＡＢノード２のＤＵに送信する参照信号リソースの量と一致している。
【００９３】
Ｓ４０８．第３のノードの第１の機能エンティティは、ステップＳ４０６の測定構成に基づいて、第２のノードの第２の機能エンティティによって送信され且つ干渉測定に使用される参照信号を検出し、干渉測定を行う。
【００９４】
図５に示されるように、測定構成を受信した後に、ＩＡＢノード１のＭＴは、示されたリソース位置で、ＩＡＢノード２のＤＵによって送信され且つ干渉測定に使用される参照信号を検出する。
【００９５】
前述の実施形態１について、本発明のこの実施形態は、別の実施形態をさらに提供する。図４ｂに示されるように、前述のプロセスを、第２のノードを使用して簡単に説明する。
【００９６】
干渉測定方法が提供され、この方法は、統合アクセス及びバックホール（ＩＡＢ）ネットワークに適用される。ＩＡＢネットワークは少なくとも第１のノード及び第２のノードを含み、第２のノードは第１の機能エンティティ及び第２の機能エンティティを含む。この方法は、次のステップを含む。
【００９７】
Ｓ４００’．第２のノードの第２の機能エンティティは、参照信号構成メッセージを受信し、ここで、参照信号構成メッセージは、第２のノードの第２の機能エンティティの参照信号リソース指標情報を含み、第２の機能エンティティの参照信号リソース指標情報は、第２のノードの第１の機能エンティティの参照信号リソース識別子を含む。
【００９８】
さらに、参照信号リソース指標情報は、干渉測定に使用されるＲＳがマッピングされる時間周波数リソース位置、干渉測定に使用されるＲＳの電力制御、及び干渉測定に使用されるＲＳの送信周期性のうちの１つ又は任意の組合せをさらに含む。
【００９９】
Ｓ４０２’．第２のノードの第２の機能エンティティは、受信した参照信号構成メッセージ内の第２のノードの第１の機能エンティティの参照信号リソース識別子に基づいて、干渉測定に使用されるＲＳを送信する。
【０１００】
具体的には、第２のノードの第２の機能エンティティは、受信した参照信号構成メッセージ内の第２のノードの第１の機能エンティティの参照信号リソース識別子に基づいて、第２のノードの第１の機能エンティティの参照信号リソース識別子に対応する１つ又は複数のビームを決定し、
第２のノードの第２の機能エンティティは、決定した１つ又は複数のビームを使用して、干渉測定に使用されるＲＳを送信する。
【０１０１】
さらに、干渉測定に使用されるＲＳの電力制御は、第２のノードの第１の機能エンティティの送信電力である。
【０１０２】
さらに、ステップＳ４００’の前に、この方法は次のステップをさらに含む。
【０１０３】
第１のノードは、参照信号構成メッセージを生成する。
【０１０４】
前述の方法手順は、図４ａ、図４ｂ、及び図５に対応する実施形態の説明にも適用可能である。詳細については、対応する実施形態の特定の説明を参照されたい。詳細については、ここでは再び説明しない。
【０１０５】
本願は、干渉測定方法及び機器を提供する。干渉発生ノードの第２の機能エンティティは、干渉発生ノードの第１の機能エンティティの参照信号リソース識別子に対応する１つ又は複数のビームを使用して、干渉測定に使用されるＲＳを送信するので、干渉を受ける被干渉ノードは、干渉測定を迅速且つ正確に行うことができ、それによりクロスリンク信号送信の影響が大幅に軽減され、システムの送信性能が向上する。
【０１０６】
実施形態２：
図６に示されるように、本発明のこの実施形態は、別の実施形態をさらに提供する。
【０１０７】
図７のＩＡＢのネットワークアーキテクチャ図を、説明のための例として使用する。しかしながら、本願のこの実施形態は、図７に限定されず、前述の様々なネットワークアーキテクチャ図に適用することができる。
【０１０８】
図７において、ＩＡＢノード１は、ＭＴを使用して、ＩＡＢノード３のＤＵによって送信された信号を受信し、ＩＡＢノード２は、ＭＴを使用して、データをドナーノードに送信する。この場合に、ダウンリンク信号を受信するときに、ＩＡＢノード１のＭＴは、ＩＡＢノード２のＭＴによって送信されたアップリンク信号によって干渉を受ける。ここで、干渉源はＩＡＢノード２であり、干渉を受ける被干渉ノードはＩＡＢノード１である。干渉は、具体的にはクロスリンク干渉ＣＬＩであり得、ＣＬＩは、ＩＡＢノード２のＭＴからＩＡＢノード１のＭＴへの干渉である。
【０１０９】
図７に示されるように、ＩＡＢノード１のＭＴとＩＡＢノード２のＭＴとの間のクロスリンク干渉が、いくつかのスロットに存在し得る。従って、ＩＡＢノード１のＭＴとＩＡＢノード２のＭＴとの間のクロスリンク干渉を測定する必要がある。具体的な干渉測定方法は次の通りである。
【０１１０】
図７に示されるＩＡＢネットワークにおいて、第１のノードはドナーノードであり、第２のノードはＩＡＢノード２等の干渉発生ノードであり、第３のノードはＩＡＢノード１等の被干渉ノードである。第２のノード及び第３のノードはそれぞれ第１の機能エンティティ及び第２の機能エンティティを含むことができる。第１の機能エンティティはＭＴであり、第２の機能エンティティはＤＵである。ここでは、第１の機能エンティティ及び第２の機能エンティティは、１つのモジュールに統合され得るか、又は独立して、異なるモジュールに分離され得る。第１の機能エンティティはＭＴ又はＤＵであり、第２の機能エンティティはＤＵ又はＭＴである。第１のノードは、代替的に、ＩＡＢノードであってもよい。
【０１１１】
Ｓ６００．第１のノードは、干渉測定指標メッセージを送信し、干渉測定指標メッセージは、干渉測定に使用される参照信号構成メッセージを報告するように、第２のノードの第２の機能エンティティに指示するために使用される。
【０１１２】
図７に示されるように、ドナーノードは、干渉測定指標メッセージをＩＡＢノード２のＤＵに送信して、干渉測定に使用される参照信号構成メッセージを生成及び報告するようにＩＡＢノード２のＤＵに指示する。
【０１１３】
干渉測定指標メッセージは、無線リソース制御（Radio  Resource  Control,  RRC）プロトコルメッセージで伝送されるか、又はＦ１インターフェースを介してＦ１−ＡＰ（F1-application  protocol）プロトコルベースのメッセージ、例えばダウンリンク無線リソース制御転送メッセージ（ＤＬ  ＲＲＣ  ＴＲＡＮＳＦＥＲメッセージ）で伝送され得る。Ｆ１インターフェースは、ＩＡＢノード２の分散ユニット（distributed  unit,  DU）とドナーノードの集中ユニット（central  unit,  CU）との間のＦ１インターフェースである。
【０１１４】
干渉測定指標メッセージは、代替的に、ＲＲＣ、ＤＣＩ、又はＭＡＣ  ＣＥを使用して、ドナーノードによってＩＡＢノード２のＭＴに送信され得、次に、ＩＡＢノード２のＭＴは、内部シグナリング相互作用を介してＩＡＢノード２のＤＵに通知し、それによって、ＩＡＢノード２のＤＵは、干渉測定に使用される参照信号構成情報を生成して報告する。
【０１１５】
干渉測定指標メッセージの特定の実施態様は、次のいくつかの態様を含む。
【０１１６】
態様１：１ビットが指標に使用され、第２のノードの第２の機能エンティティがトリガーされて、干渉測定に使用される参照信号構成情報、例えばＣＬＩ−Ｍｅａｓ−Ｉｎｄｉｃａｔｏｒ（０又は１を指標に使用する）を生成及び報告する。
【０１１７】
態様２：干渉測定指標メッセージは、第２のノードの第２の機能エンティティによって送信され且つ干渉測定に使用される参照信号の送信スロット又は送信周期性の１つ又は組合せを含み、第２のノードの第２の機能エンティティは、前述のメッセージを使用してトリガーされ、干渉測定に使用される参照信号構成情報を生成及び報告する。例えば、これは、指標メッセージの次のメッセージフォーマットを使用して実施される。
ＣＬＩ−Ｍｅａｓ−Ｉｎｄｉｃａｔｏｒ：：＝ＳＥＱＵＥＮＣＥ｛
ｓｆｎＦｏｒＣｌｉＭｅａｓ  ＯＰＴＩＯＮＡＬ
ｐｅｒｉｏｄｉｃｉｔｙＡｎｄＯｆｆｓｅｔ
．．．｝
【０１１８】
ｓｆｎＦｏｒＣｌｉＭｅａｓは、干渉測定に使用される参照信号の送信スロットを示し、ｐｅｒｉｏｄｉｃｉｔｙＡｎｄＯｆｆｓｅｔは、干渉測定に使用される参照信号の送信周期性及び／又は各周期性におけるスロットオフセットを示す。
【０１１９】
態様３：態様３は、態様１を態様２と組み合わせることによって実施される。具体的には、第２のノードの第２の機能エンティティは、態様１を使用してトリガーされて、干渉測定に使用される参照信号構成情報を生成し、次に、第２のノードの第２の機能エンティティによって送信され且つ干渉測定に使用される参照信号の送信スロット又は送信周期性は、態様２を使用して示される。
【０１２０】
Ｓ６０２．第２のノードの第２の機能エンティティは、干渉測定に使用される参照信号構成メッセージを報告し、ここで、参照信号構成メッセージは、第２のノードの第２の機能エンティティの参照信号リソース指標情報を含み、第２の機能エンティティの参照信号リソース指標情報は、第２のノードの第２の機能エンティティの参照信号リソース識別子を含む。
【０１２１】
具体的には、第２のノードの第２の機能エンティティは、第２の機能エンティティの参照信号リソース指標情報を生成し、ここで、第２の機能エンティティの参照信号リソース指標情報は、第２のノードの第２の機能エンティティの参照信号リソース識別子を含む。
【０１２２】
第２のノードの第２の機能エンティティの参照信号リソース識別子は、第２のノードの第１の機能エンティティの送信ビームに基づいて、第２のノードの第２の機能エンティティによって取得される。
【０１２３】
さらに、参照信号の送信電力を構成するときに、第２のノードの第２の機能エンティティは、第２のノードの第１の機能エンティティの送信電力を、第２のノードの第２の機能エンティティの参照信号の送信電力として使用し、参照信号によって使用される時間周波数リソース及び参照信号の送信周期性を構成する。第２のノードの第２の機能エンティティは、送信電力、時間周波数リソース、及び送信周期性を参照信号リソース指標情報に追加し、干渉測定に使用される参照信号構成メッセージを使用して、参照信号リソース指標情報を第１のノードに報告する。
【０１２４】
図７に示されるように、参照信号リソース指標情報の特定のフォーマットは次の通りである。
【０１２５】
新しいタイプの参照信号リソース指標情報が規定され、指標情報の特定のフォーマットの例は次の通りである。
ＲＳ−Ｒｅｓｏｕｒｃｅ：：＝      ＳＥＱＵＥＮＣＥ｛
ＲＳ−ＲｅｓｏｕｒｃｅＩｄ
ｒｅｓｏｕｒｃｅＭａｐｐｉｎｇ
ｐｏｗｅｒｃｏｎｔｒｏｌ
ｐｅｒｉｏｄｉｃｉｔｙＡｎｄＯｆｆｓｅｔ
．．．｝
【０１２６】
ＲＳ−Ｒｅｓｏｕｒｃｅは、参照信号リソース指標情報である。
【０１２７】
ＲＳ−ＲｅｓｏｕｒｃｅＩｄは、参照信号リソース識別子である。
【０１２８】
オプションで、参照信号リソース指標情報は、次のうちの１つ又は複数をさらに含み得る：
ｒｅｓｏｕｒｃｅＭａｐｐｉｎｇ：これは、参照信号がマッピングされる時間周波数リソース位置を示す；
ｐｏｗｅｒｃｏｎｔｒｏｌ：参照信号の電力制御、ここで、電力制御は、参照信号を送信するためにＩＡＢノード２のＤＵが使用する送信電力を示し、参照信号の送信電力は、ＩＡＢノード２のＭＴの送信電力として構成される；及び
ｐｅｒｉｏｄｉｃｉｔｙＡｎｄＯｆｆｓｅｔ：これは、干渉測定に使用される参照信号の送信周期性及び／又は各周期性のスロットオフセットを示す。
【０１２９】
上記の送信電力及び時間周波数リソースが第１のノードによって構成される場合に、図４ａ、図４ｂ、及び図５に提供される第２のノードの第２の機能エンティティへの参照信号構成メッセージの配信を参照されたい。あるいはまた、送信電力及び時間周波数リソースは、別のメッセージを使用して、第２のノードの第２の機能エンティティに送信され得る。
【０１３０】
具体的には、第２のノードの第１の機能エンティティの送信ビーム及び第２のノードの第１の機能エンティティの送信電力を取得するプロセスは、次の通りである。
【０１３１】
図７に示されるように、ＩＡＢノード２のＤＵは、ＩＡＢノード２のＭＴと情報を交換することにより、ＩＡＢノード２のＭＴの送信ビーム及び送信電力を取得し、ＩＡＢノード２のＤＵは、取得したＭＴの送信ビームに基づいて、参照信号リソース識別子を生成する。
【０１３２】
ここでの送信ビーム情報は、ＳＲＳを最後に送信するためにＭＴによって使用されるビーム又はビームセットであり得るか、又はドナーノードによって構成され且つＩＡＢノード２のＭＴによって最後に受信されるＳＲＩに対応するビーム又はビームセットであり得、これらのビームのそれぞれが１つのＳＲＩに対応する。
【０１３３】
ＩＡＢノード２のＤＵは、ＩＡＢノード２のＭＴの送信ビーム及び送信電力を使用して、干渉測定に使用される参照信号を送信する。
【０１３４】
ＩＡＢノード２のＤＵによって生成され且つ干渉測定に使用される参照信号構成メッセージは、１つ又は複数の参照信号リソース指標情報を含み、各参照信号リソース指標情報は、１つの送信ビームに対応する。例えば、ＭＴがＤＵに１６個のビームを通知すると、ＤＵは１６個の参照リソース指標情報を生成し、１６個の参照リソース指標情報は参照信号構成メッセージに含められる。
【０１３５】
さらに、ＩＡＢノード２のＤＵによって生成されてドナーノードに送信され、且つ干渉測定に使用される参照信号構成メッセージは、無線リソース制御（Radio  Resource  Control,  RRC）プロトコルメッセージで伝送されるか、又はＦ１インターフェースを介してＦ１−ＡＰ（F1-application  protocol）プロトコルベースのメッセージで伝送され得る。Ｆ１インターフェースは、ＩＡＢノード２の分散ユニット（distributed  unit,  DU）とドナーノードの集中ユニット（central  unit,  CU）との間のＦ１インターフェースである。
【０１３６】
Ｓ６０４．第２のノードの第２の機能エンティティは、干渉測定に使用される参照信号構成メッセージに基づいて、干渉測定に使用される参照信号を送信する。
【０１３７】
図７に示されるように、ＩＡＢノード２のＤＵは、ＩＡＢノード２のＭＴの取得した送信ビーム上で参照信号を送信する。
【０１３８】
さらに、ＩＡＢノード２のＤＵは、ＤＵによって構成された時間周波数リソース又は指定された時間周波数リソース上で、干渉測定に使用される参照信号を送信する。定期的な測定を行う必要がある場合に、ＩＡＢノード２のＤＵは、さらに定期的に、ＤＵによって構成された送信周期又は指定された送信周期で参照信号を送信し、指定された送信電力又はＤＵによって構成された送信電力を使用して参照信号を送信する。
【０１３９】
参照信号は、同期信号ＳＳＢ（ＳＳ／ＰＢＣＨブロック）、チャネル状態情報−参照信号ＣＳＩ−ＲＳ、復調参照信号ＤＭＲＳ（Demodulation  Reference  Signal）、追跡参照信号ＴＲＳ（Tracking  Reference  Signal）、位相追跡参照信号ＰＴＲＳ（Phase  Tracking  Reference  Signal）、サウンディング参照信号ＳＲＳ、又は別の参照信号ＲＳの１つ又は複数を含み得る。
【０１４０】
Ｓ６０６．第１のノードは、干渉測定に使用される参照信号構成メッセージに基づいて、第３のノードの第１の機能エンティティに対して干渉測定構成を行い、干渉測定構成メッセージを第３のノードの第１の機能エンティティに送信する。
【０１４１】
Ｓ６０６の特定の測定構成プロセスについては、図４ａ、図４ｂ、及び図５に対応するステップＳ４０６の説明を参照されたい。詳細については、ここでは再び説明しない。
【０１４２】
Ｓ６０８．第３のノードの第１の機能エンティティは、干渉測定構成に基づいて、第２のノードの第２の機能エンティティによって送信され且つ干渉測定に使用される参照信号を検出し、干渉測定を行う。
【０１４３】
図７に示されるように、測定構成を受信した後に、ＩＡＢノード１のＭＴは、示されたリソース位置で、ＩＡＢノード２のＤＵによって送信され且つ干渉測定に使用される参照信号を検出する。
【０１４４】
本願は、干渉測定方法及び機器を提供する。干渉発生ノードの第２の機能エンティティは、干渉発生ノードの第１の機能エンティティの参照信号リソース識別子に対応する１つ又は複数のビームを使用して、干渉測定に使用される参照信号を送信するので、干渉を受ける被干渉ノードは、干渉測定を迅速且つ正確に行うことができ、それによりクロスリンク信号送信の影響が大幅に軽減され、システムの送信性能が向上する。
【０１４５】
実施形態３：
図８ａに示されるように、本発明のこの実施形態は、別の実施形態をさらに提供する。
【０１４６】
図９のＩＡＢのネットワークアーキテクチャ図を、説明のための例として使用する。しかしながら、本願のこの実施形態は、図９に限定されず、前述の様々なネットワークアーキテクチャ図に適用することができる。
【０１４７】
図９において、ＩＡＢノード１は、ＤＵによって、下位レベルのＩＡＢノード又は端末装置によって送信された信号を受信し、ＩＡＢノード２は、ＤＵによって、データを下位レベルのＩＡＢノード又は端末装置に送信する。この場合に、アップリンク信号を受信するときに、ＩＡＢノード１のＤＵは、ＩＡＢノード２のＤＵによって送信されたダウンリンク信号によって干渉を受ける。ここで、干渉源はＩＡＢノード２のＤＵであり、干渉を受ける被干渉ノードはＩＡＢノード１のＤＵである。干渉はクロスリンク干渉ＣＬＩであり得、ＣＬＩは、ＩＡＢノード２のＤＵからＩＡＢノード１のＤＵへの干渉である。
【０１４８】
図９に示されるように、ＩＡＢノード１のＤＵとＩＡＢノード２のＤＵとの間のクロスリンク干渉が、いくつかのスロットに存在し得る。従って、ＩＡＢノード１のＤＵとＩＡＢノード２のＤＵとの間のクロスリンク干渉を測定する必要がある。具体的な干渉測定方法は次の通りである。
【０１４９】
Ｓ８００．第１のノードは、ＲＳ構成メッセージを第２のノードの第２の機能エンティティに送信し、ここで、ＲＳ構成メッセージは、第２のノードの第２の機能エンティティの参照信号リソース指標情報を含み、第２のノードの第２の機能エンティティの参照信号リソース指標情報には、
第２の機能エンティティの参照信号リソース識別子、第２の機能エンティティの参照信号の送信電力、第２の機能エンティティの参照信号がマッピングされる時間周波数リソース、及び第２の機能エンティティの参照信号の送信期間のうちの１つ又は組合せが含まれる。
【０１５０】
参照信号リソース指標情報は、統一したフォーマット、例えば既存のＣＳＩ-ＲＳリソース情報フォーマットを使用する。
【０１５１】
詳細は次の通りである。
【０１５２】
ＣＳＩ−ＲＳリソース指標情報ＣＳＩ−ＲＳ−Ｒｅｓｏｕｒｃｅは、次のように示される。
ＣＳＩ−ＲＳ−Ｒｅｓｏｕｒｃｅ：：＝      ＳＥＱＵＥＮＣＥ｛
ＣＳＩ−ＲＳ−ＲｅｓｏｕｒｃｅＩｄ
ｒｅｓｏｕｒｃｅＭａｐｐｉｎｇ
ｐｏｗｅｒｃｏｎｔｒｏｌ
ｐｅｒｉｏｄｉｃｉｔｙＡｎｄＯｆｆｓｅｔ
．．．｝
【０１５３】
ＣＳＩ−ＲＳ−Ｒｅｓｏｕｒｃｅは、参照信号リソース指標情報である。
【０１５４】
ＣＳＩ−ＲＳ−ＲｅｓｏｕｒｃｅＩｄは、ＣＳＩ測定に使用される共通の参照信号リソース識別子であり、ＤＵによって構成されたビームを使用してＣＳＩ測定に使用される参照信号を送信するように、ＩＡＢノード２のＤＵに指示するために使用される。
【０１５５】
ｒｅｓｏｕｒｃｅＭａｐｐｉｎｇは、参照信号がマッピングされる時間周波数リソース位置を示す。
【０１５６】
ｐｏｗｅｒｃｏｎｔｒｏｌは、参照信号の電力制御であり、参照信号の電力制御は、参照信号を送信するためにＩＡＢノード２のＤＵが使用する送信電力を示す。
【０１５７】
ｐｅｒｉｏｄｉｃｉｔｙＡｎｄＯｆｆｓｅｔは、干渉測定に使用される参照信号の送信周期性及び／又は各周期性におけるスロットオフセットを示す。
【０１５８】
ＲＳ構成メッセージは、無線リソース制御（Radio  Resource  Control,  RRC）プロトコルメッセージで伝送されるか、又はＦ１インターフェースを介してＦ１−ＡＰ（F1-application  protocol）プロトコルベースのメッセージ、例えばダウンリンク無線リソース制御転送メッセージ（ＤＬ  ＲＲＣ  ＴＲＡＮＳＦＥＲメッセージ）で伝送され得る。Ｆ１インターフェースは、ＩＡＢノード２の分散ユニット（distributed  unit,  DU）とドナーノードの集中ユニット（central  unit,  CU）との間のＦ１インターフェースである。
【０１５９】
参照信号構成メッセージを、定期的に送信してもよく、又は半静的に送信してもよい。
【０１６０】
Ｓ８０２．第１のノードは、干渉測定構成メッセージを第３のノードの第１の機能エンティティに送信し、ここで、干渉測定構成メッセージは、第２のノードの第２の機能エンティティの参照信号リソース指標情報及び／又は干渉測定タイプ指標情報を含み、干渉測定タイプ指標情報は、第３のノードの第２の機能エンティティの受信ビームを使用して干渉測定を行うように、第３のノードの第１の機能エンティティに指示するために使用される。
【０１６１】
第２のノードの第２の機能エンティティの参照信号リソース指標情報のフォーマット及びコンテンツについては、ステップＳ８００の特定の説明を参照されたい。ＤＵｔｏＤＵ−Ｍｅａｓ−Ｔｙｐｅ等の干渉測定タイプ指標情報は、Ｓ８００において、第２のノードの第２の機能エンティティの参照信号リソース指標情報のフォーマットを拡張することにより、参照信号リソース指標情報の前述のフォーマットの予約フィールドに追加することができる、又はＤＵｔｏＤＵ−Ｍｅａｓ−Ｔｙｐｅ等の干渉測定タイプ指標情報は、ＲＳ構成メッセージの予約フィールドに配置できる。
【０１６２】
第１のノードが第３のノードの第１の機能エンティティに送信する干渉測定構成メッセージは、ＲＲＣ（Radio  Resource  Control、無線リソース制御）プロトコルに基づいて、第１のノードによって第３のノードの第１の機能エンティティに送信され得、ＲＲＣプロトコルの特定のメッセージで伝送される場合もあれば、又はＭＡＣ  ＣＥを使用して示される場合もある。
【０１６３】
図９に示されるように、前述の説明は、次のように理解され得る。ドナーノードがＩＡＢノード１のＭＴに送信する干渉測定に使用される構成は、ＲＲＣ（Radio  Resource  Control、無線リソース制御）プロトコルに基づいて、ドナーノードによってＩＡＢノード１のＭＴに送信され得、ＲＲＣプロトコルの特定のメッセージで伝送される場合もあれば、又はＭＡＣ  ＣＥを使用して示される場合もある。
【０１６４】
Ｓ８０４．第２のノードの第２の機能エンティティは、第１のノードの参照信号構成メッセージに基づいて、干渉測定に使用される参照信号を送信する。
【０１６５】
図９に示されるように、ＩＡＢノード２のＤＵは、ＤＵの送信ビームを使用して、参照信号を送信する。
【０１６６】
さらに、ＩＡＢノード２のＤＵは、指定された時間周波数リソース上で、干渉測定に使用される参照信号を送信する。定期的な測定を行う必要がある場合に、ＩＡＢノード２のＤＵは、さらに定期的に、参照信号を指定された送信周期で送信し、指定された送信電力を使用して参照信号を送信する。
【０１６７】
参照信号は、同期信号ＳＳＢ、チャネル状態情報−参照信号ＣＳＩ−ＲＳ、復調参照信号ＤＭＲＳ、追跡参照信号ＴＲＳ、位相追跡参照信号ＰＴＲＳ、サウンディング参照信号ＳＲＳ、又は別のＲＳの１つ又は複数を含み得る。
【０１６８】
Ｓ８０６．第３のノードの第１の機能エンティティは、干渉測定構成における干渉測定タイプ指標に従って、第２のノードの第２の機能エンティティによって送信され且つ干渉測定に使用される参照信号を検出し、干渉測定を行う。
【０１６９】
図７に示されるように、ＩＡＢノード１のＭＴは、干渉測定タイプ指標に従ってＩＡＢノード１のＤＵの受信ビームを使用して、ＩＡＢノード２のＤＵによって送信された参照信号を検出し、干渉測定を行う。
【０１７０】
さらに、ＩＡＢノード１のＭＴは、干渉構成で示された時間周波数リソース及び周期性に基づいて、ＩＡＢノード２のＤＵによって送信され且つ干渉測定に使用される参照信号をさらに検出することができる。
【０１７１】
前述の実施形態３に基づいて、本発明のこの実施形態は、別の実施形態をさらに提供する。図８ｂに示されるように、前述のプロセスを、第３のノードを使用して簡単に説明する。
【０１７２】
干渉測定方法が提供され、この方法は、統合アクセス及びバックホール（ＩＡＢ）ネットワークに適用される。ＩＡＢネットワークは少なくとも第１のノード、第２のノード、及び第３のノードを含み、第２のノード及び第３のノードはそれぞれ第１の機能エンティティ及び第２の機能エンティティを含む。この方法は、次のステップを含む。
【０１７３】
Ｓ８００’．第３のノードの第１の機能エンティティは、干渉測定構成メッセージを受信し、ここで、干渉測定構成メッセージは干渉測定タイプ指標情報を含み、干渉測定タイプ指標情報は、第３のノードの第２の機能エンティティの受信ビームを使用して干渉測定を行うように、第３のノードの第１の機能エンティティに指示するために使用される。Ｓ８０２’．第３のノードの第１の機能エンティティは、干渉測定構成における干渉測定タイプ指標に従って、参照信号を検出するために使用される受信ビームが、第３のノードの第２の機能エンティティの受信ビームであると決定する。
【０１７４】
Ｓ８０４’．第３のノードの第１の機能エンティティは、決定した受信ビームを使用して、干渉測定に使用される参照信号を受信する。
【０１７５】
さらに、干渉測定構成メッセージは、第２のノードの第２の機能エンティティの参照信号リソース指標情報をさらに含み、第２のノードの第２の機能エンティティの参照信号リソース指標情報は、
第２のノードの第２の機能エンティティの参照信号リソース識別子、第２のノードの第２の機能エンティティに関するものであり且つ干渉測定に使用されるＲＳの送信電力、第２のノードの第２の機能エンティティに関するものであり且つ干渉測定に使用されるＲＳがマッピングされる時間周波数リソース位置、又は第２のノードの第２の機能エンティティに関するものであり且つ干渉測定に使用されるＲＳの送信周期性の１つ又は組合せを含む。
【０１７６】
ステップＳ８００’の前に、この方法は次のステップをさらに含む。
【０１７７】
第１のノードは、干渉測定構成メッセージを生成する。
【０１７８】
前述の方法は次のステップをさらに含む。
【０１７９】
第１のノードは、ＲＳ構成メッセージを第２のノードの第２の機能エンティティに送信し、ここで、ＲＳ構成メッセージには、第２のノードの第２の機能エンティティの参照信号リソース指標情報が含まれる。
【０１８０】
前述の方法手順は、図６及び図７に対応する実施形態の説明にも適用可能である。詳細については、対応する実施形態の特定の説明を参照されたい。詳細については、ここでは再び説明しない。
【０１８１】
本願は、干渉測定方法を提供するので、干渉を受ける被干渉ノードは、干渉測定を迅速且つ正確に行うことができ、それによりクロスリンク信号送信の影響が大幅に軽減され、システムの送信性能が向上する。
【０１８２】
実施形態４
図１０に示されるように、本発明のこの実施形態は、別の実施形態をさらに提供する。
【０１８３】
図１１のＩＡＢのネットワークアーキテクチャ図を、説明のための例として使用する。しかしながら、本願のこの実施形態は、図１１に限定されず、前述の様々なネットワークアーキテクチャ図に適用することができる。
【０１８４】
図１１において、ＩＡＢノード１は、ＤＵによって、下位レベルのＩＡＢノード又は端末装置によって送信された信号を受信し、ＩＡＢノード２は、ＤＵによって、データを下位レベルのＩＡＢノード又は端末装置に送信する。この場合に、アップリンク信号を受信するときに、ＩＡＢノード１のＤＵは、ＩＡＢノード２のＤＵによって送信されたダウンリンク信号によって干渉を受ける。ここで、干渉源はＩＡＢノード２のＤＵであり、干渉を受ける被干渉ノードはＩＡＢノード１のＤＵである。干渉はクロスリンク干渉ＣＬＩであり得、ＣＬＩは、ＩＡＢノード２のＤＵからＩＡＢノード１のＤＵへの干渉である。
【０１８５】
図１１に示されるように、ＩＡＢノード１のＤＵとＩＡＢノード２のＤＵとの間のクロスリンク干渉が、いくつかのスロットに存在し得る。従って、ＩＡＢノード１のＤＵとＩＡＢノード２のＤＵとの間のクロスリンク干渉を測定する必要がある。具体的な干渉測定方法は次の通りである。
【０１８６】
Ｓ１０００．第２のノードの第２の機能エンティティは、参照信号構成メッセージを報告し、ここで、参照信号構成メッセージは、第２のノードの第２の機能エンティティの参照信号リソース指標情報を含み、第２の機能エンティティの参照信号リソース指標情報は、第２のノードの第２の機能エンティティの参照信号リソース識別子を含む。
【０１８７】
具体的には、第２のノードの第２の機能エンティティは、第２の機能エンティティの参照信号リソース指標情報を生成し、ここで、第２の機能エンティティの参照信号リソース指標情報は、第２のノードの第２の機能エンティティの参照信号リソース識別子を含む。
【０１８８】
第２のノードの第２の機能エンティティの参照信号リソース識別子は、第２のノードの第２の機能エンティティの送信ビームに基づいて、第２のノードの第２の機能エンティティによって取得される。
【０１８９】
さらに、第２のノードの第２の機能エンティティは、参照信号によって使用される時間周波数リソース、参照信号の送信周期、及び送信電力を参照信号リソース指標情報に追加し、干渉測定に使用される参照信号構成メッセージを使用して、参照信号リソース指標情報を第１のノードに報告する。
【０１９０】
参照信号リソース指標情報の特定のフォーマットについては、ステップＳ８００の指標情報の特定のフォーマットを参照されたい。
【０１９１】
さらに、ＩＡＢノード２のＤＵによって生成され且つ干渉測定に使用される参照信号構成メッセージは、無線リソース制御（Radio  Resource  Control,  RRC）プロトコルメッセージで伝送されるか、又はＦ１インターフェースを介したＦ１−ＡＰ（F1-application  protocol）プロトコルベースのメッセージで伝送され得る。Ｆ１インターフェースは、ＩＡＢノード２の分散ユニット（distributed  unit,  DU）とドナーノードの集中ユニット（central  unit,  CU）との間のＦ１インターフェースである。
【０１９２】
Ｓ１００２．第１のノードは、干渉測定構成メッセージを第３のノードの第１の機能エンティティに送信し、ここで、干渉測定構成メッセージは、第２のノードの第２の機能エンティティの参照信号リソース指標情報及び干渉測定タイプ指標情報を含み、干渉測定タイプ指標情報は、第１のノードの第２の機能エンティティの受信ビームを使用して干渉測定を行うように、第１のノードの第１の機能エンティティに指示するために使用される。
【０１９３】
第２のノードの第２の機能エンティティの参照信号リソース指標情報のフォーマット及びコンテンツについては、ステップＳ１０００の特定の説明を参照されたい。ＤＵｔｏＤＵ−Ｍｅａｓ−Ｔｙｐｅ等の干渉測定タイプ指標情報は、Ｓ１０００において、第２のノードの第２の機能エンティティの参照信号リソース指標情報のフォーマットを拡張することにより、参照信号リソース指標情報の前述のフォーマットの予約フィールドに追加することができる、又はＤＵｔｏＤＵ−Ｍｅａｓ−Ｔｙｐｅ等の干渉測定タイプ指標情報は、ＲＳ構成メッセージの予約フィールドに配置できる。
【０１９４】
第１のノードが第３のノードの第１の機能エンティティに送信する干渉測定構成メッセージは、ＲＲＣ（Radio  Resource  Control、無線リソース制御）プロトコルに基づいて、第１のノードによって第３のノードの第１の機能エンティティに送信され得、ＲＲＣプロトコルの特定のメッセージで伝送される場合もあれば、又はＭＡＣ  ＣＥを使用して示される場合もある。
【０１９５】
図１１に示されるように、前述の説明は、次のように理解され得る。ドナーノードがＩＡＢノード１のＭＴに送信する干渉測定に使用される構成は、ＲＲＣ（Radio  Resource  Control、無線リソース制御）プロトコルに基づいて、ドナーノードによってＩＡＢノード１のＭＴに送信され得、ＲＲＣプロトコルの特定のメッセージで伝送される場合もあれば、又はＭＡＣ  ＣＥを使用して示される場合もある。
【０１９６】
Ｓ１００４．第２のノードの第２の機能エンティティは、第２の機能エンティティの参照信号構成に基づいて、干渉測定に使用される参照信号を送信する。
【０１９７】
図１１に示されるように、ＩＡＢノード２のＤＵは、ＤＵの送信ビームを使用して、参照信号を送信する。
【０１９８】
参照信号は、同期信号ＳＳＢ、チャネル状態情報−参照信号ＣＳＩ−ＲＳ、復調参照信号ＤＭＲＳ、追跡参照信号ＴＲＳ、位相追跡参照信号ＰＴＲＳ、サウンディング参照信号ＳＲＳ、又は別のＲＳの１つ又は複数を含み得る。
【０１９９】
Ｓ１００６．第３のノードの第１の機能エンティティは、干渉測定構成における干渉測定タイプ指標に従って、第２のノードの第２の機能エンティティによって送信され且つ干渉測定に使用される参照信号を検出し、干渉測定を行う。
【０２００】
図１１に示されるように、ＩＡＢノード１のＭＴは、干渉測定タイプ指標に従ってＩＡＢノード１のＤＵの受信ビームを使用して、ＩＡＢノード２のＤＵによって送信された参照信号を検出し、干渉測定を行う。
【０２０１】
さらに、ＩＡＢノード１のＭＴは、干渉構成で示された時間周波数リソース及び周期性に基づいて、ＩＡＢノード２のＤＵによって送信され且つ干渉測定に使用される参照信号をさらに検出することができる。
【０２０２】
本願は、干渉測定方法を提供するので、干渉を受ける被干渉ノードは、干渉測定を迅速且つ正確に行うことができ、それにより、クロスリンク信号送信の影響が大幅に軽減され、システムの送信性能が向上する。
【０２０３】
実施形態５
図１２に示されるように、本発明のこの実施形態は、別の実施形態をさらに提供する。
【０２０４】
図１３ａのＩＡＢのネットワークアーキテクチャ図を、説明のための例として使用する。しかしながら、本願のこの実施形態は、図１３ａに限定されず、前述の様々なネットワークアーキテクチャ図に適用することができる。
【０２０５】
図１３ａにおいて、ＩＡＢノード１は、ＭＴによって、ＩＡＢノード３によって送信された信号を受信し、ＩＡＢノード２は、ＭＴによって、データをドナーノードに送信する。この場合に、ダウンリンク信号を受信するときに、ＩＡＢノード１のＭＴは、ＩＡＢノード２のＭＴによって送信されたアップリンク信号によって干渉を受ける。ここで、干渉源はＩＡＢノード２であり、干渉を受ける被干渉ノードはＩＡＢノード１である。干渉は、具体的にはクロスリンク干渉ＣＬＩであり得、ＣＬＩは、ＩＡＢノード２のＭＴからＩＡＢノード１のＭＴへの干渉である。
【０２０６】
図１３ａに示されるように、ＩＡＢノード１のＭＴとＩＡＢノード２のＭＴとの間のクロスリンク干渉が、いくつかのスロットに存在し得る。従って、ＩＡＢノード１のＭＴとＩＡＢノード２のＭＴとの間のクロスリンク干渉を測定する必要がある。具体的な干渉測定方法は次の通りである。
【０２０７】
Ｓ１２００．第１のノードは、干渉測定に使用される参照信号構成メッセージを、第２のノードの第１の機能エンティティに送信し、ここで、参照信号構成メッセージは、第２のノードの第１の機能エンティティノードが干渉測定のために使用する参照信号リソース指標情報及び参照信号送信タイミング指標情報を含み、参照信号送信タイミング指標情報は、第２のノードの第２の機能エンティティのダウンリンク送信タイミングを使用して参照信号を送信するように、第２のノードの第１の機能エンティティに指示するために使用される。
【０２０８】
第２のノードの第１の機能エンティティが干渉測定のために使用する参照信号リソース指標情報は、第１の機能エンティティの参照信号リソース識別子、第１の機能エンティティの参照信号の送信電力、第１の機能エンティティの参照信号がマッピングされる時間周波数リソース、及び第１の機能エンティティの参照信号の送信周期性のうちの１つ又は組合せを含む。
【０２０９】
具体的には、参照信号リソース指標情報の特定の実施態様は、次のようになり得る。
【０２１０】
態様１：参照信号リソース指標情報は、既存のフォーマット、例えば既存のＳＲＳリソース情報フォーマットを使用することができる。
【０２１１】
詳細は次の通りである。
ＳＲＳ−Ｒｅｓｏｕｒｃｅ：：＝      ＳＥＱＵＥＮＣＥ｛
ｓｒｓ−ＲｅｓｏｕｒｃｅＩｄ
ｎｒｏｆＳＲＳ−Ｐｏｒｔｓ
ｐｔｒｓ−ＰｏｒｔＩｎｄｅｘ
ＴｒａｎｓｍｉｓｓｉｏｎＣｏｍｂ
ｒｅｓｏｕｒｃｅＭａｐｐｉｎｇ
ｇｒｏｕｐＯｒＳｅｑｕｅｎｃｅＨｏｐｐｉｎｇ
ｒｅｓｏｕｒｃｅＴｙｐｅ      ＣＨＯＩＣＥ｛
ａｐｅｒｉｏｄｉｃ            ＳＥＱＵＥＮＣＥ｛
．．．｝，
ｓｅｍｉ−ｐｅｒｓｉｓｔｅｎｔ      ＳＥＱＵＥＮＣＥ｛
ｐｅｒｉｏｄｉｃｉｔｙＡｎｄＯｆｆｓｅｔ−ｓｐ
．．．｝，
ｐｅｒｉｏｄｉｃ              ＳＥＱＵＥＮＣＥ｛
ｐｅｒｉｏｄｉｃｉｔｙＡｎｄＯｆｆｓｅｔ−ｐ
．．．｝
｝,
ｓｅｑｕｅｎｃｅＩｄ
ｓｐａｔｉａｌＲｅｌａｔｉｏｎＩｎｆｏ
ｐｏｗｅｒｃｏｎｔｒｏｌ
…｝
【０２１２】
ＳＲＳ−Ｒｅｓｏｕｒｃｅは、参照信号リソース指標情報である。
【０２１３】
ｓｒｓ−ＲｅｓｏｕｒｃｅＩｄは、アップリンク測定に使用される共通の参照信号リソース識別子である。
【０２１４】
ｒｅｓｏｕｒｃｅＭａｐｐｉｎｇは、参照信号がマッピングされる時間周波数リソース位置である。
【０２１５】
ｒｅｓｏｕｒｃｅＴｙｐｅは、参照信号のタイプが、非周期的（aperiodic）送信、及び／又は半持続的（semi-persistent）送信、及び／又は周期的（periodic）送信であることを示し、半持続的及び／又は周期的送信中の送信周期性及び周期性のオフセットを示す。
【０２１６】
ｐｏｗｅｒｃｏｎｔｒｏｌは、参照信号を送信するために第２のノードの第１の機能エンティティが使用する送信電力を示す。
【０２１７】
参照信号がマッピングされる時間周波数リソース位置は、第２のノードのダウンリンク送信スロット内にあってもよい。
【０２１８】
態様２：干渉測定に使用される新しいタイプの参照信号リソース指標情報ｃｌｉ−ｍｅａｓ−ＲＳ−Ｒｅｓｏｕｒｃｅが規定され、情報の特定のフォーマットは、態様１の情報フォーマットと同じである。
【０２１９】
参照信号送信タイミング指標情報の特定の実施態様は、次の通りであり得る。
【０２２０】
態様１：  １ビットが指標、例えばｓｒｓ-ｕｓｅ-ｄｌ-ｔｉｍｉｎｇ（０又は１を指標に使用する）に使用される。第２のノードの第１の機能エンティティは、第２のノードの第２の機能エンティティのダウンリンク送信タイミングを使用して参照信号を送信するように明示的に指示される。参照信号送信タイミング指標情報については、参照信号リソース指標情報のフォーマットを拡張することにより、参照信号リソース指標情報の前述のフォーマットの予約フィールドにｓｒｓ−ｕｓｅ−ｄｌ−ｔｉｍｉｎｇを追加することができる、又はｓｒｓ−ｕｓｅ−ｄｌ−ｔｉｍｉｎｇは、参照信号構成メッセージの予約フィールドに配置できる。
【０２２１】
態様２：干渉測定に使用される新しいタイプの参照信号リソース指標情報、すなわち、前述の参照信号リソース指標情報の態様２は、第２のノードの第２の機能エンティティのダウンリンク送信タイミングを使用して参照信号を送信するように、第２のノードの第１の機能エンティティに暗黙的に指示するために使用される。
【０２２２】
第１のノードによって第２のノードの第１の機能エンティティに送信され且つ干渉測定に使用される参照信号構成メッセージは、ＲＲＣ（Radio  Resource  Control、無線リソース制御）プロトコルに基づいて、第１のノードによって第２のノードの第１の機能エンティティに送信され得、ＲＲＣプロトコルの特定のメッセージで伝送される場合もあれば、又はＭＡＣ  ＣＥを使用して示される場合もある。
【０２２３】
図１３ａに示されるように、ドナーノードがＩＡＢノード２のＭＴに送信する参照信号構成メッセージは、ＲＲＣ（Radio  Resource  Control、無線リソース制御）プロトコルに基づいて、ドナーノードによってＩＡＢノード２のＭＴに送信され得、ＲＲＣプロトコルの特定のメッセージで伝送される場合もあれば、又はＭＡＣ  ＣＥを使用して示される場合もある。
【０２２４】
Ｓ１２０２．干渉測定に使用される参照信号構成メッセージを受信した後に、第２のノードの第１の機能エンティティは、参照信号構成メッセージ内の参照信号リソース指標情報を第２のノードの第２の機能エンティティに送信する。参照信号リソース指標情報を受信した後に、第２のノードの第２の機能エンティティは、第２の機能エンティティのダウンリンク送信を調整する。
【０２２５】
具体的には、第２のノードの第２の機能エンティティは、参照信号構成メッセージに示される、参照信号識別子、時間周波数リソース位置、送信周期性、及び周期性のオフセットを識別し、通常のダウンリンク送信を行うときに、対応するビーム内の通常のダウンリンク物理チャネル、時間周波数リソース位置、送信周期性、及び周期性のオフセット位置をマッピングしない。
【０２２６】
図１３ａに示されるように、ＩＡＢノード２のＭＴは、内部相互作用を介して、参照信号リソース指標情報をＩＡＢノード２のＤＵに送信する。図１３ｂに示されるように、ＩＡＢノード２のＤＵが解析によって参照信号リソース指標情報を取得した後に、ＩＡＢノード２のＤＵは、ＩＡＢノード２のＭＴが干渉測定に使用される参照信号を送信する時間周波数リソース位置に通常のダウンリンク物理チャネルをマッピングしない。
【０２２７】
Ｓ１２０４．第２のノードの第１の機能エンティティは、第１のノードが送信した参照信号構成メッセージに基づいて、周期性において対応する時間周波数リソース上で参照信号を送信する。
【０２２８】
参照信号は、同期信号ＳＳＢ、チャネル状態情報−参照信号ＣＳＩ−ＲＳ、復調参照信号ＤＭＲＳ、追跡参照信号ＴＲＳ、位相追跡参照信号ＰＴＲＳ、サウンディング参照信号ＳＲＳ、又は別のＲＳの１つ又は複数を含み得る。
【０２２９】
図１３ｂに示されるように、ＩＡＢノード２のＭＴは、ダウンリンクスロット内の２つのシンボル位置でＳＲＳを送信し、ダウンリンクタイミングを使用してＳＲＳを送信する。
【０２３０】
Ｓ１２０６．第１のノードは、第３のノードの第１の機能エンティティに対して干渉測定構成を行い、干渉測定構成メッセージを送信する。干渉測定設定メッセージには、参照信号リソース指標情報が含まれる。参照信号リソース指標情報のコンテンツは、Ｓ１２００において、第１のノードが送信した参照信号構成メッセージ内の参照信号リソース指標情報のコンテンツと一致している。
【０２３１】
干渉測定構成メッセージは、参照信号タイプ指標情報をさらに含む。参照信号タイプ指標情報は、現在構成されている参照信号のタイプを第３のノードの第１の機能エンティティに示すために使用される。具体的には、参照信号タイプ指標情報の実施態様は次の通りであり得る。
【０２３２】
態様１：特定の情報フィールドｒｅｆｅｒｅｎｃｅ−ｓｉｇｎａｌ−ｔｙｐｅが指標に使用され、ここで、ｒｅｆｅｒｅｎｃｅ−ｓｉｇｎａｌ−ｔｙｐｅは、参照信号リソース指標情報のフォーマットを拡張することによって、参照信号リソース指標情報のフォーマットの予約フィールドに追加され得る、又は参照信号タイプは、干渉測定構成メッセージの予約フィールドに配置できる。
【０２３３】
態様２：干渉測定構成メッセージ内の参照信号リソース指標情報が共通の参照信号リソース指標情報フォーマットを使用する場合に、対応する参照信号タイプが既に表示されており、追加の指標は必要ない。例えば、参照信号リソース指標情報がＳＲＳ−Ｒｅｓｏｕｒｃｅである場合に、対応する参照信号タイプＳＲＳが表示される。別の例として、参照信号リソース指標情報がＣＳＩ−ＲＳ−Ｒｅｓｏｕｒｃｅである場合に、対応する参照信号タイプＣＳＩ−ＲＳが表示される。
【０２３４】
ステップＳ１２００の後に実行されることに加えて、ステップＳ１２０６は、干渉測定に使用される参照信号を送信するステップＳ１２０４の前に実行され得る。
【０２３５】
図１３ａに示されるように、ＩＡＢノード１のＭＴについて、ドナーノードは、干渉測定構成を行い、干渉測定構成メッセージを送信する。干渉測定構成メッセージは、ＩＡＢノード１のＭＴによって検出すべき参照信号リソースを示し、具体的には、これらの参照信号リソースの識別子、参照信号がマッピングされる時間周波数リソース、参照信号の送信周期性、周期性のスロットオフセット、参照信号の送信電力等を含む。干渉測定構成は、対応する参照信号のタイプも示し、参照信号を検出するためにＩＡＢノード１のＭＴによって使用される。
【０２３６】
Ｓ１２０８．第３のノードの第１の機能エンティティは、ステップＳ１２０６において、干渉測定構成に基づいて、第２のノードの第１の機能エンティティによって送信され且つ干渉測定に使用される参照信号を検出し、干渉測定を行う。
【０２３７】
図１３ａに示されるように、ＩＡＢノード１のＭＴは、干渉測定構成において指定された参照信号リソース上で指示された参照信号タイプに対応するシーケンスを使用して、及び干渉測定構成に基づいてＩＡＢノード１のＭＴの受信ビームを使用して、ＩＡＢノード２のＭＴによって送信される参照信号を検出する。
【０２３８】
本願は、前述の干渉測定方法を提供するので、干渉を受ける被干渉ノードは、干渉測定を迅速且つ正確に行うことができ、それにより、クロスリンク信号送信の影響が大幅に軽減され、システムの送信性能が向上する。
【０２３９】
実施形態６
図１４に示されるように、本発明のこの実施形態は、別の実施形態による方法の概略フローチャートをさらに提供する。
【０２４０】
図１５のＩＡＢのネットワークアーキテクチャ図を、説明のための例として使用する。しかしながら、本願のこの実施形態は、図１５に限定されず、前述の様々なネットワークアーキテクチャ図に適用することができる。
【０２４１】
図１５において、ＩＡＢノード１は、ＤＵによって、ＩＡＢノード１の下位レベルノード又は端末によって送信された信号を受信し、ＩＡＢノード２は、ＭＴによって、データをドナーノードに送信する。この場合に、アップリンク信号を受信すると、ＩＡＢノード１のＤＵは、ＩＡＢノード２のＭＴによって送信されたアップリンク信号によって干渉を受ける。ここで、干渉源はＩＡＢノード２であり、干渉を受ける被干渉ノードはＩＡＢノード１である。干渉は、具体的にはクロスリンク干渉ＣＬＩであり得、ＣＬＩは、ＩＡＢノード２のＭＴからＩＡＢノード１のＤＵへの干渉である。
【０２４２】
図１５に示されるように、ＩＡＢノード１のＤＵとＩＡＢノード２のＭＴとの間のクロスリンク干渉が、いくつかのスロットに存在し得る。従って、ＩＡＢノード１のＤＵとＩＡＢノード２のＭＴとの間のクロスリンク干渉を測定する必要がある。具体的な干渉測定方法は次の通りである。
【０２４３】
Ｓ１４００．第１のノードは、参照信号（reference  signal,  RS）構成メッセージを送信し、ここで、ＲＳ構成メッセージは、第２のノードの第２の機能エンティティの参照信号リソース指標情報を含み、第２の機能エンティティの参照信号リソース指標情報は、第２のノードの第１の機能エンティティの参照信号リソース識別子を含む。ＲＳ構成情報は、第２のノードの第２の機能エンティティによって送信される参照信号を構成するために使用され、第２のノードの第２の機能エンティティによって送信される参照信号は、干渉を測定するために使用され、干渉は、第２のノードの第１の機能エンティティから第３のノードの第１の機能エンティティへの干渉である。
【０２４４】
第２のノードは干渉発生ノードであり、第３のノードは被干渉ノードである。第２のノードの第１の機能エンティティの参照信号リソース識別子は、参照信号リソースを示すために使用される。
【０２４５】
図１５に示されるＩＡＢネットワークにおいて、第１のノードはドナーノードであり、第２のノードはＩＡＢノード２等の干渉発生ノードであり、第３のノードはＩＡＢノード１等の被干渉ノードである。第２のノード及び第３のノードはそれぞれ第１の機能エンティティ及び第２の機能エンティティを含むことができる。第１の機能エンティティはＭＴであり、第２の機能エンティティはＤＵである。ここでは、第１の機能エンティティ及び第２の機能エンティティは、１つのモジュールに統合され得るか、又は独立して、異なるモジュールに分離され得る。第１の機能エンティティはＭＴ又はＤＵであり、第２の機能エンティティはＤＵ又はＭＴである。第１のノードは、代替的に、ＩＡＢノードであってもよい。
【０２４６】
ＩＡＢノード２又はＩＡＢノード１の構成又は能力に基づいて、ＩＡＢノード２は、１つ又は複数のビームを同時に使用して信号を送信することができ、ＩＡＢノード１も、１つ又は複数のビームを同時に使用して信号を送信することができる。ビームは、参照信号リソース識別子によって示され得る。第２のノードの第１の機能エンティティの参照信号リソース識別子は、ＩＡＢノード２のＭＴの参照信号リソース識別子であり、参照信号を送信するためにＩＡＢノード２のＭＴが使用する１つ又は複数の参照信号リソースを示すために使用される。１つ又は複数の参照信号リソースはＭＴの１つ又は複数の送信ビームに対応する。オプションで、第２のノードの第１の機能エンティティの参照信号リソース識別子は、ＩＡＢノードの参照信号の構成されたリソース識別子（identity,  ID）、例えば、チャネル状態情報−参照信号（Channel  status  information  Reference  Signal,  CSI-RS）のリソース識別子（ＣＳＩ−ＲＳ−ＲｅｓｏｕｒｃｅＩｄ）又はサウンディング参照信号（Sounding  Reference  Signal,  SRS）のリソース識別子（ＳＲＳ−ＲｅｓｏｕｒｃｅＩｄ）であり得る。
【０２４７】
参照信号構成メッセージは、無線リソース制御（Radio  Resource  Control,  RRC）プロトコルメッセージで伝送されるか、又はＦ１インターフェースを介してＦ１−ＡＰ（F1-application  protocol）プロトコルベースのメッセージ、例えばダウンリンク無線リソース制御転送メッセージ（ＤＬ  ＲＲＣ  ＴＲＡＮＳＦＥＲメッセージ）で伝送され得、ここで、Ｆ１インターフェースは、ＩＡＢノード２の分散ユニット（distributed  unit,  DU）とドナーノードの集中ユニット（central  unit,  CU）との間のＦ１インターフェースであり、又は参照信号構成メッセージは、ＤＣＩ（Downlink  Control  Information）メッセージ又はＭＡＣ  ＣＥ（Media  Access  Control  control  element）で伝送され得る。
【０２４８】
参照信号構成メッセージは、代替的に、ＲＲＣ、ＤＣＩ、又はＭＡＣ  ＣＥを使用して、ドナーノードによってＩＡＢノード２のＭＴに送信され得、次に、ＩＡＢノード２のＭＴは、内部シグナリングの相互作用によってＩＡＢノード２のＤＵに通知する。
【０２４９】
参照信号構成メッセージを、定期的に送信してもよく、又は半静的に送信してもよい。
【０２５０】
参照信号構成メッセージは、１つ又は複数の参照信号リソース指標情報を含み、各参照信号リソース指標情報は、参照信号リソース識別子を含む。
【０２５１】
具体的には、参照信号リソース指標情報のフォーマットは次の通りである。
【０２５２】
１．態様１：新しいタイプの参照信号リソース指標情報が規定され、指標情報の特定のフォーマットの例は次の通りである。
ＲＳ−Ｒｅｓｏｕｒｃｅ：：＝      ＳＥＱＵＥＮＣＥ｛
ＲＳ−ＲｅｓｏｕｒｃｅＩｄ
ｒｅｓｏｕｒｃｅＭａｐｐｉｎｇ
ｐｏｗｅｒｃｏｎｔｒｏｌ
ｐｅｒｉｏｄｉｃｉｔｙＡｎｄＯｆｆｓｅｔ．．．．．．｝
【０２５３】
ＲＳ−Ｒｅｓｏｕｒｃｅは、参照信号リソース指標情報である。
【０２５４】
ＲＳ−ＲｅｓｏｕｒｃｅＩｄは、参照信号リソース識別子であり、参照信号リソース識別子は、ＩＡＢノードのＭＴに関するものであり且つ識別子に対応するビームを使用して参照信号を送信するようにＩＡＢノード２のＤＵに指示することが理解され得る。
【０２５５】
オプションで、参照信号リソース指標情報は、次のうちの１つ又は複数をさらに含み得る：
ｒｅｓｏｕｒｃｅＭａｐｐｉｎｇ：これは、干渉測定に使用される参照信号がマッピングされる時間周波数リソース位置を示す；
ｐｏｗｅｒｃｏｎｔｒｏｌ：参照信号の電力制御、ここで、参照信号の電力制御は、参照信号を送信するためにＩＡＢノード２のＤＵが使用する送信電力を示し、参照信号の送信電力は、ＩＡＢノード２のＭＴの送信電力として構成される；及び
ｐｅｒｉｏｄｉｃｉｔｙＡｎｄＯｆｆｓｅｔ：これは、干渉測定に使用される参照信号の送信周期性及び／又は各周期性のスロットオフセットを示す。
【０２５６】
２．態様２：参照信号リソース指標情報は、統一したフォーマット、例えば既存のＣＳＩ−ＲＳ−Ｒｅｓｏｕｒｃｅメッセージフォーマットを使用し、ＣＳＩ−ＲＳ−Ｒｅｓｏｕｒｃｅメッセージが拡張される。
【０２５７】
詳細は次の通りである。
【０２５８】
ＣＳＩ−ＲＳリソース指標情報ＣＳＩ−ＲＳ−Ｒｅｓｏｕｒｃｅは、次のように示される。
ＣＳＩ−ＲＳ−Ｒｅｓｏｕｒｃｅ：：＝      ＳＥＱＵＥＮＣＥ｛
ＣＳＩ−ＲＳ−ＲｅｓｏｕｒｃｅＩｄ
ＳＲＳ−ＲｅｓｏｕｒｃｅＩｄ
ｒｅｓｏｕｒｃｅＭａｐｐｉｎｇ
ｐｏｗｅｒＣｏｎｔｒｏｌ
ｐｅｒｉｏｄｉｃｉｔｙＡｎｄＯｆｆｓｅｔ．．．｝
【０２５９】
ＣＳＩ−ＲＳ−Ｒｅｓｏｕｒｃｅは、参照信号リソース指標情報である。
【０２６０】
ＣＳＩ−ＲＳ−ＲｅｓｏｕｒｃｅＩｄは、ＣＳＩ測定に使用される共通の参照信号リソース識別子であり、ＤＵによって構成されたビームを使用してＣＳＩ測定に使用される参照信号を送信するように、ＩＡＢノード２のＤＵに指示するために使用される。
【０２６１】
ＳＲＳ−ＲｅｓｏｕｒｃｅＩｄは、参照信号リソース識別子であり、参照信号リソース識別子は、ＩＡＢノード２のＭＴに関するものであり且つ識別子に対応するビームを使用して参照信号を送信するように、ＩＡＢノード２のＤＵに指示するために使用される。
【０２６２】
ｒｅｓｏｕｒｃｅＭａｐｐｉｎｇは、参照信号がマッピングされる時間周波数リソース位置を示すために使用される。
【０２６３】
ｐｏｗｅｒｃｏｎｔｒｏｌは、参照信号の電力制御であり、参照信号を送信するためにＩＡＢノード２のＤＵが使用する送信電力を示す。
【０２６４】
ｐｅｒｉｏｄｉｃｉｔｙＡｎｄＯｆｆｓｅｔは、干渉測定に使用される参照信号の送信周期性及び／又は各周期性におけるスロットオフセットを示す。
【０２６５】
ドナーノードが参照信号構成メッセージをＩＡＢノード２のＤＵに送信するときであって、ＩＡＢノード２のＤＵが参照信号構成メッセージに含まれるＳＲＳ−ＲｅｓｏｕｒｃｅＩｄを識別する場合に、現在の参照信号構成が干渉測定に使用され、特にクロスリンク干渉測定に使用されることが分かり得る。
【０２６６】
ｐｏｗｅｒＣｏｎｔｒｏｌフィールドは、参照信号を送信するために使用される電力を示す。チャネル状態情報ＣＳＩ測定に使用される参照信号リソースが現在示されている場合に、フィールドはＣＳＩ−ＲＳの送信電力情報として設定される。クロスリンク干渉ＣＬＩ測定に使用される参照信号リソースが示されている場合に、フィールドはＳＲＳの送信電力情報として設定される。
【０２６７】
具体的には、図１５を例にとると、ステップＳ１４００は、次のように理解され得る。
【０２６８】
ＩＡＢノード１のＤＵがＩＡＢノード２のＭＴによって干渉を受けると、ドナーノードはＲＳ構成メッセージを生成する。ＲＳ構成メッセージは、ＩＡＢノード２のＤＵによって送信され且つ干渉測定に使用される参照信号を構成するために使用される。干渉測定に使用される参照信号は、ＩＡＢノード２のＭＴからの干渉を測定するためにＩＡＢノード１のＭＴによって使用され、ＲＳ構成メッセージには、ＩＡＢノード２のＤＵの｛３，４，５｝等の参照信号リソース識別子が含まれ、参照信号リソース識別子は、ＩＡＢノード２のＭＴのビームに対応する。
【０２６９】
Ｓ１４０２．第２のノードの第２の機能エンティティは、受信したＲＳ構成メッセージに基づいて、干渉測定に使用される参照信号を構成する。
【０２７０】
図１５に示されるように、ＩＡＢノード２のＤＵは、参照信号リソース識別子に基づいて対応するビームを選択して、参照信号を送信する。
【０２７１】
参照信号リソース識別子と、信号を送信するために特に使用されるビームとの間の対応関係は、ＩＡＢノード２のＭＴについて既知である。しかしながら、ＩＡＢノード２では、ＤＵがＭＴと相互作用し得るため、ＤＵは、ＳＲＩ｛３，４，５｝に対応するＭＴのビーム、例えば、図１５の影で識別される３つの物理ビームを識別することもできる。
【０２７２】
例えば、ＩＡＢノード２のＭＴは、参照信号リソース識別子｛３，４，５｝に対応するビームセット｛ａ、ｂ、ｃ｝を使用して信号を送信する。ＩＡＢノード１のＭＴがＩＡＢノード２のＭＴに対して干渉測定を行うと、ＩＡＢノード２のＤＵはＩＡＢノード２のＭＴと相互作用して、ＩＡＢノード２のＭＴに関するものであり且つ参照信号リソース識別子｛３，４，５｝に対応するビームセット｛ａ、ｂ、ｃ｝を取得し、ＩＡＢノード２のＤＵは、ビームセット｛ａ、ｂ、ｃ｝を使用して、干渉測定に使用される参照信号を送信する。
【０２７３】
ＩＡＢノード２に関するものであるＭＴとＤＵとの間の相互作用は、ハードウェアモジュール同士の間の相互作用であり得るか、又はＭＴ及びＤＵが統合されるときにソフトウェアを使用して実現され得ることに留意されたい。さらに、ＲＳ構成メッセージ内の参照信号リソース指標情報は、ＩＡＢノード２のＤＵの参照信号がマッピングされる時間周波数リソース、ＩＡＢノード２のＤＵの参照信号の送信電力、又はＩＡＢノード２のＤＵの参照信号の送信周期性の１つ又は組合せをさらに含む。
【０２７４】
ＩＡＢノード２のＤＵが、ＩＡＢノード２のＭＴに関する情報（送信ビーム及び送信電力）に基づいて、干渉測定に使用される参照信号を構成し、参照信号が、ＩＡＢノード２のＭＴの代わりに、ＩＡＢノード２のＤＵによって送信されるので、ＩＡＢノード１は、干渉測定に使用される参照信号を正確に検出して干渉を測定し、干渉を排除することができ、それにより、ＩＡＢネットワークの性能が大幅に向上する。
【０２７５】
Ｓ１４０４．第１のノードは、干渉測定構成メッセージを第３のノードの第１の機能エンティティに送信し、ここで、干渉測定構成メッセージは、第２のノードの第２の機能エンティティの参照信号リソース指標情報及び／又は干渉測定タイプ指標情報を含み、干渉測定タイプ指標情報は、第３のノードの第２の機能エンティティの受信ビームを使用して干渉測定を行うように、第３のノードの第１の機能エンティティに指示するために使用される。
【０２７６】
第２のノードの第２の機能エンティティの参照信号リソース指標情報のフォーマット及びコンテンツについては、ステップＳ８００の特定の説明を参照されたい。ＭＴｔｏＤＵ−Ｍｅａｓ−Ｔｙｐｅ等の干渉測定タイプ指標情報は、Ｓ８００において、第２のノードの第２の機能エンティティの参照信号リソース指標情報のフォーマットを拡張することにより、参照信号リソース指標情報の前述のフォーマットの予約フィールドに追加することができる、又はＭＴｔｏＤＵ−Ｍｅａｓ−Ｔｙｐｅ等の干渉測定タイプ指標情報は、ＲＳ構成メッセージの予約フィールドに配置できる。
【０２７７】
第１のノードが第３のノードの第１の機能エンティティに送信する干渉測定構成メッセージは、ＲＲＣ（Radio  Resource  Control、無線リソース制御）プロトコルに基づいて、第１のノードによって第３のノードの第１の機能エンティティに送信され得、ＲＲＣプロトコルの特定のメッセージで伝送されるか、又はＭＡＣ  ＣＥを使用して示される場合もある。
【０２７８】
図１５に示されるように、前述の説明は、次のように理解され得る。ドナーノードがＩＡＢノード１のＭＴに送信する干渉測定に使用される構成は、ＲＲＣ（Radio  Resource  Control、無線リソース制御）プロトコルに基づいて、ドナーノードによってＩＡＢノード１のＭＴに送信され得、ＲＲＣプロトコルの特定のメッセージで伝送される場合もあれば、又はＭＡＣ  ＣＥを使用して示される場合もある。
【０２７９】
Ｓ１４０６．第２のノードの第２の機能エンティティは、干渉測定に使用される参照信号を送信する。
【０２８０】
図１５に示されるように、ＩＡＢノード２のＤＵは、ＲＳ構成メッセージ内の参照信号リソース識別子に対応する１つ又は複数のビームを使用して、干渉測定に使用される参照信号を送信し、それによって、ＩＡＢノード１のＭＴは干渉測定を行う。
【０２８１】
さらに、ＩＡＢノード２のＤＵは、指定された時間周波数リソース上で、干渉測定に使用される参照信号をさらに送信することができる。定期的な測定を行う必要がある場合に、ＩＡＢノード２のＤＵは、さらに定期的に、参照信号を指定された送信周期で送信し、指定された送信電力を使用して参照信号を送信する。
【０２８２】
参照信号は、同期信号ＳＳＢ、チャネル状態情報−参照信号ＣＳＩ−ＲＳ、復調参照信号ＤＭＲＳ、追跡参照信号ＴＲＳ、位相追跡参照信号ＰＴＲＳ、サウンディング参照信号ＳＲＳ、又は別のＲＳの１つ又は複数を含み得る。
【０２８３】
Ｓ１４０８．第３のノードの第１の機能エンティティは、干渉測定構成における干渉測定タイプ指標に従って、第２のノードの第２の機能エンティティによって送信され且つ干渉測定に使用される参照信号を検出し、干渉測定を行う。
【０２８４】
図１５に示されるように、ＩＡＢノード１のＭＴは、干渉測定タイプ指標に従ってＩＡＢノード１のＤＵの受信ビームを使用して、ＩＡＢノード２のＤＵによって送信された参照信号を検出し、干渉測定を行う。
【０２８５】
さらに、ＩＡＢノード１のＭＴは、干渉構成で示された時間周波数リソース及び周期性に基づいて、ＩＡＢノード２のＤＵによって送信され且つ干渉測定に使用される参照信号をさらに検出することができる。
【０２８６】
実施形態７
図１６に示されるように、本発明のこの実施形態は、別の実施形態による方法のフローチャートをさらに提供する。
【０２８７】
図１７のＩＡＢのネットワークアーキテクチャ図を、説明のための例として使用する。しかしながら、本願のこの実施形態は、図１７に限定されず、前述の様々なネットワークアーキテクチャ図に適用することができる。
【０２８８】
図１７において、ＩＡＢノード１は、ＤＵを使用して、ＩＡＢノード１の下位レベルノード又は端末によって送信された信号を受信し、ＩＡＢノード２は、ＭＴを使用して、データをドナーノードに送信する。この場合に、アップリンク信号を受信すると、ＩＡＢノード１のＤＵは、ＩＡＢノード２のＭＴによって送信されたアップリンク信号によって干渉を受ける。ここで、干渉源はＩＡＢノード２であり、干渉を受ける被干渉ノードはＩＡＢノード１である。干渉は、具体的にはクロスリンク干渉ＣＬＩであり得、ＣＬＩは、ＩＡＢノード２のＭＴからＩＡＢノード１のＤＵへの干渉である。
【０２８９】
図１７に示されるように、ＩＡＢノード１のＤＵとＩＡＢノード２のＭＴとの間のクロスリンク干渉が、いくつかのスロットに存在し得る。従って、ＩＡＢノード１のＤＵとＩＡＢノード２のＭＴとの間のクロスリンク干渉を測定する必要がある。具体的な干渉測定方法は次の通りである。
【０２９０】
Ｓ１６００．第１のノードは、干渉測定指標メッセージを送信し、ここで、干渉測定指標メッセージは、干渉測定に使用される参照信号構成メッセージを報告するように、第２のノードの第２の機能エンティティに指示するために使用される。
【０２９１】
図１７に示されるように、ドナーノードは、干渉測定指標メッセージをＩＡＢノード２のＤＵに送信して、干渉測定に使用される参照信号構成情報を生成及び報告するようにＩＡＢノード２のＤＵに指示する。
【０２９２】
干渉測定指標メッセージは、無線リソース制御（Radio  Resource  Control,  RRC）プロトコルメッセージで伝送されるか、又はＦ１インターフェースを介してＦ１−ＡＰ（F1-application  protocol）プロトコルベースのメッセージ、例えばダウンリンク無線リソース制御転送メッセージ（ＤＬ  ＲＲＣ  ＴＲＡＮＳＦＥＲメッセージ）で伝送され得る。Ｆ１インターフェースは、ＩＡＢノード２の分散ユニット（distributed  unit,  DU）とドナーノードの集中ユニット（central  unit,  CU）との間のＦ１インターフェースである。
【０２９３】
干渉測定指標メッセージは、代替的に、ＲＲＣ、ＤＣＩ、又はＭＡＣ  ＣＥを使用して、ドナーノードによってＩＡＢノード２のＭＴに送信され得、次に、ＩＡＢノード２のＭＴは、内部シグナリング相互作用を介してＩＡＢノード２のＤＵに通知し、それによって、ＩＡＢノード２のＤＵは、干渉測定に使用される参照信号構成情報を生成して報告する。
【０２９４】
干渉測定指標メッセージの特定の実施態様は、次のいくつかの態様を含む。
【０２９５】
態様１：１ビットが指標に使用され、第２のノードの第２の機能エンティティがトリガーされて、干渉測定に使用される参照信号構成情報、例えばＣＬＩ−Ｍｅａｓ−Ｉｎｄｉｃａｔｏｒ（０又は１を指標に使用する）を生成及び報告する。
【０２９６】
態様２：干渉測定指標メッセージは、第２のノードの第２の機能エンティティによって送信され且つ干渉測定に使用される参照信号の送信スロット又は送信周期性の１つ又は組合せを含み、第２のノードの第２の機能エンティティは、前述のメッセージを使用してトリガーされ、干渉測定に使用される参照信号構成情報を生成及び報告する。例えば、これは、指標メッセージの次のメッセージフォーマットを使用して実現される。
ＣＬＩ−Ｍｅａｓ−Ｉｎｄｉｃａｔｏｒ：：＝      ＳＥＱＵＥＮＣＥ｛
ｓｆｎＦｏｒＣｌｉＭｅａｓ  ＯＰＴＩＯＮＡＬ
ｐｅｒｉｏｄｉｃｉｔｙＡｎｄＯｆｆｓｅｔ
．．．｝
【０２９７】
ｓｆｎＦｏｒＣｌｉＭｅａｓは、干渉測定に使用される参照信号の送信スロットを示し、ｐｅｒｉｏｄｉｃｉｔｙＡｎｄＯｆｆｓｅｔは、干渉測定に使用される参照信号の送信周期性及び／又は各周期性のスロットオフセットを示す。
【０２９８】
態様３：態様３は、態様１を態様２と組み合わせることによって実施される。具体的には、第２のノードの第２の機能エンティティは、態様１を使用してトリガーされて、干渉測定に使用される参照信号構成情報を生成し、次に、第２のノードの第２の機能エンティティによって送信され且つ干渉測定に使用される参照信号の送信スロット又は送信周期性は、態様２を使用して示される。
【０２９９】
Ｓ１６０２．第２のノードの第２の機能エンティティは、干渉測定に使用される参照信号構成メッセージを報告し、ここで、参照信号構成メッセージは、第２のノードの第２の機能エンティティの参照信号リソース指標情報を含み、第２の機能エンティティの参照信号リソース指標情報は、第２のノードの第２の機能エンティティの参照信号リソース識別子を含む。
【０３００】
具体的には、第２のノードの第２の機能エンティティは、第２の機能エンティティの参照信号リソース指標情報を生成し、ここで、第２の機能エンティティの参照信号リソース指標情報は、第２のノードの第２の機能エンティティの参照信号リソース識別子を含む。
【０３０１】
第２のノードの第２の機能エンティティの参照信号リソース識別子は、第２のノードの第１の機能エンティティの送信ビームに基づいて、第２のノードの第２の機能エンティティによって取得される。
【０３０２】
さらに、参照信号の送信電力を構成するときに、第２のノードの第２の機能エンティティは、第２のノードの第１の機能エンティティの送信電力を、第２のノードの第２の機能エンティティの参照信号の送信電力として使用し、参照信号によって使用される時間周波数リソース及び参照信号の送信周期性を構成する。第２のノードの第２の機能エンティティは、送信電力、時間周波数リソース、及び送信周期性を参照信号リソース指標情報に追加し、干渉測定に使用される参照信号構成メッセージを使用して、参照信号リソース指標情報を第１のノードに報告する。
【０３０３】
図１７に示されるように、参照信号リソース指標情報の特定のフォーマットは次の通りである。
【０３０４】
新しいタイプの参照信号リソース指標情報が規定され、指標情報の特定のフォーマットの例は次の通りである。
ＲＳ−Ｒｅｓｏｕｒｃｅ：：＝      ＳＥＱＵＥＮＣＥ｛
ＲＳ−ＲｅｓｏｕｒｃｅＩｄ
ｒｅｓｏｕｒｃｅＭａｐｐｉｎｇ
ｐｏｗｅｒｃｏｎｔｒｏｌ
ｐｅｒｉｏｄｉｃｉｔｙＡｎｄＯｆｆｓｅｔ
．．．｝
【０３０５】
ＲＳ−Ｒｅｓｏｕｒｃｅは、参照信号リソース指標情報である。
【０３０６】
ＲＳ−ＲｅｓｏｕｒｃｅＩｄは、参照信号リソース識別子である。
【０３０７】
オプションで、参照信号リソース指標情報は、次のうちの１つ又は複数をさらに含み得る：
ｒｅｓｏｕｒｃｅＭａｐｐｉｎｇ：これは、参照信号がマッピングされる時間周波数リソース位置を示す；
ｐｏｗｅｒｃｏｎｔｒｏｌ：参照信号の電力制御、ここで、電力制御は、参照信号を送信するためにＩＡＢノード２のＤＵが使用する送信電力を示し、参照信号の送信電力は、ＩＡＢノード２のＭＴの送信電力として構成される；及び
ｐｅｒｉｏｄｉｃｉｔｙＡｎｄＯｆｆｓｅｔ：これは、干渉測定に使用される参照信号の送信周期性及び／又は各周期性のスロットオフセットを示す。
【０３０８】
上記の送信電力及び時間周波数リソースが第１のノードによって構成される場合に、図４ａ、図４ｂ、及び図５に提供される第２のノードの第２の機能エンティティへの参照信号構成メッセージの配信を参照されたい。あるいはまた、送信電力及び時間周波数リソースは、別のメッセージを使用して、第２のノードの第２の機能エンティティに送信され得る。
【０３０９】
具体的には、第２のノードの第１の機能エンティティの送信ビーム及び第２のノードの第１の機能エンティティの送信電力を取得するプロセスは、次の通りである。
【０３１０】
図１７に示されるように、ＩＡＢノード２のＤＵは、ＩＡＢノード２のＭＴと情報を交換することにより、ＩＡＢノード２のＭＴの送信ビーム及び送信電力を取得し、ＩＡＢノード２のＤＵは、取得したＭＴの送信ビームに基づいて、参照信号リソース識別子を生成する。
【０３１１】
ここでの送信ビーム情報は、ＳＲＳを最後に送信するためにＭＴによって使用されるビーム又はビームセットであり得るか、又はドナーノードによって構成され且つＩＡＢノード２のＭＴによって最後に受信されるＳＲＩに対応するビーム又はビームセットであり得、これらのビームのそれぞれが１つのＳＲＩに対応する。
【０３１２】
ＩＡＢノード２のＤＵは、ＩＡＢノード２のＭＴの送信ビーム及び送信電力を使用して、干渉測定に使用される参照信号を送信する。
【０３１３】
ＩＡＢノード２のＤＵによって生成され且つ干渉測定に使用される参照信号構成メッセージは、１つ又は複数の参照信号リソース指標情報を含み、各参照信号リソース指標情報は、１つの送信ビームに対応する。例えば、ＭＴがＤＵに１６個のビームを通知すると、ＤＵは１６個の参照リソース指標情報を生成し、１６個の参照リソース指標情報は参照信号構成メッセージに含められる。
【０３１４】
さらに、ＩＡＢノード２のＤＵによって生成されてドナーノードに送信され、且つ干渉測定に使用される参照信号構成メッセージは、無線リソース制御（Radio  Resource  Control,  RRC）プロトコルメッセージで伝送されるか、又はＦ１インターフェースを介してＦ１−ＡＰ（F1-application  protocol）プロトコルベースのメッセージで伝送され得る。Ｆ１インターフェースは、ＩＡＢノード２の分散ユニット（distributed  unit,  DU）とドナーノードの集中ユニット（central  unit,  CU）との間のＦ１インターフェースである。
【０３１５】
Ｓ１６０４．第１のノードは、干渉測定構成メッセージを第３のノードの第１の機能エンティティに送信し、ここで、干渉測定構成メッセージは、第２のノードの第２の機能エンティティの参照信号リソース指標情報及び／又は干渉測定タイプ指標情報を含み、干渉測定タイプ指標情報は、第３のノードの第２の機能エンティティの受信ビームを使用して干渉測定を行うように、第３のノードの第１の機能エンティティに指示するために使用される。
【０３１６】
第２のノードの第２の機能エンティティの参照信号リソース指標情報のフォーマット及びコンテンツについては、ステップＳ８００の特定の説明を参照されたい。ＭＴｔｏＤＵ−Ｍｅａｓ−Ｔｙｐｅ等の干渉測定タイプ指標情報は、Ｓ８００において、第２のノードの第２の機能エンティティの参照信号リソース指標情報のフォーマットを拡張することにより、参照信号リソース指標情報の前述のフォーマットの予約フィールドに追加することができる、又はＭＴｔｏＤＵ−Ｍｅａｓ−Ｔｙｐｅ等の干渉測定タイプ指標情報は、ＲＳ構成メッセージの予約フィールドに配置できる。
【０３１７】
第１のノードが第３のノードの第１の機能エンティティに送信する干渉測定構成メッセージは、ＲＲＣ（Radio  Resource  Control、無線リソース制御）プロトコルに基づいて、第１のノードによって第３のノードの第１の機能エンティティに送信され得、ＲＲＣプロトコルの特定のメッセージで伝送される場合もあれば、又はＭＡＣ  ＣＥを使用して示される場合もある。
【０３１８】
図１７に示されるように、前述の説明は、次のように理解され得る。ドナーノードがＩＡＢノード１のＭＴに送信する干渉測定に使用される構成は、ＲＲＣ（Radio  Resource  Control、無線リソース制御）プロトコルに基づいて、ドナーノードによってＩＡＢノード１のＭＴに送信され得、ＲＲＣプロトコルの特定のメッセージで伝送されるか、又はＭＡＣ  ＣＥを使用して示される場合もある。
【０３１９】
Ｓ１６０６．第２のノードの第２の機能エンティティは、干渉測定に使用される参照信号構成メッセージに基づいて、干渉測定に使用される参照信号を送信する。
【０３２０】
図１７に示されるように、ＩＡＢノード２のＤＵは、ＩＡＢノード２のＭＴの送信ビームを取得し、これらのビームで参照信号を送信する。
【０３２１】
さらに、ＩＡＢノード２のＤＵは、ＤＵによって構成された時間周波数リソース又は指定された時間周波数リソース上で、干渉測定に使用される参照信号を送信する。定期的な測定を行う必要がある場合に、ＩＡＢノード２のＤＵは、さらに定期的に、ＤＵによって構成された送信周期又は指定された送信周期で参照信号を送信し、指定された送信電力又はＤＵによって構成された送信電力を使用して参照信号を送信する。
【０３２２】
参照信号は、同期信号ＳＳＢ、チャネル状態情報−参照信号ＣＳＩ−ＲＳ、復調参照信号ＤＭＲＳ、追跡参照信号ＴＲＳ、位相追跡参照信号ＰＴＲＳ、サウンディング参照信号ＳＲＳ、又は別のＲＳの１つ又は複数を含み得る。
【０３２３】
Ｓ１６０８．第３のノードの第１の機能エンティティは、干渉測定構成における干渉測定タイプ指標に従って、第２のノードの第２の機能エンティティによって送信され且つ干渉測定に使用される参照信号を検出し、干渉測定を行う。
【０３２４】
図１７に示されるように、ＩＡＢノード１のＭＴは、干渉測定タイプ指標に従ってＩＡＢノード１のＤＵの受信ビームを使用して、ＩＡＢノード２のＤＵによって送信された参照信号を検出し、干渉測定を行う。
【０３２５】
さらに、ＩＡＢノード１のＭＴは、干渉構成で示された時間周波数リソース及び周期性に基づいて、ＩＡＢノード２のＤＵによって送信され且つ干渉測定に使用される参照信号をさらに検出することができる。
【０３２６】
本願の実施形態における干渉測定方法は、図１〜図１６を参照して上で詳細に説明している。以下では、図を参照して、本願の実施形態における干渉測定機器について説明する。方法の実施形態で説明した技術的特徴は、以下の機器の実施形態にも適用可能であることを理解されたい。
【０３２７】
図１８は、本願の一実施形態による干渉測定機器の概略ブロック図である。機器は、前述の方法の実施形態１の方法を実行するように構成される。オプションで、機器の特定の形態は、中継ノード又は中継ノード内のチップであり得るか、或いは端末装置又は端末装置内のチップであり得る。これは、本願のこの実施形態に限定されない。
【０３２８】
図４ａ、図４ｂ、及び図５を例にとると、干渉測定機器は第２のノードである。
【０３２９】
機器は、トランシーバ１８０２及びプロセッサ１８０４を含む。
【０３３０】
トランシーバ１８０２は、ＲＳ構成メッセージを受信することであって、ＲＳ構成メッセージは、第２のノードの第２の機能エンティティの参照信号リソース指標情報を含み、第２の機能エンティティの参照信号リソース指標情報は、第２のノードの第１の機能エンティティの参照信号リソース識別子を含む、受信することと；プロセッサの指標に従って決定された１つ又は複数の送信ビームを使用して、干渉測定に使用されるＲＳを送信することと；を行うように構成される。
【０３３１】
プロセッサ１８０４は、ＲＳ構成メッセージ内の第２のノードの第１の機能エンティティの参照信号リソース識別子に基づいて、第２のノードの第１の機能エンティティの参照信号リソース識別子に対応する１つ又は複数の送信ビームを決定し、決定した送信ビームを使用して、干渉測定に使用されるＲＳを送信するようにトランシーバに指示するように構成される。
【０３３２】
干渉測定機器は、図４ａ、図４ｂ、及び図５に示される干渉測定方法を実行するように構成される。関連する技術的特徴は、図４ａ、図４ｂ、及び図５に示される方法を参照して上で詳細に説明してきた。従って、詳細について、ここでは再び説明しない。なお、干渉測定機器によって実施され得る図４ａ、図４ｂ、及び図５に示される干渉測定方法では、実施形態１の各ノード、例えば第１のノード、第２のノード、及び第３のノードは、トランシーバ及びプロセッサを含み、この方法の実施形態の各ノードの送信又は受信アクションはトランシーバによって実行され得、処理及び決定等の他のアクションはプロセッサによって実行される。
【０３３３】
さらに、上記のように、図６及び図７の測定方法については、実施形態２において、本発明のこの実施形態は、前述の機器構造にも適用される。この機器は、トランシーバ及びプロセッサを含む。各ノードの受信又は送信ステップは、各ノードのトランシーバによって実行され、処理、決定、計算、及び判断等の特定のアクションは、各ノードのプロセッサによって実行される。詳細については、ここでは再び説明しない。
【０３３４】
本願は、干渉測定機器を提供する。干渉発生ノードの第２の機能エンティティは、干渉発生ノードの第１の機能エンティティの参照信号リソース識別子に対応する１つ又は複数のビームを使用して、干渉測定に使用される参照信号を送信するので、干渉を受ける被干渉ノードは、干渉測定を迅速且つ正確に行うことができ、それによりクロスリンク信号送信の影響が大幅に軽減され、システムの送信性能が向上する。
【０３３５】
図１９は、本発明の一実施形態による別の干渉測定機器の論理的構造の概略図である。特定の実装プロセスでは、干渉測定機器は、ネットワーク装置又は中継装置であり得、中継装置は、基地局であり得る。干渉測定機器は、トランシーバ１９０２及びプロセッサ１９０４を含む。図８ａ、図８ｂ、及び図９を例にとると、干渉測定機器は第３のノードである。
【０３３６】
トランシーバ１９０２は、干渉測定構成メッセージを受信することであって、干渉測定構成メッセージは干渉測定タイプ指標情報を含み、干渉測定タイプ指標情報は、第３のノードの第２の機能エンティティの受信ビームを使用して干渉測定を行うように、第３のノードの第１の機能エンティティに指示するために使用される、受信することと；プロセッサの指標に従って決定した受信ビームを使用して、干渉測定に使用される参照信号を受信することと；を行うように構成される。
【０３３７】
プロセッサ１９０４は、干渉測定構成メッセージ内の干渉測定タイプ指標に従って、参照信号を検出するために使用される受信ビームが、第３のノードの第２の機能エンティティの受信ビームであると決定し、決定した受信ビームを使用して、干渉測定に使用される参照信号を受信するようにトランシーバに指示するように構成される。
【０３３８】
さらに、干渉測定構成メッセージは、第２のノードの第２の機能エンティティの参照信号リソース指標情報をさらに含み、第２のノードの第２の機能エンティティの参照信号リソース指標情報は、
第２のノードの第２の機能エンティティの参照信号リソース識別子、第２のノードの第２の機能エンティティに関するものであり且つ干渉測定に使用されるＲＳの送信電力、第２のノードの第２の機能エンティティに関するものであり且つ干渉測定に使用されるＲＳがマッピングされる時間周波数リソース位置、又は第２のノードの第２の機能エンティティに関するものであり且つ干渉測定に使用されるＲＳの送信周期性の１つ又は組合せを含む。
【０３３９】
さらに、プロセッサは、干渉測定構成メッセージ内の参照信号リソース指標情報に従って、干渉測定構成メッセージ内に示される時間周波数リソースを決定し、決定した時間周波数リソース上で、干渉測定に使用される参照信号を受信するようにトランシーバに指示するようにさらに構成される。
【０３４０】
干渉測定機器は、図８ａ、図８ｂ、及び図９に示される干渉測定方法を実行するように構成される。関連する技術的特徴は、図８ａ、図８ｂ、及び図９に示される方法を参照して上で詳細に説明してきた。従って、詳細について、ここでは再び説明しない。なお、図４ａ、図４ｂ、及び図５に示される干渉測定方法では、機器は、図４ａ、図４ｂ、及び図５に示される干渉測定機器の方法によって実施され得るものを実行するように構成される。実施形態１の各ノード、例えば第１のノード、第２のノード、及び第３のノードは、トランシーバ及びプロセッサを含み、方法の実施形態における各ノードの送信又は受信アクションは、トランシーバによって実行され得、処理及び決定等の他のアクションはプロセッサによって実行される。
【０３４１】
さらに、上記のように、図１０及び図１１の検出方法について、実施形態４において、本発明のこの実施形態は、前述の機器構造にも適用される。この機器は、トランシーバ及びプロセッサを含む。各ノードの受信又は送信ステップは、各ノードのトランシーバによって実行され、処理、決定、計算、及び判断等の特定のアクションは、各ノードのプロセッサによって実行される。詳細については、ここでは再び説明しない。
【０３４２】
本願は、前述の干渉測定機器を提供するので、干渉を受ける被干渉ノードは干渉測定を迅速且つ正確に行うことができ、それにより、クロスリンク信号送信の影響が大幅に軽減され、システムの送信性能が向上する。
【０３４３】
本発明の実施形態５〜実施形態７における別の干渉測定機器の論理的構造の概略図については、図１８及び図１９を参照されたい。ここではこれ以上の図解を提供しない。特定の実装プロセスでは、干渉測定機器は、ネットワーク装置又は中継装置であり得、中継装置は、基地局であり得る。干渉測定機器は、トランシーバ及びプロセッサを含む。
【０３４４】
さらに、上記のように、図１２〜図１７に対応する検出方法については、実施形態５〜実施形態７において、これらの実施形態は、前述の機器構造にも適用することができる。各ノードの受信又は送信ステップは、各ノードのトランシーバによって実行され、処理、決定、計算、及び判断等の特定のアクションは、各ノードのプロセッサによって実行される。詳細については、ここでは再び説明しない。
【０３４５】
図２０は、本発明の実施形態１〜実施形態７による中継ノードのハードウェア構造の概略図である。図１６に示されるように、ネットワーク装置は、プロセッサ２００２、トランシーバ２００４、複数のアンテナ２００６、メモリ２００８、Ｉ／Ｏ（入力／出力、Input/Output）インターフェース２０１０、及びバス２０１２を含む。トランシーバ２００４は、送信器２００４２及び受信器２００４４を含む。メモリ２００８は、命令２００８２及びデータ２００８４を格納するようにさらに構成される。さらに、プロセッサ２００２、トランシーバ２００４、メモリ２００８、及びＩ／Ｏインターフェース２０１０は、バス２０１２を介して互いに通信可能に接続される。複数のアンテナ２００６は、トランシーバ２００４に接続される。
【０３４６】
プロセッサ２００２は、汎用プロセッサ、例えば中央処理装置（Central  Processing  Unit,  CPU）であり得るが、これ限定されず、又は専用プロセッサ、例えばデジタル信号プロセッサ（Digital  Signal  Processor,  DSP）、特定用途向け集積回路（Application  Specific  Integrated  Circuit,  ASIC）、及びフィールドプログラマブルゲートアレイ（Field  Programmable  Gate  Array,  FPGA）であり得るが、これらに限定されない。さらに、プロセッサ２００２は、代替的に、複数のプロセッサの組合せであってもよい。特に、本発明のこの実施形態で提供される技術的解決策では、プロセッサ２００２は、例えば、図１８及び図１９の処理ユニットによって実行される動作、実施形態１〜実施形態７の方法の実施形態で実行される動作を実行するように構成され得る。プロセッサ２００２は、前述のステップ及び／又は動作を実行するために特別に設計されたプロセッサであり得るか、又はメモリ２００８に格納された命令２００８２を読み取り実行することによって前述のステップ及び／又は操作を実行するプロセッサであり得る。プロセッサ２００２は、前述のステップ及び／又は動作を実行するプロセスにおいてデータ２００８４を使用する必要がある場合がある。
【０３４７】
トランシーバ２００４は、送信器２００４２及び受信器２００４４を含む。送信器２００４２は、複数のアンテナ２００６のうちの少なくとも１つを使用して信号を送信するように構成される。受信器２００４４は、複数のアンテナ２００６のうちの少なくとも１つを使用して信号を受信するように構成される。特に、本発明のこの実施形態で提供される技術的解決策では、送信器２００４２は、複数のアンテナ２００６のうちの少なくとも１つを使用して、例えば、図１８及び図１９において処理ユニットによって実行される動作、及び実施形態１〜実施形態５の方法の実施形態で実行される動作において、送信器ユニットによって実行される動作を実行するように特に構成され得る。
【０３４８】
メモリ２００８は、様々なタイプの記憶媒体、例えば、ランダムアクセスメモリ（Random  Access  Memory,  RAM）、読み取り専用メモリ（Read  Only  Memory,  ROM）、不揮発性ＲＡＭ（Non-Volatile  RAM,  NVRAM）、プログラマブルＲＯＭ（Programmable  ROM,  PROM）、消去可能ＰＲＯＭ（Erasable  PROM,EPROM）、電気的に消去可能ＰＲＯＭ（Electrically  Erasable  PROM,  EEPROM）、フラッシュメモリ、光メモリ、及びレジスタであり得る。メモリ２００８は、命令２００８２及びデータ２００８４を格納するように特に構成される。プロセッサ２００２は、メモリ２００８に格納された命令２００８２を読み取って実行することにより前述のステップ及び／又は動作を実行することができ、前述の動作及び／又はステップを実行するプロセスにおいてデータを必要とする場合がある。
【０３４９】
Ｉ／Ｏインターフェース２０１０は、周辺装置から命令及び／又はデータを受信し、命令及び／又はデータを周辺装置に出力するように構成される。
【０３５０】
特定の実装プロセスにおいて、中継ノードは、本明細書において例として１つずつリストされていない他のハードウェアコンポーネントをさらに含み得ることに留意されたい。
【０３５１】
ノード装置のハードウェア構造図は、図１８及び図１９の処理ユニットによって実行される動作、及び実施形態１〜実施形態５の方法の実施形態で実行される動作におけるネットワーク装置のハードウェア構造図であり得る。
【０３５２】
本発明の実施形態は、干渉測定機器を提供し、機器は、実施形態１〜実施形態７のいずれか１つの方法を実行するようにさらに構成され得る。
【０３５３】
本発明の一実施形態は、命令を含むコンピュータ可読記憶媒体をさらに提供する。命令がコンピュータ上で実行されると、コンピュータは、実施形態１〜実施形態７のいずれか１つの方法を実行することができる。
【０３５４】
本発明の一実施形態は、コンピュータプログラム製品をさらに提供する。コンピュータプログラム製品はコンピュータプログラムコードを含み、コンピュータプログラムコードがコンピュータ上で実行されると、コンピュータは、実施形態１〜実施形態７のいずれか１つの方法を実行することができる。
【０３５５】
本発明の一実施形態は、メモリ及びプロセッサを含むチップをさらに提供する。メモリは、コンピュータプログラムを格納するように構成され、プロセッサは、メモリからコンピュータプログラムを呼び出してコンピュータプログラムを実行するように構成され、それによって、プロセッサは、実施形態１〜実施形態７のいずれか１つの方法を実行する。
【０３５６】
本発明の実施形態で提供される前述の方法及び機器の解決策は、プロセッサ及びトランシーバの態様で実施することができる。プロセッサは、様々な処理動作、例えば、生成、決定、判断、検索、抽出、取得、読み取り、処理すべき入力データの受信、及び処理したデータの出力等の動作を実行するように構成され、トランシーバは、送信及び受信等の動作を実行するように構成される。特定の実装プロセスでは、プロセッサは次の態様で実装できる。
【０３５７】
第１の態様では、プロセッサは専用プロセッサである。この場合に、プロセッサは、インターフェース回路及び処理回路をさらに含み得る。インターフェース回路は、処理回路によって処理する必要のあるデータを受信し、処理回路の処理結果を出力するように構成され、処理回路は、前述の様々な処理動作を実行するように構成される。
【０３５８】
第２の態様では、プロセッサは、汎用プロセッサ及びメモリのアーキテクチャを使用して実装される。汎用プロセッサは、メモリに格納された処理命令を実行するように構成され、処理命令は、前述の様々な処理動作を実行するように汎用プロセッサに指示するために使用される。汎用プロセッサによって実行される処理は、メモリに格納された処理命令に依存し、汎用プロセッサは、メモリ内の処理命令を変更することによって、異なる処理結果を出力するように制御してもよいことが理解され得る。
【０３５９】
さらに、第２の態様では、汎用プロセッサ及びメモリを同じチップ上に統合することができる。例えば、汎用プロセッサとメモリとの両方を処理チップに統合することができる。さらに、汎用プロセッサ及びメモリは、代替的に、異なるチップ上に配置することができる。例えば、汎用プロセッサは処理チップ上に配置され、メモリは記憶チップ上に配置される。
【０３６０】
本発明の実施形態で提供される技術的解決策は、代替的に、コンピュータ可読記憶媒体の態様で実施され得る。コンピュータ可読記憶媒体は、本発明の実施形態において技術的解決策を実施するための処理命令を記憶し、処理命令は、本発明の実施形態において提供される技術的解決策を完了するために汎用処理装置によって読み取られる。汎用処理装置は、プロセッサ及びトランシーバ等の必要なハードウェアコンポーネントを含む処理装置であることを理解されたい。これらのハードウェアコンポーネントの動作は、コンピュータ可読記憶媒体に格納されている処理命令に依存する。
【０３６１】
前述の実施形態の全て又はいくつかは、ソフトウェア、ハードウェア、ファームウェア、又はそれらの任意の組合せを使用して実施することができる。ソフトウェアを使用して実施形態を実施する場合に、実施形態の全て又はいくつかは、コンピュータプログラム製品の形態で実施することができる。コンピュータプログラム製品は、１つ又は複数のコンピュータ命令を含む。コンピュータプログラム命令がコンピュータにロードされて実行されると、本発明の実施形態による手順又は機能が、全て又は部分的に生成される。コンピュータは、汎用コンピュータ、専用コンピュータ、コンピュータネットワーク、又は他のプログラム可能な機器であり得る。コンピュータ命令は、コンピュータ可読記憶媒体に記憶され得るか、又はコンピュータ可読記憶媒体から別のコンピュータ可読記憶媒体に送信され得る。例えば、コンピュータ命令は、有線（例えば、同軸ケーブル、光ファイバー、又はデジタル加入者回線（DSL））又は無線（例えば、赤外線、無線、又はマイクロ波）方式で、ウェブサイト、コンピュータ、サーバ、又はデータセンタから別のウェブサイト、コンピュータ、サーバ、又はデータセンタに送信され得る。コンピュータ可読記憶媒体は、コンピュータによってアクセス可能な任意の使用可能な媒体、又は１つ又は複数の使用可能な媒体を統合するサーバ又はデータセンタ等のデータ記憶装置であり得る。使用可能な媒体は、磁気媒体（例えば、フロッピーディスク、ハードディスク、又は磁気テープ）、光媒体（例えば、ＤＶＤ）、半導体媒体（例えば、ソリッドステートドライブ（Solid  State  Disk,  SSD））等であり得る。
【０３６２】
要約すると、前述の説明は、本発明の単なる実施形態であり、本発明の保護範囲を限定することを意図するものではない。本発明の原理から逸脱することなく行われたいかなる修正、同等の置換、又は改良も、本発明の保護範囲に含まれるものとする。
【国際調査報告】
2022501953.tif 000026
2022501953.tif 000027
2022501953.tif 000028
2022501953.tif 000029